(57)【要約】【課題】ポイント管理装置を該装置の運営機関と異なる他機関にも使用させること。【解決手段】ポイント運営機関記録媒体使用店舗に設置された第１収集装置１０ａから第１会員付与対象情報を受信し、該受信した第１会員付与対象情報に含まれる第１会員識別情報に対応付けて第１ポイント管理部２０５ａにおいて記憶しているポイント数に、該受信した第１会員付与対象情報に含まれる付与対象情報に対応するポイント数を加算更新するとともに、複数の他運営機関の記録媒体を使用する他運営機関記録媒体使用店舗に設置された第２収集装置１１ｃ、１１ｄから第２会員付与対象情報を受信し、該受信した第２会員付与対象情報に含まれる第２会員識別情報に対応付けて各他運営機関の第２ポイント管理部において記憶しているポイント数に、該受信した第２会員付与対象情報に含まれる付与対象情報に対応するポイント数を加算更新する。【選択図】図４
2008029638.tif 000002
【特許請求の範囲】
【請求項１】
各店舗において会員登録した会員に対して発行され該会員を個々に識別可能な会員識別情報が記録された会員記録媒体として、ポイント運営機関により提供されて管理される第１会員識別情報が記録された第１記録媒体を使用するポイント運営機関記録媒体使用店舗の会員、及び、前記会員記録媒体として、前記ポイント運営機関とは異なる他運営機関のいずれかにより提供されて管理される第２会員識別情報が記録された第２記録媒体を使用する他運営機関記録媒体使用店舗の会員、が所有するポイント数を管理する、前記ポイント運営機関にて運営されるポイント管理装置であって、
前記第１会員識別情報に対応付けてポイント数を管理する第１ポイント管理部と、
前記各他運営機関毎に区分して、当該他運営機関が提供する前記第２会員識別情報に対応付けてポイント数を管理する第２ポイント管理部と、
前記ポイント運営機関記録媒体使用店舗に設置され、該ポイント運営機関記録媒体使用店舗における前記第１記録媒体の所有者に対するポイント付与の対象となるポイント付与対象情報を、該第１記録媒体に記録されている第１会員識別情報に対応付けて収集する第１収集装置から、該収集されたポイント付与対象情報と第１会員識別情報とを少なくとも含む第１会員付与対象情報を受信する第１会員付与対象情報受信手段と、
該第１会員付与対象情報を受信したことに基づいて、該受信した第１会員付与対象情報に含まれる第１会員識別情報に対応付けて前記第１ポイント管理部において記憶しているポイント数に、該受信した第１会員付与対象情報に含まれるポイント付与対象情報に対応するポイント数を加算更新する第１ポイント加算更新手段と、
前記他運営機関記録媒体使用店舗に設置され、該他運営機関記録媒体使用店舗における前記第２記録媒体の所有者に対するポイント付与の対象となるポイント付与対象情報を、該第２記録媒体に記録されている第２会員識別情報に対応付けて収集する第２収集装置から、該収集されたポイント付与対象情報と第２会員識別情報とを少なくとも含む第２会員付与対象情報を受信する第２会員付与対象情報受信手段と、
該第２会員付与対象情報を受信したことに基づいて、該受信した第２会員付与対象情報から特定される前記第２ポイント管理部の他運営機関の前記区分において、該受信した第２会員付与対象情報に含まれる第２会員識別情報に対応付けて記憶しているポイント数に、該受信した第２会員付与対象情報に含まれるポイント付与対象情報に対応するポイント数を加算更新する第２ポイント加算更新手段と、
を備えることを特徴とするポイント管理装置。
【請求項２】
前記ポイント付与対象情報の種類および／またはポイント付与対象情報に対して付与するポイント数のレートを、前記他運営機関毎に設定する第２ポイント設定手段を備え、
前記第２ポイント加算更新手段は、受信した第２会員付与対象情報に含まれる前記他運営機関を個々に識別可能な他運営機関識別情報から特定される他運営機関に対して前記第２ポイント設定手段にて設定された前記ポイント付与対象情報の種類および／またはレートに基づいて、前記ポイント数の加算更新を行うことを特徴とする請求項１に記載のポイント管理装置。
【請求項３】
前記ポイント運営機関記録媒体使用店舗の会員が操作可能とされた端末装置から、該会員が発行を受けた複数の各第１記録媒体に記録されている第１会員識別情報を含むポイント統合要求を受信するポイント統合要求受信手段と、
前記ポイント統合要求を受信したことを条件に、該ポイント統合要求に含まれる各第１会員識別情報に対応付けて前記第１ポイント管理部に記憶されているポイント数を合算する第１ポイント合算手段と、
を備えることを特徴とする請求項１または２に記載のポイント管理装置。
【請求項４】
前記他運営機関記録媒体使用店舗の会員が操作可能とされた端末装置から、該会員が発行を受けた複数の各第２記録媒体に記録されている第２会員識別情報を含むポイント統合要求を受信するポイント統合要求受信手段と、
前記ポイント統合要求を受信し、且つ、該ポイント統合要求に含まれる第２会員識別情報を提供する他運営機関が一致することを条件に、該ポイント統合要求に含まれる各第２会員識別情報に対応付けて前記第２ポイント管理部に記憶されているポイント数を合算する第２ポイント合算手段と、
を備えることを特徴とする請求項１〜３のいずれかに記載のポイント管理装置。
【請求項５】
前記第２ポイント管理部に記憶されているポイント数の合算を許諾するか否かを、前記他運営機関毎に個々に設定するポイント統合設定手段を備え、
前記第２ポイント合算手段は、前記ポイント統合設定手段にてポイント数の合算を許諾する設定がなされていることを更なる条件として、前記ポイント統合要求に含まれる各第２会員識別情報に対応付けて前記第２ポイント管理部に記憶しているポイント数を合算することを特徴とする請求項４に記載のポイント管理装置。
【請求項６】
受信した前記ポイント統合要求に含まれる各第１会員識別情報または各第２会員識別情報に対応する店舗を個々に識別可能な店舗識別情報を特定する店舗特定手段を備え、前記第１ポイント合算手段および／または前記第２ポイント合算手段は、前記店舗特定手段により特定された店舗識別情報が一致しないことを条件に、各ポイント数を合算することを特徴とする請求項３〜５のいずれかに記載のポイント管理装置。
【請求項７】
複数の前記ポイント運営機関記録媒体使用店舗または複数の前記他運営機関記録媒体使用店舗をグループ店舗として設定するグループ設定手段と、
受信した前記ポイント統合要求に含まれる各第１会員識別情報または各第２会員識別情報に対応する店舗を個々に識別可能な店舗識別情報を特定する店舗特定手段と、
を備え、
前記第１ポイント合算手段および／または前記第２ポイント合算手段は、前記店舗特定手段にて特定した各店舗識別情報が、前記グループ設定手段により設定された同一のグループに属する店舗の店舗識別情報であることを条件に、ポイント数を合算することを特徴とする請求項３〜６のいずれかに記載のポイント管理装置。
【請求項８】
前記他運営機関識別情報に対応付けて、受信した第２会員付与対象情報に含まれる前記ポイント付与対象情報と第２会員識別情報を認識するための他提供機関データ認識規則を記憶する他提供機関データ認識規則記憶部と、
前記第２会員付与対象情報を受信したときに、該受信した第２会員付与対象情報に含まれる他運営機関識別情報に対応付けて前記他提供機関データ認識規則記憶部に記憶されている他提供機関データ認識規則に基づいて、該受信した第２会員付与対象情報に含まれる前記ポイント付与対象情報と第２会員識別情報を認識する受信データ認識手段と、
を備えることを特徴とする請求項１〜７のいずれかに記載のポイント管理装置。
【請求項９】
前記店舗として、前記第１会員識別情報と前記第２会員識別情報とが記憶された第３記録媒体が使用される第３記録媒体使用店舗を含み、
前記第３記録媒体使用店舗について、前記第１ポイント管理部において前記第１会員識別情報に対応付けてポイント数を管理するか、或いは前記第２ポイント管理部において前記第２会員識別情報に対応付けてポイント数を管理するかを設定する第３記録媒体使用店舗設定手段を備えることを特徴とする請求項１〜８のいずれかに記載のポイント管理装置。
【発明の詳細な説明】
【技術分野】
【０００１】
本発明は、店舗にて会員登録した会員に付与されるポイントを管理するためのポイント管理装置に関する。
【背景技術】
【０００２】
従来、店舗の会員にポイントを付与するとともに該付与した各員毎のポイント、すなわち各会員が所有するポイントを管理するポイント管理システムとしては、該ポイント管理システムを運営するポイント運営機関が発行する会員カードを使用している店舗（遊技場）の会員に対して、ポイントを付与して管理するものがある（例えば、特許文献１参照）。
【０００３】
【特許文献１】特開２００５−２７０２１０号公報（第４頁、第１３図）
【発明の開示】
【発明が解決しようとする課題】
【０００４】
しかしながら、上記した特許文献１のポイント管理システムにおいては、ポイント運営機関が発行する会員カードを使用していない店舗（遊技場）の会員、つまり、ポイント運営機関とは異なる他機関が発行する会員カードを使用している会員に対しては、ポイントを付与することができないという問題があった。更には、前記他機関が、ポイントの付与・管理をするために、新たにポイント管理システムを構築しようとする場合には、多大なコストと時間とを要することになり、これらポイントを付与することによる集客効果を得るための費用対効果が低いものとなってしまうという問題がある。そのため、ポイント運営機関が多大なコストと時間とを費やして構築したポイント管理装置を、該ポイント運営機関だけではなく、他機関も使用できるようにしたいという要望があった。
【０００５】
本発明は、このような問題点に着目してなされたもので、ポイント運営機関が構築したポイント管理装置を、該ポイント運営機関とは異なる他機関にも使用させることのできるポイント管理装置を提供することを目的とする。
【課題を解決するための手段】
【０００６】
上記課題を解決するために、本発明の請求項１に記載のポイント管理装置は、
各店舗（遊技場）において会員登録した会員に対して発行され該会員を個々に識別可能な会員識別情報（会員ＩＤ、会員カードＩＤ）が記録された会員記録媒体（会員カード）として、ポイント運営機関（運営機関Ａ社）により提供されて管理される第１会員識別情報（Ａ社会員ＩＤ、Ａ社会員カードＩＤ）が記録された第１記録媒体（Ａ社統合会員カード）を使用するポイント運営機関記録媒体使用店舗（遊技場Ａ、Ｂ）の会員、及び、前記会員記録媒体として、前記ポイント運営機関とは異なる他運営機関（運営機関Ｃ社、運営機関Ｄ社）のいずれかにより提供されて管理される第２会員識別情報（Ｃ社会員ＩＤ、Ｄ社会員ＩＤ）が記録された第２記録媒体（Ｂ社統合会員カード、Ｃ社非統合会員カード、Ｄ社非統合会員カード）を使用する他運営機関記録媒体使用店舗（遊技場Ｃ〜Ｈ）の会員、が所有するポイント数を管理する、前記ポイント運営機関にて運営されるポイント管理装置２００であって、
前記第１会員識別情報に対応付けてポイント数を管理する第１ポイント管理部（記憶領域２０５ａ；Ａ社会員情報テーブル）と、
前記各他運営機関毎に区分して、当該他運営機関が提供する前記第２会員識別情報に対応付けてポイント数を管理する第２ポイント管理部（記憶領域２０５ｃ；Ｃ社会員情報テーブル、記憶領域２０５ｄ；Ｄ社会員情報テーブル）と、
前記ポイント運営機関記録媒体使用店舗に設置され、該ポイント運営機関記録媒体使用店舗における前記第１記録媒体の所有者に対するポイント付与の対象となるポイント付与対象情報（消費金額、大当り回数、スタート回数、打込玉数）を、該第１記録媒体に記録されている第１会員識別情報に対応付けて収集する第１収集装置（Ａ社会員管理端末１１ａ、Ａ社カード管理端末１０ａ，Ａ社集中管理装置１００）から、該収集されたポイント付与対象情報と第１会員識別情報とを少なくとも含む第１会員付与対象情報（Ａ社送信データ列を含む消費情報）を受信する第１会員付与対象情報受信手段（ＣＰＵ２０２；消費情報収集処理、第２通信インターフェイス２０８）と、
該第１会員付与対象情報を受信したことに基づいて、該受信した第１会員付与対象情報に含まれる第１会員識別情報に対応付けて前記第１ポイント管理部において記憶しているポイント数（所有ポイント、統合ポイント）に、該受信した第１会員付与対象情報に含まれる付与対象情報（消費金額）に対応するポイント数を加算更新する第１ポイント加算更新手段（ＣＰＵ２０２；ポイント付与処理）と、
前記他運営機関記録媒体使用店舗に設置され、該他運営機関記録媒体使用店舗における前記第２記録媒体の所有者に対するポイント付与の対象となるポイント付与対象情報（消費金額、大当り回数、スタート回数、打込玉数）を、該第２記録媒体に記録されている第２会員識別情報に対応付けて収集する第２収集装置（Ｃ社・会員管理端末１１ｃ、Ｃ社中央管理装置１０１、Ｄ社・会員管理端末１１ｄ）から、該収集されたポイント付与対象情報と第２会員識別情報とを少なくとも含む第２会員付与対象情報（Ｃ社送信データ列またはＤ社送信データ列を含む消費情報）を受信する第２会員付与対象情報受信手段（ＣＰＵ２０２；消費情報収集処理、第３通信インターフェイス２０９、デジタルサービスユニット（ＤＳＵ）２０６）と、
該第２会員付与対象情報を受信したことに基づいて、該受信した第２会員付与対象情報から特定される前記第２ポイント管理部の他運営機関の前記区分において、該受信した第２会員付与対象情報に含まれる第２会員識別情報に対応付けて記憶しているポイント数（所有ポイント、統合ポイント）に、該受信した第２会員付与対象情報に含まれるポイント付与対象情報（大当り回数、スタート回数）に対応するポイント数を加算更新する第２ポイント加算更新手段（ＣＰＵ２０２；ポイント付与処理）と、
を備えることを特徴としている。
この特徴によれば、ポイント運営機関にて提供される第１会員識別情報が記録された第１記録媒体を使用しておらず、他運営機関にて提供される第２会員識別情報が記録された第２記録媒体を使用している他運営機関記録媒体使用店舗の会員に対しても、ポイント運営機関記録媒体使用店舗の会員と同様に、ポイントの付与、管理を実施できるようになり、ポイント運営機関が構築したポイント管理装置を、該ポイント運営機関とは異なる他運営機関にも、ポイント運営システムの構築に多大なコストを費やして費用対効果が低いものとなってしまうことなく、使用させることができる。
【０００７】
本発明の請求項２に記載のポイント管理装置は、請求項１に記載のポイント管理装置であって、
前記ポイント付与対象情報の種類（ポイント付与条件設定画面における付与対象使用情報において選択可能な消費金額、大当り回数、スタート回数、打込玉数）および／またはポイント付与対象情報に対して付与するポイント数のレート（ポイント付与条件設定画面における付与レート）を、前記他運営機関毎（運営機関Ｃ社、運営機関Ｄ社）に設定する第２ポイント設定手段（リモート操作端末５０、ポイント付与条件設定画面）を備え、
前記第２ポイント加算更新手段（ＣＰＵ２０２；ポイント付与処理）は、受信した第２会員付与対象情報（Ｃ社送信データ列またはＤ社送信データ列を含む消費情報）に含まれる他運営機関識別情報（シンボルデータ）から特定される他運営機関に対して前記第２ポイント設定手段にて設定された前記ポイント付与対象情報の種類および／またはレートに基づいて、前記ポイント数（所有ポイント、統合ポイント）の加算更新を行うことを特徴としている。
この特徴によれば、ポイント付与対象情報の種類および／またはポイント数のレートを設定できるので、他運営機関の要望に沿ったポイントの付与を実施することができる。
【０００８】
本発明の請求項３に記載のポイント管理装置は、請求項１または２に記載のポイント管理装置であって、
前記ポイント運営機関記録媒体使用店舗（遊技場Ａ、Ｂ）の会員が操作可能とされた端末装置（携帯電話機５）から、該会員が発行を受けた複数の各第１記録媒体（Ａ社統合会員カード）に記録されている第１会員識別情報（Ａ社会員ＩＤ、Ａ社会員カードＩＤ）を含むポイント統合要求（統合要求）を受信するポイント統合要求受信手段（ＣＰＵ２０２；統合要求受信処理）と、
前記ポイント統合要求を受信したことを条件に、該ポイント統合要求に含まれる各第１会員識別情報に対応付けて前記第１ポイント管理部（記憶領域２０５ａ；Ａ社会員情報テーブル）に記憶されているポイント数を合算する第１ポイント合算手段（ＣＰＵ２０２；カード統合処理、Ｓｔ７）と、
を備えることを特徴としている。
この特徴によれば、会員は、複数の第１記録媒体の発行を受けた異なるポイント運営機関記録媒体使用店舗におけるポイントを統合し、該統合したポイントを利用できるようになるので、会員の利便性を向上できるとともに、これらポイント運営機関記録媒体使用店舗の集客力を向上できる。
【０００９】
本発明の請求項４に記載のポイント管理装置は、請求項１〜３のいずれかに記載のポイント管理装置であって、
前記他運営機関記録媒体使用店舗（遊技場Ｃ〜Ｈ）の会員が操作可能とされた端末装置（携帯電話機５）から、該会員が発行を受けた複数の各第２記録媒体（Ｂ社統合会員カード、Ｃ社非統合会員カード、Ｄ社非統合会員カード）に記録されている第２会員識別情報（Ｃ社会員ＩＤ、Ｄ社会員ＩＤ）を含むポイント統合要求（統合要求）を受信するポイント統合要求受信手段（ＣＰＵ２０２；統合要求受信処理）と、
前記ポイント統合要求を受信し、且つ、該ポイント統合要求に含まれる第２会員識別情報を提供する他運営機関（運営機関Ｃ社、運営機関Ｄ社）が一致することを条件に（ＣＰＵ２０２；カード統合処理、Ｓｔ３）、該ポイント統合要求に含まれる各第２会員識別情報に対応付けて前記第２ポイント管理部（記憶領域２０５ｃ；Ｃ社会員情報テーブル、記憶領域２０５ｄ；Ｄ社会員情報テーブル）に記憶されているポイント数を合算する第２ポイント合算手段（ＣＰＵ２０２；カード統合処理、Ｓｔ７）と、
を備えることを特徴としている。
この特徴によれば、会員は、複数の第２記録媒体のポイントを、当該第２記録媒体に記憶された第２会員識別情報を提供する他運営機関が同一であることを条件に統合し、該統合したポイントを利用できるようになるので、会員の利便性を向上できるとともに、これらポイントが統合された該第２記録媒体を使用する他運営機関記録媒体使用店舗の集客力を向上できる。
【００１０】
本発明の請求項５に記載のポイント管理装置は、請求項４に記載のポイント管理装置であって、
前記第２ポイント管理部（記憶領域２０５ｃ；Ｃ社会員情報テーブル、記憶領域２０５ｄ；Ｄ社会員情報テーブル）に記憶されているポイント数の合算を許諾するか否かを、前記他運営機関（運営機関Ｃ社、運営機関Ｄ社）毎に個々に設定するポイント統合設定手段（リモート操作端末５０、ポイント付与条件設定画面）を備え、
前記第２ポイント合算手段（ＣＰＵ２０２；カード統合処理）は、前記ポイント統合設定手段にてポイント数の合算を許諾する設定がなされていることを更なる条件として（ＣＰＵ２０２；カード統合処理、Ｓｔ４）、前記ポイント統合要求に含まれる各第２会員識別情報に対応付けて前記第２ポイント管理部に記憶しているポイント数を合算することを特徴としている。
この特徴によれば、個々の他運営機関の要望に沿ってポイント統合の実施・非実施を変更することができる。
【００１１】
本発明の請求項６に記載のポイント管理装置は、請求項３〜５のいずれかに記載のポイント管理装置であって、
受信した前記ポイント統合要求（統合要求）に含まれる各第１会員識別情報（Ａ社会員ＩＤ、Ａ社会員カードＩＤ）または各第２会員識別情報（Ｃ社会員ＩＤ、Ｄ社会員ＩＤ）に対応する店舗（遊技場）を個々に識別可能な店舗識別情報（遊技場ＩＤ）を特定する店舗特定手段（ＣＰＵ２０２；カード統合処理、Ｓｔ４’）を備え、
前記第１ポイント合算手段および／または前記第２ポイント合算手段（ＣＰＵ２０２；カード統合処理、Ｓｔ７）は、前記店舗特定手段により特定された店舗識別情報が一致しないことを条件に（ＣＰＵ２０２；カード統合処理、Ｓｔ５においてＮｏ）、各ポイント数を合算することを特徴としている。
この特徴によれば、ポイント統合要求に含まれる各第１会員識別情報または各第２会員識別情報から特定される店舗識別情報に同一の店舗識別情報が含まれている場合、例えば、該店舗識別情報の店舗にて第１記録媒体を紛失した会員のポイントが、該第１記録媒体を拾得した他の会員のポイントに統合されてしまうことを阻止できるので、これら第１記録媒体を紛失した会員が不利益を被る畏れを極力低減することができる。
【００１２】
本発明の請求項７に記載のポイント管理装置は、請求項３〜６のいずれかに記載のポイント管理装置であって、
複数の前記ポイント運営機関記録媒体使用店舗（遊技場Ａ、Ｂ）または複数の前記他運営機関記録媒体使用店舗（遊技場Ｃ〜Ｈ）をグループ店舗（チェーン店）として設定するグループ設定手段（リモート操作端末５０、グループ店舗設定画面）と、
受信した前記ポイント統合要求（統合要求）に含まれる各第１会員識別情報（Ａ社会員ＩＤ、Ａ社会員カードＩＤ）または各第２会員識別情報（Ｃ社会員ＩＤ、Ｄ社会員ＩＤ）に対応する店舗（遊技場）を個々に識別可能な店舗識別情報（遊技場ＩＤ）を特定する店舗特定手段（ＣＰＵ２０２；カード統合処理、Ｓｔ４’）と、
を備え、
前記第１ポイント合算手段および／または前記第２ポイント合算手段（ＣＰＵ２０２；カード統合処理、Ｓｔ７）は、店舗特定手段にて特定した各店舗識別情報が前記グループ設定手段により設定された同一のグループに属する店舗の店舗識別情報であることを条件に（カード統合処理、Ｓｔ６においてＹｅｓ）、ポイント数を合算することを特徴としている。
この特徴によれば、グループ店舗にて付与されたポイントを合算できるようになるので、会員の利便性を向上できるとともに、これらグループ店舗の集客力を向上できる。
【００１３】
本発明の請求項８に記載のポイント管理装置は、請求項１〜７のいずれかに記載のポイント管理装置であって、
前記他運営機関識別情報（シンボルデータ）に対応付けて、受信した第２会員付与対象情報（Ｃ社送信データ列またはＤ社送信データ列を含む消費情報）に含まれる前記ポイント付与対象情報（消費金額、大当り回数、スタート回数、打込玉数）と第２会員識別情報（Ｃ社会員ＩＤ、Ｄ社会員ＩＤ）を認識するための他提供機関データ認識規則（Ｃ社定義ファイル、Ｄ社定義ファイル）を記憶する他提供機関データ認識規則記憶部（記憶装置２０５；提携機関情報テーブル）と、
前記第２会員付与対象情報を受信したときに、該受信した第２会員付与対象情報に含まれる他運営機関識別情報に対応付けて前記他提供機関データ認識規則記憶部に記憶されている他提供機関データ認識規則に基づいて、該受信した第２会員付与対象情報に含まれる前記ポイント付与対象情報と第２会員識別情報を認識する受信データ認識手段（ＣＰＵ２０２；受信データ変換処理）と、
を備えることを特徴としている。
この特徴によれば、ポイント管理装置側に、他提供機関データ認識規則記憶部並びに受信データ認識手段を有するので、これらポイント管理装置において認識できる態様の送信データに第２収集装置側にて変換する等の必要がなく、ポイント管理装置を利用してポイントを付与する際の他提供機関側の負荷を低減することができる。
【００１４】
本発明の請求項９に記載のポイント管理装置は、請求項１〜８のいずれかに記載のポイント管理装置であって、
前記店舗（遊技場）として、前記第１会員識別情報（Ａ社会員カードＩＤ）と前記第２会員識別情報（Ｃ社会員ＩＤ）とが記憶された第３記録媒体（遊技場ＢにおけるＡ社統合会員カード）が使用される第３記録媒体使用店舗（遊技場Ｂ）を含み、
前記第３記録媒体使用店舗について、前記第１ポイント管理部（記憶領域２０５ａ；Ａ社会員情報テーブル）において前記第１会員識別情報（Ａ社会員カードＩＤ）に対応付けてポイント数を管理するか、或いは前記第２ポイント管理部（記憶領域２０５ｃ；Ｃ社会員情報テーブル）において前記第２会員識別情報（Ｃ社会員ＩＤ）に対応付けてポイント数を管理するかを設定する第３記録媒体使用店舗設定手段（リモート操作端末５０、第３カード利用遊技場設定画面）を備えることを特徴としている。
この特徴によれば、第３記録媒体を使用する第３記録媒体使用店舗については、ポイント運営機関側となる第１ポイント管理部において管理を実施するか、或いは、他運営機関側となる第２ポイント管理部において管理を実施するかを、店舗や各運営機関の要望に応じて選択することができる。
【発明を実施するための最良の形態】
【００１５】
本発明の実施例を以下に説明する。
【実施例】
【００１６】
図１は、本発明のポイント管理装置２００が適用された本実施例のポイントシステムの構成を示すシステムブロック図であり、本実施例のポイントシステムは、ポイント管理装置２００を運営する本発明のポイント運営機関となる運営機関Ａ社により運営されるポイント管理装置２００と、該ポイント管理装置２００における各種設定等を実施するためのリモート操作端末５０と、運営機関Ａ社が発行するプリペイドカードおよび／またはＡ社統合会員カードを使用する遊技場Ａ、Ｂ、Ｆ，Ｈに設置された後述するＡ社カード管理端末１０ａに接続されたサーバコンピュータから成るＡ社中央管理装置１００と、運営機関Ａ社とは異なる運営機関Ｃ社が提供する会員管理端末１１ｃが設置された遊技場Ｂ、Ｃ、Ｇ、Ｈの該会員管理端末１０ｃに接続されたサーバコンピュータから成るＣ社中央管理装置１０１とから主に構成されている。
【００１７】
本実施例のポイント管理装置２００は、該ポイント管理装置２００を運営する運営機関Ａ社のリモート操作端末５０と、前記Ａ社中央管理装置１００、並びに運営機関Ａ社のカード生産工場に設置されて、遊技場Ａ、Ｂに提供される後述するＡ社統合会員カードに記憶されるＡ社会員カードＩＤ並びにＡ社会員ＩＤ等を含む生産情報を管理するエンコードシステム管理装置１５０にデータ通信可能に接続されているとともに、Ｃ社中央管理装置１０１や、遊技場Ｄ〜Ｆに設置されている運営機関Ｄ社の各会員管理端末１１ｄにもデータ通信可能に接続されていて、Ａ社中央管理装置１００から遊技場Ａ、Ｂの会員の消費情報、Ｃ社中央管理装置１０１から遊技場Ｃ、Ｇ、Ｈの会員の消費情報、遊技場Ｄ〜Ｆに設置されているＤ社の会員管理端末１１ｄから遊技場Ｄ、Ｅ、Ｆの会員の消費情報を取得できるようになっている。
【００１８】
また、ポイント管理装置２００は、インターネット網９を介して、遊技場Ａ〜Ｆの各会員が操作可能な本発明の端末装置となる、インターネット接続機能を有する携帯電話機５やパソコン６とデータ通信可能に接続され、これら携帯電話機５やパソコン６から各会員がアクセス可能とされている。
【００１９】
尚、本発明において、ポイント管理装置２００と、Ａ社中央管理装置１００と、リモート操作端末５０とは、それぞれ異なる場所、具体的には、ポイント管理装置２００は、ポイント管理センターに、Ａ社中央管理装置１００はカード管理センターに、リモート操作端末５０は、営業管理センター（本社）に設置されている。
【００２０】
次に、本実施例の各遊技場Ａ〜Ｆについて、図２並びに図３を用いて説明する。尚、遊技場Ａ、Ｂ、Ｄ、Ｇにおいては、各遊技場において会員登録した会員に対して発行される会員カードとして、各遊技場に設置された遊技機であるパチンコ機２における遊技に使用可能な遊技用残額が読み出し可能に記憶されることでプリペイド機能が統合された統合会員カードが使用され、遊技場Ｃ、Ｅ、Ｆ、Ｈにおいては、プリペイド機能が統合されていない（遊技用残額が記憶されていない）非統合の会員カード（以下、非統合会員カードと呼称する）が使用され、遊技者はこれら非統合会員カードと遊技用残額が記憶されたプリペイドカード（Ａ社またはＢ社）の双方を使用する。
【００２１】
この非統合会員カードは、会員管理端末を提供する各運営機関、具体的には、運営機関Ｃ社若しくは運営機関Ｄ社から各遊技場に対して、運営機関Ｃ社が提供、管理する本発明の第２会員識別情報となるＣ社会員ＩＤ、若しくは運営機関Ｄ社が提供、管理する本発明の第２会員識別情報となるＤ社会員ＩＤが読み出し可能に記憶されて提供され、会員登録した遊技者にこれら非統合会員カードが発行されて使用される。尚、これら非統合会員カードに使用する記憶媒体としては、記憶（記録）データを読み出し可能なものであって、会員が携行可能なものであれば良く、具体的には、従来より使用されている磁気カードや、ＩＣカードを好適に使用することができ、本実施例においては磁気カードを使用している。
【００２２】
また、本実施例では、運営機関Ａ社と運営機関Ｂ社とがプリペイドカードサービスを提供しており、各遊技場Ａ〜Ｆにおいて使用されるプリペイドカード並びに統合会員カードは、運営機関Ａ社或いは運営機関Ｂ社により提供されるようになっている。尚、これらプリペイドカード並びに統合会員カードとして本実施例では、書き込み記憶された記憶データを非接触により読み出し可能な非接触ＩＣカードを使用しているが、本発明はこれに限定されるものではなく、これらプリペイドカード並びに統合会員カードに使用する記憶媒体としては、従来より使用されている磁気カードであっても良く、これら記憶媒体としては記憶（記録）データを読み出し可能なものであって、会員が携行可能なものであれば良い。
【００２３】
この運営機関Ａ社にて提供されるＡ社統合会員カードには、これらＡ社統合会員カードを個々に識別可能とするために固有に付与されたＡ社会員カードＩＤが、書き換え不能に記憶されているとともに、会員を管理するために各遊技場に設置されている会員管理端末を提供する運営機関Ａ社、Ｃ社、Ｄ社から提供されて管理される各運営機関毎に固有の会員ＩＤが記憶されるようになっている。
【００２４】
つまり、Ａ社統合会員カードには、プリペイド機能を統合するための遊技用残額と本発明の第１会員識別情報となるＡ社会員カードＩＤに加えて、運営機関Ａ社が提供、管理する本発明の第１会員識別情報となるＡ社会員ＩＤが記憶されたＡ社統合会員カード（１）や、運営機関Ｃ社が提供、管理する本発明の第２会員識別情報となるＣ社会員ＩＤが記憶されたＡ社統合会員カード（２）や、運営機関Ｄ社が提供、管理する本発明の第２会員識別情報となるＤ社会員ＩＤが記憶されたＡ社統合会員カード（３）のように、各会員管理端末を提供する運営機関毎の会員ＩＤが記憶できるようになっており、これら各運営機関毎の会員ＩＤ、つまり、Ｃ社会員ＩＤ若しくはＤ社会員ＩＤは、運営機関Ａ社から各遊技場にＡ社統合会員カードが提供される際に、提供先の遊技場に設置されている会員管理端末を提供する運営機関Ｃ社若しくは運営機関Ｄ社から運営機関Ａ社に提供されて、該運営機関Ａ社のＡ社カード生産工場のエンコードシステムにより各Ａ社統合会員カードに記憶されて各遊技場に配送される。尚、本実施例では、Ａ社統合会員カードを使用し、且つＤ社・会員管理装置１１ｄが設置された遊技場を、具体的には例示していなが、これら遊技場においてはＡ社統合会員カード（３）が使用されることになる。
【００２５】
尚、これらエンコードシステムにおいては、Ｃ社会員ＩＤやＤ社会員ＩＤと同様にＡ社会員ＩＤも書き込み記憶され、Ａ社が提供する会員管理端末１１ａが設置されている遊技場Ａに配送されるようになっており、これら書き込み記憶される各社会員ＩＤが、書き込み対象のＡ社統合会員カードから読み出したＡ社会員カードＩＤ並びに納入される遊技場を個々に識別可能な遊技場ＩＤとに対応付けてエンコードシステム管理装置１５０にてカード生産情報として記憶され、これら記憶されているカード生産情報がポイント管理装置２００に送信されるようになっている。
【００２６】
また、運営機関Ｂ社にて提供されるＢ社統合会員カードには、Ａ社統合会員カードと同様に、これらＢ社統合会員カードを個々に識別可能とするために固有に付与されたＢ社会員カードＩＤが、書き換え不能に記憶されているとともに、会員を管理するために各遊技場に設置されている会員管理端末を提供する運営機関Ｃ社、Ｄ社から提供されて管理される各運営機関毎に固有の会員ＩＤが記憶されるようになっている。
【００２７】
つまり、Ｂ社統合会員カードには、プリペイド機能を統合するための遊技用残額とＢ社会員カードＩＤに加えて、運営機関Ｃ社が提供、管理するＣ社会員ＩＤが記憶されたＢ社統合会員カードや、運営機関Ｄ社が提供、管理するＤ社会員ＩＤが記憶されたＢ社統合会員カードのように、各会員管理端末を提供する運営機関毎の会員ＩＤが記憶できるようになっており、これら各運営機関毎の会員ＩＤ、つまり、Ｃ社会員ＩＤ若しくはＤ社会員ＩＤは、運営機関Ｂ社から各遊技場にＢ社統合会員カードが提供される際に、提供先の遊技場に設置されている会員管理端末を提供する運営機関Ｃ社若しくは運営機関Ｄ社から運営機関Ｂ社に提供されて、該運営機関Ｂ社の図示しないカード生産工場において各Ｂ社統合会員カードに記憶されて各遊技場に配送される。
【００２８】
まず、遊技場Ａにおいては、前述したように、ポイント管理装置２００を運営する運営機関Ａ社にて提供されて管理されるＡ社会員カードＩＤとＡ社会員ＩＤとが読み出し可能に記憶されたＡ社統合会員カード（１）並びに運営機関Ａ社にて提供されたＡ社プリペイドカードが使用されており、これらＡ社統合会員カード（１）並びにＡ社プリペイドカードに記憶されている残存金額を該遊技場Ａ内に設置された複数の遊技機であるパチンコ機２に対して１対１に対応して設けられ、対応するパチンコ機２におけるパチンコ玉の貸し出しに使用させるための貸出処理等を実施するカードユニット３ａと、これらカードユニット３ａにデータ通信可能に接続され、該接続されている各カードユニット３ａの管理や、カードユニット３ａにおいてＡ社統合会員カード（１）並びにＡ社プリペイドカードから使用された使用金額や当該遊技場におけるＡ社統合会員カード（１）並びにＡ社プリペイドカードに残存する残存金額等を管理するために、運営機関Ａ社から提供されて該遊技場Ａ内に設置されたＡ社カード管理端末１０ａと、該遊技場Ａの会員を管理するために運営機関Ａ社にて提供されたＡ社・会員管理端末１１ａとが設置されている。
【００２９】
そして、これらＡ社カード管理端末１０ａ並びにＡ社・会員管理端末１１ａとは共にポイント管理装置２００を運営する運営機関Ａ社にて提供されているので、いずれも、運営機関Ａ社が管理するＡ社中央管理装置１００との間において、該遊技場Ａにおいて使用されたＡ社統合会員カード（１）に記録されているＡ社会員ＩＤ等を含む後述する消費情報等の各種のデータの授受が可能とされている。
【００３０】
この遊技場Ａにおいては、カードユニット３ａにＡ社統合会員カード（１）が挿入されてから返却されるまでの間において、当該カードユニット３ａにて挿入されたＡ社統合会員カード（１）から使用された消費金額や、対応するパチンコ機２における大当り回数、可変表示装置における可変表示のスタート回数、打込玉数等の会員遊技情報がＡ社・会員管理端末１１ａにて収集され、これら収集された消費金額や会員遊技情報並びにＡ社統合会員カード（１）から読み出したＡ社会員ＩＤとから成る図５（ｂ）に示すＡ社送信データ列（１）を含む消費情報が、消費情報送信要求の受信に応じてＡ社中央管理装置１００に送信されるとともに、該消費情報がＡ社中央管理装置１００からポイント管理装置２００に中継される。
【００３１】
これらＡ社統合会員カード（１）が挿入されてから返却されるまでの間における消費金額や、大当り回数、スタート回数、打込玉数等の会員遊技情報は、Ａ社統合会員カード（１）がカードユニット３ａに挿入、返却される際に、該挿入されたＡ社統合会員カード（１）から読み出されたＡ社会員ＩＤを含む会員カード受付通知や会員カード返却通知が、該カードユニット３ａからＡ社・会員管理端末１１ａに送信されることに基づいて取得（特定）される。
【００３２】
具体的には、これら会員カード受付通知を受信した時点における対応するパチンコ機２の大当り回数、スタート回数、打込玉数等の遊技情報を、遊技場Ａ内に設置された各パチンコ機２の遊技情報を収集、管理する図示しないホールコンピュータから取得して、受信した会員カード受付通知に含まれるＡ社会員ＩＤに対応付けて遊技開始時遊技情報として記憶しておくとともに、会員カード返却通知を受信した時点における対応するパチンコ機２の大当り回数、スタート回数、打込玉数等の遊技情報をホールコンピュータから取得して、これら取得した返却時における遊技情報と、受信した会員カード返却通知に含まれるＡ社会員ＩＤに対応付けて記憶している遊技開始時遊技情報との差から、該Ａ社統合会員カード（１）が挿入されてから返却されるまでの間における会員遊技情報を特定するとともに、受信した会員カード返却通知に含まれるＡ社会員ＩＤを含む消費金額出力要求をＡ社カード管理端末１０ａに送信して、該Ａ社カード管理端末１０ａから該Ａ社統合会員カード（１）が挿入されてから返却されるまでの間における消費金額を取得し、これら取得した消費金額並びに特定した会員遊技情報（大当り回数、スタート回数、打込玉数等）とＡ社会員ＩＤとを含む図５（ｂ）のＡ社送信データ列（１）を消費情報として記憶しておき、該消費情報が前記消費情報送信要求の受信に応じて送信される。
【００３３】
また、遊技場Ｂにおいては、図２に示すように、ポイント管理装置２００を運営する運営機関Ａ社にて提供されて管理されるＡ社会員カードＩＤと、該運営機関Ａ社とは異なる運営機関Ｃ社にて提供されて管理されるＣ社会員ＩＤとが読み出し可能に記憶されたＡ社統合会員カード（２）並びに運営機関Ａ社にて提供されたＡ社プリペイドカードが使用されており、これらＡ社統合会員カード（２）並びにＡ社プリペイドカードに記憶されている残存金額を該遊技場Ｂ内に設置された複数のパチンコ機２に対して１対１に対応して設けられ、対応するパチンコ機２におけるパチンコ玉の貸し出しに使用させるための貸出処理等を実施するカードユニット３ａと、これらカードユニット３ａにデータ通信可能に接続され、該接続されている各カードユニット３ａの管理や、カードユニット３ａにおいてＡ社統合会員カード（２）並びにＡ社プリペイドカードから使用された使用金額や当該遊技場におけるＡ社統合会員カード（２）並びにＡ社プリペイドカードに残存する残存金額等を管理するために、運営機関Ａ社から提供されて該遊技場Ａ内に設置されたＡ社カード管理端末１０ａと、該遊技場Ｂの会員を管理するために運営機関Ｃ社にて提供されたＣ社・会員管理端末１１ｃとが設置されている。
【００３４】
そして、これらＡ社カード管理端末１０ａはポイント管理装置２００を運営する運営機関Ａ社にて提供されているので、運営機関Ａ社が管理するＡ社中央管理装置１００との間において、該遊技場Ｂにおいて使用されたＡ社統合会員カード（２）に記録されているＡ社会員カードＩＤ等を含む後述する消費情報等の各種データの授受が可能とされているとともに、Ｃ社・会員管理端末１１ｃは運営機関Ｃ社にて提供されているので、該運営機関Ｃが管理するＣ社中央管理装置１０１との間において、各種のデータの授受が可能とされている。
【００３５】
この遊技場Ｂにおいては、カードユニット３ａにＡ社統合会員カード（２）が挿入されてから返却されるまでの間において、当該カードユニット３ａにて挿入されたＡ社統合会員カード（２）から使用された消費金額がＡ社カード管理端末１０ａにて収集され、これら収集された消費金額並びにＡ社統合会員カード（２）から読み出したＡ社会員カードＩＤとから成る図５（ｃ）に示すＡ社送信データ列（２）を含む消費情報が、消費情報送信要求の受信に応じてＡ社中央管理装置１００に送信されるとともに、該消費情報がＡ社中央管理装置１００からポイント管理装置２００に中継される。
【００３６】
これらＡ社統合会員カード（２）が挿入されてから返却されるまでの間における消費金額は、Ａ社統合会員カード（２）がカードユニット３ａに挿入、返却される際に、該カードユニット３ａからＡ社カード管理端末１０ａに送信される、該挿入されたＡ社統合会員カード（２）から読み出されたＡ社会員カードＩＤを含む会員カード受付通知や会員カード返却通知、並びに、貸出処理が実施される毎にカードユニット３ａからＡ社カード管理端末１０ａに送信される挿入中のＡ社統合会員カード（２）のＡ社会員カードＩＤと使用金額を含む使用通知とに基づいて取得（特定）される。
【００３７】
具体的にＡ社カード管理端末１０ａは、会員カード受付通知の受信に応じて、受信した会員カード受付通知に含まれるＡ社会員カードＩＤに対応付けて消費金額に「０」を記憶し、使用通知の受信に応じて該使用通知に含まれるＡ社会員カードＩＤに対応して記憶している消費金額に、該使用通知に含まれる使用金額を加算更新していき、会員カード返却通知の受信時において該受信した会員カード返却通知に含まれるＡ社会員カードＩＤに対応付けて記憶している消費金額を読み出すことで、Ａ社統合会員カード（２）が挿入されてから返却されるまでの間における消費金額を特定し、これら特定した消費金額とＡ社会員カードＩＤとを含む図５（ｃ）のＡ社送信データ列（２）を消費情報として記憶しておき、該消費情報が前記消費情報送信要求の受信に応じて送信される。
【００３８】
また、遊技場Ｃにおいては、前述したように、プリペイドカードサービスを提供する運営機関Ｂにて提供されるプリペイドカードと、ポイント管理装置２００を運営する運営機関Ａ社とは異なる運営機関Ｃ社にて提供されて管理されるＣ社会員ＩＤが記憶されたＣ社非統合会員カードが使用されており、これらＢ社プリペイドカードに記憶されている残存金額を該遊技場Ｃ内に設置された複数のパチンコ機２に対して１対１に対応して設けられ、対応するパチンコ機２におけるパチンコ玉の貸し出しに使用させるための貸出処理等を実施するカードユニット３ｂ’と、これらカードユニット３ｂ’にデータ通信可能に接続され、該接続されている各カードユニット３ｂ’の管理や、カードユニット３ｂ’においてＢ社プリペイドカードから使用された使用金額や当該遊技場におけるＢ社プリペイドカードに残存する残存金額等を管理するために、運営機関Ｂ社から提供されて該遊技場Ｃ内に設置されたＢ社カード管理端末１０ｂと、該遊技場Ｃの会員を管理するために運営機関Ｃ社にて提供されたＣ社・会員管理端末１１ｃとが設置されている。
【００３９】
そして、これらＢ社カード管理端末１０ｂは、図示しないＢ社中央管理装置との間において、該遊技場Ｃにおいて使用された遊技用残額や各プリペイドカードに残存する遊技用残額を管理するための各種データの授受が可能とされているとともに、Ｃ社・会員管理端末１１ｃは運営機関Ｃ社にて提供されているので、該運営機関Ｃが管理するＣ社中央管理装置１０１との間において、該遊技場Ｃにおいて使用されたＣ社非統合会員カードに記録されているＣ社会員ＩＤ等を含む後述する消費情報等の各種のデータの授受が可能とされている。
【００４０】
この遊技場Ｃにおいては、カードユニット３ｂ’の会員カード挿入口にＣ社非統合会員カードが挿入されてから返却されるまでの間において、当該カードユニット３ｂ’のプリペイドカード挿入口に挿入されたＢ社プリペイドカードから使用された消費金額や、対応するパチンコ機２における大当り回数、可変表示装置における可変表示のスタート回数、打込玉数等の会員遊技情報がＣ社・会員管理端末１１ｃにて収集され、これら収集された消費金額や会員遊技情報並びにＣ社非統合会員カードから読み出したＣ社会員ＩＤとから成る図５（ｄ）に示すＣ社送信データ列を含む消費情報が、消費情報送信要求の受信に応じてＣ社中央管理装置１０１に送信されるとともに、該消費情報がＣ社中央管理装置１０１からポイント管理装置２００に中継される。
【００４１】
これらＣ社非統合会員カードが挿入されてから返却されるまでの間における消費金額や、大当り回数、スタート回数、打込玉数等の会員遊技情報は、Ｃ社非統合会員カードがカードユニット３ｂ’に挿入、返却される際に、該挿入されたＣ社非統合会員カードから読み出されたＣ社会員ＩＤを含む会員カード受付通知や会員カード返却通知が、該カードユニット３ｂ’からＣ社・会員管理端末１１ｃに送信されることに基づいて取得（特定）される。
【００４２】
具体的には、この遊技場Ｃに設置されているカードユニット３ｂ’には、Ｂ社のプリペイドカードを挿入する図示しないプリペイドカード挿入口と、Ｃ社非統合会員カードを挿入する図示しない会員カード挿入口の２つの挿入口が設けられており、会員カード挿入口にＣ社非統合会員カードが挿入されることにより会員カード受付通知を受信したことに応じてＣ社・会員管理端末１１ｃは、該時点における対応するパチンコ機２の大当り回数、スタート回数、打込玉数等の遊技情報を、遊技場Ｃ内に設置された各パチンコ機２の遊技情報を収集、管理する図示しないホールコンピュータから取得して、受信した会員カード受付通知に含まれるＣ社会員ＩＤに対応付けて遊技開始時遊技情報として記憶しておくとともに、該Ｃ社会員ＩＤに対応付けて消費金額として「０」を記憶しておく。
【００４３】
そして、会員カード挿入口にＣ社非統合会員カードが挿入されている間に、貸出処理によりＢ社のプリペイドカードが使用された場合には、該貸出処理に使用された使用金額と、会員カード挿入口に挿入中のＣ社非統合会員カードに記憶されているＣ社会員ＩＤとを含む使用通知がカードユニット３ｂ’から送信されるので、該使用通知の受信に応じて該使用通知に含まれるＣ社会員ＩＤに対応して記憶している消費金額に、該使用通知に含まれる使用金額を加算更新していき、Ｃ社非統合会員カードの返却による会員カード返却通知の受信時において該受信した会員カード返却通知に含まれるＣ社会員ＩＤに対応付けて記憶している消費金額を読み出すことで、Ｃ社非統合会員カードが挿入されてから返却されるまでの間における消費金額を特定する一方、会員カード返却通知を受信した時点における対応するパチンコ機２の大当り回数、スタート回数、打込玉数等の遊技情報をホールコンピュータから取得して、これら取得した返却時における遊技情報と、受信した会員カード返却通知に含まれるＣ社会員ＩＤに対応付けて記憶している遊技開始時遊技情報との差から、該Ｃ社非統合会員カードが挿入されてから返却されるまでの間における会員遊技情報を特定し、これら特定した消費金額並びに会員遊技情報（大当り回数、スタート回数、打込玉数等）とＣ社会員ＩＤとを含む図５（ｄ）のＣ社送信データ列を消費情報として記憶しておき、該消費情報が消費情報送信要求の受信に応じて送信される。
【００４４】
また、遊技場Ｄにおいては、運営機関Ｂ社にて提供されるプリペイドカードと、ポイント管理装置２００を運営する運営機関Ａ社とは異なる運営機関Ｄ社にて提供されて管理されるＤ社会員ＩＤが記憶されたＢ社統合会員カードが使用されており、これらＢ社プリペイドカード並びにＢ社統合会員カードに記憶されている残存金額を該遊技場Ｄ内に設置された複数のパチンコ機２に対して１対１に対応して設けられ、対応するパチンコ機２におけるパチンコ玉の貸し出しに使用させるための貸出処理等を実施するカードユニット３ｂと、これらカードユニット３ｂにデータ通信可能に接続され、該接続されている各カードユニット３ｂの管理や、カードユニット３ｂにおいてＢ社プリペイドカードやＢ社統合会員カードから使用された使用金額や当該遊技場におけるＢ社プリペイドカードやＢ社統合会員カードに残存する残存金額等を管理するために、運営機関Ｂ社から提供されて該遊技場Ｄ内に設置されたＢ社カード管理端末１０ｂと、該遊技場Ｄの会員を管理するために運営機関Ｄ社にて提供されたＤ社・会員管理端末１１ｄとが設置されている。
【００４５】
そして、これらＢ社カード管理端末１０ｂは、図示しないＢ社中央管理装置との間において、該遊技場Ｄにおいて使用された遊技用残額や各Ｂ社プリペイドカードや各Ｂ社統合会員カードに残存する遊技用残額を管理するための各種データの授受が可能とされているとともに、Ｄ社・会員管理端末１１ｄは、Ｄ社の中央管理装置を介することなくポイント管理装置２００に直接に接続されており、該ポイント管理装置２００に対し、該遊技場Ｄにおいて使用されたＢ社統合会員カードに記録されているＤ社会員ＩＤ等を含む後述する消費情報等の各種のデータの送信が可能とされている。
【００４６】
この遊技場Ｄにおいては、カードユニット３ｂにＢ社統合会員カードが挿入されてから返却されるまでの間において、当該カードユニット３ｂに挿入されたＢ社統合会員カードから使用された消費金額や、対応するパチンコ機２における大当り回数、可変表示装置における可変表示のスタート回数、打込玉数等の会員遊技情報がＤ社・会員管理端末１１ｄにて収集され、これら収集された消費金額や会員遊技情報並びにＢ社統合会員カードから読み出したＤ社会員ＩＤとから成る図５（ｅ）に示すＤ社送信データ列を含む消費情報が、消費情報送信要求の受信に応じてポイント管理装置２００に送信される。
【００４７】
これらＢ社統合会員カードが挿入されてから返却されるまでの間における消費金額や、大当り回数、スタート回数、打込玉数等の会員遊技情報は、Ｂ社統合会員カードがカードユニット３ｂに挿入、返却される際に、該挿入されたＢ社統合会員カードから読み出されたＤ社会員ＩＤを含む会員カード受付通知や会員カード返却通知が、該カードユニット３ｂからＤ社・会員管理端末１１ｄに送信されることに基づいて取得（特定）される。
【００４８】
具体的にＤ社・会員管理端末１１ｄは、カードユニット３ｂにＢ社統合会員カードが挿入されることにより会員カード受付通知を受信したことに応じて該時点における対応するパチンコ機２の大当り回数、スタート回数、打込玉数等の遊技情報を、遊技場Ｄ内に設置された各パチンコ機２の遊技情報を収集、管理する図示しないホールコンピュータから取得して、受信した会員カード受付通知に含まれるＤ社会員ＩＤに対応付けて遊技開始時遊技情報として記憶しておくとともに、該Ｄ社会員ＩＤに対応付けて消費金額として「０」を記憶しておく。
【００４９】
そして、Ｂ社統合会員カードが挿入されている間に、貸出処理が実施された場合には、該Ｂ社統合会員カードに記憶されている遊技用残額から該貸出処理に使用された使用金額と、該挿入中のＢ社統合会員カードに記憶されているＤ社会員ＩＤとを含む使用通知がカードユニット３ｂから送信されるので、該使用通知の受信に応じて該使用通知に含まれるＤ社会員ＩＤに対応して記憶している消費金額に、該使用通知に含まれる使用金額を加算更新していき、Ｂ社統合会員カードの返却による会員カード返却通知の受信時において該受信した会員カード返却通知に含まれるＤ社会員ＩＤに対応付けて記憶している消費金額を読み出すことで、Ｂ社統合会員カードが挿入されてから返却されるまでの間における消費金額を特定する一方、会員カード返却通知を受信した時点における対応するパチンコ機２の大当り回数、スタート回数、打込玉数等の遊技情報をホールコンピュータから取得して、これら取得した返却時における遊技情報と、受信した会員カード返却通知に含まれるＤ社会員ＩＤに対応付けて記憶している遊技開始時遊技情報との差から、該Ｂ社統合会員カードが挿入されてから返却されるまでの間における会員遊技情報を特定し、これら特定した消費金額並びに会員遊技情報（大当り回数、スタート回数、打込玉数等）とＤ社会員ＩＤとを含む図５（ｅ）のＤ社送信データ列を消費情報として記憶しておき、該消費情報が消費情報送信要求の受信に応じて送信される。
【００５０】
また、遊技場Ｅにおいては、運営機関Ｂ社にて提供されるプリペイドカードと、ポイント管理装置２００を運営する運営機関Ａ社とは異なる運営機関Ｄ社にて提供されて管理されるＤ社会員ＩＤが記憶されたＤ社非統合会員カードが使用されており、これらＢ社プリペイドカードに記憶されている残存金額を該遊技場Ｅ内に設置された複数のパチンコ機２に対して１対１に対応して設けられ、対応するパチンコ機２におけるパチンコ玉の貸し出しに使用させるための貸出処理等を実施するカードユニット３ｂ’と、これらカードユニット３ｂ’にデータ通信可能に接続され、該接続されている各カードユニット３ｂ’の管理や、カードユニット３ｂ’においてＢ社プリペイドカードから使用された使用金額や当該遊技場におけるＢ社プリペイドカードに残存する残存金額等を管理するために、運営機関Ｂ社から提供されて該遊技場Ｅ内に設置されたＢ社カード管理端末１０ｂと、該遊技場Ｅの会員を管理するために運営機関Ｄ社にて提供されたＤ社・会員管理端末１１ｄとが設置されている。
【００５１】
そして、これらＢ社カード管理端末１０ｂは、図示しないＢ社中央管理装置との間において、該遊技場Ｅにおいて使用された遊技用残額や各Ｂ社プリペイドカードに残存する遊技用残額を管理するための各種データの授受が可能とされているとともに、Ｄ社・会員管理端末１１ｄは、Ｄ社の中央管理装置を介することなく直接にポイント管理装置２００に接続されており、該ポイント管理装置２００に対し、該遊技場Ｅにおいて使用されたＤ社非統合会員カードに記録されているＤ社会員ＩＤ等を含む後述する消費情報等の各種のデータの送信が可能とされている。
【００５２】
この遊技場Ｅにおいては、カードユニット３ｂ’の会員カード挿入口にＤ社非統合会員カードが挿入されてから返却されるまでの間において、当該カードユニット３ｂ’のプリペイドカード挿入口に挿入されたＢ社プリペイドカードから使用された消費金額や、対応するパチンコ機２における大当り回数、可変表示装置における可変表示のスタート回数、打込玉数等の会員遊技情報がＤ社・会員管理端末１１ｄにて収集され、これら収集された消費金額や会員遊技情報並びにＤ社非統合会員カードから読み出したＤ社会員ＩＤとから成る図５（ｅ）に示すＤ社送信データ列を含む消費情報が、消費情報送信要求の受信に応じてポイント管理装置２００に送信される。
【００５３】
これらＤ社非統合会員カードが挿入されてから返却されるまでの間における消費金額や、大当り回数、スタート回数、打込玉数等の会員遊技情報は、Ｄ社非統合会員カードがカードユニット３ｂ’に挿入、返却される際に、該挿入されたＤ社非統合会員カードから読み出されたＤ社会員ＩＤを含む会員カード受付通知や会員カード返却通知が、該カードユニット３ｂからＤ社・会員管理端末１１ｄに送信されることに基づいて取得（特定）される。
【００５４】
具体的には、この遊技場Ｅに設置されているカードユニット３ｂ’には、Ｂ社のプリペイドカードを挿入する図示しないプリペイドカード挿入口と、Ｄ社非統合会員カードを挿入する図示しない会員カード挿入口の２つの挿入口が設けられており、会員カード挿入口にＤ社非統合会員カードが挿入されることにより会員カード受付通知を受信したことに応じてＤ社・会員管理端末１１ｄは、該時点における対応するパチンコ機２の大当り回数、スタート回数、打込玉数等の遊技情報を、遊技場Ｅ内に設置された各パチンコ機２の遊技情報を収集、管理する図示しないホールコンピュータから取得して、受信した会員カード受付通知に含まれるＤ社会員ＩＤに対応付けて遊技開始時遊技情報として記憶しておくとともに、該Ｄ社会員ＩＤに対応付けて消費金額として「０」を記憶しておく。
【００５５】
そして、会員カード挿入口にＤ社非統合会員カードが挿入されている間に、貸出処理によりＢ社のプリペイドカードが使用された場合には、該貸出処理に使用された使用金額と、会員カード挿入口に挿入中のＤ社非統合会員カードに記憶されているＤ社会員ＩＤとを含む使用通知がカードユニット３ｂ’から送信されるので、該使用通知の受信に応じて該使用通知に含まれるＤ社会員ＩＤに対応して記憶している消費金額に、該使用通知に含まれる使用金額を加算更新していき、Ｄ社非統合会員カードの返却による会員カード返却通知の受信時において該受信した会員カード返却通知に含まれるＤ社会員ＩＤに対応付けて記憶している消費金額を読み出すことで、Ｄ社非統合会員カードが挿入されてから返却されるまでの間における消費金額を特定する一方、会員カード返却通知を受信した時点における対応するパチンコ機２の大当り回数、スタート回数、打込玉数等の遊技情報をホールコンピュータから取得して、これら取得した返却時における遊技情報と、受信した会員カード返却通知に含まれるＤ社会員ＩＤに対応付けて記憶している遊技開始時遊技情報との差から、該Ｄ社非統合会員カードが挿入されてから返却されるまでの間における会員遊技情報を特定し、これら特定した消費金額並びに会員遊技情報（大当り回数、スタート回数、打込玉数等）とＤ社会員ＩＤとを含む図５（ｅ）のＤ社送信データ列を消費情報として記憶しておき、該消費情報が消費情報送信要求の受信に応じて送信される。
【００５６】
また、遊技場Ｆにおいては、ポイント管理装置２００を運営する運営機関Ａ社にて提供されるＡ社プリペイドカードと、該運営機関Ａ社とは異なる運営機関Ｄ社にて提供されて管理されるＤ社会員ＩＤが記憶されたＤ社非統合会員カードが使用されており、これらＡ社プリペイドカードに記憶されている残存金額を該遊技場Ｆ内に設置された複数のパチンコ機２に対して１対１に対応して設けられ、対応するパチンコ機２におけるパチンコ玉の貸し出しに使用させるための貸出処理等を実施するカードユニット３ａ’と、これらカードユニット３ａ’にデータ通信可能に接続され、該接続されている各カードユニット３ａ’の管理や、カードユニット３ａ’においてＡ社プリペイドカードから使用された使用金額や当該遊技場におけるＡ社プリペイドカードに残存する残存金額等を管理するために、運営機関Ａ社から提供されて該遊技場Ｆ内に設置されたＡ社カード管理端末１０ａと、該遊技場Ｆの会員を管理するために運営機関Ｄ社にて提供されたＤ社・会員管理端末１１ｄとが設置されている。
【００５７】
そして、これらＡ社カード管理端末１０ａは、Ａ社中央管理装置１００との間において、該遊技場Ｆにおいて使用された遊技用残額や各Ａ社プリペイドカードに残存する遊技用残額を管理するための各種データの授受が可能とされているとともに、Ｄ社・会員管理端末１１ｄは、Ｄ社の中央管理装置を介することなく直接にポイント管理装置２００に接続されており、該ポイント管理装置２００に対し、該遊技場Ｆにおいて使用されたＤ社非統合会員カードに記録されているＤ社会員ＩＤ等を含む後述する消費情報等の各種のデータの送信が可能とされている。
【００５８】
この遊技場Ｆにおいては、カードユニット３ａ’の会員カード挿入口にＤ社非統合会員カードが挿入されてから返却されるまでの間において、当該カードユニット３ａ’のプリペイドカード挿入口に挿入されたＡ社プリペイドカードから使用された消費金額や、対応するパチンコ機２における大当り回数、可変表示装置における可変表示のスタート回数、打込玉数等の会員遊技情報がＤ社・会員管理端末１１ｄにて収集され、これら収集された消費金額や会員遊技情報並びにＤ社非統合会員カードから読み出したＤ社会員ＩＤとから成る図５（ｅ）に示すＤ社送信データ列を含む消費情報が、消費情報送信要求の受信に応じてポイント管理装置２００に送信される。
【００５９】
これらＤ社非統合会員カードが挿入されてから返却されるまでの間における消費金額や、大当り回数、スタート回数、打込玉数等の会員遊技情報は、Ｄ社非統合会員カードがカードユニット３ａ’に挿入、返却される際に、該挿入されたＤ社非統合会員カードから読み出されたＤ社会員ＩＤを含む会員カード受付通知や会員カード返却通知が、該カードユニット３ａ’からＤ社・会員管理端末１１ｄに送信されることに基づいて取得（特定）される。
【００６０】
具体的には、この遊技場Ｆに設置されているカードユニット３ａ’には、Ａ社のプリペイドカードを挿入する図示しないプリペイドカード挿入口と、Ｄ社非統合会員カードを挿入する図示しない会員カード挿入口の２つの挿入口が設けられており、会員カード挿入口にＤ社非統合会員カードが挿入されることにより会員カード受付通知を受信したことに応じてＤ社・会員管理端末１１ｄは、該時点における対応するパチンコ機２の大当り回数、スタート回数、打込玉数等の遊技情報を、遊技場Ｆ内に設置された各パチンコ機２の遊技情報を収集、管理する図示しないホールコンピュータから取得して、受信した会員カード受付通知に含まれるＤ社会員ＩＤに対応付けて遊技開始時遊技情報として記憶しておくとともに、該Ｄ社会員ＩＤに対応付けて消費金額として「０」を記憶しておく。
【００６１】
そして、会員カード挿入口にＤ社非統合会員カードが挿入されている間に、貸出処理にＡ社プリペイドカードが使用された場合には、該貸出処理に使用された使用金額と、会員カード挿入口に挿入中のＤ社非統合会員カードに記憶されているＤ社会員ＩＤとを含む使用通知がカードユニット３ａ’から送信されるので、該使用通知の受信に応じて該使用通知に含まれるＤ社会員ＩＤに対応して記憶している消費金額に、該使用通知に含まれる使用金額を加算更新していき、Ｄ社非統合会員カードの返却による会員カード返却通知の受信時において該受信した会員カード返却通知に含まれるＤ社会員ＩＤに対応付けて記憶している消費金額を読み出すことで、Ｄ社非統合会員カードが挿入されてから返却されるまでの間における消費金額を特定する一方、会員カード返却通知を受信した時点における対応するパチンコ機２の大当り回数、スタート回数、打込玉数等の遊技情報をホールコンピュータから取得して、これら取得した返却時における遊技情報と、受信した会員カード返却通知に含まれるＤ社会員ＩＤに対応付けて記憶している遊技開始時遊技情報との差から、該Ｄ社非統合会員カードが挿入されてから返却されるまでの間における会員遊技情報を特定し、これら特定した消費金額並びに会員遊技情報（大当り回数、スタート回数、打込玉数等）とＤ社会員ＩＤとを含む図５（ｅ）のＤ社送信データ列を消費情報として記憶しておき、該消費情報が消費情報送信要求の受信に応じて送信される。
【００６２】
また、遊技場Ｇにおいては、運営機関Ｂ社にて提供されるプリペイドカードと、ポイント管理装置２００を運営する運営機関Ａ社とは異なる運営機関Ｃ社にて提供されて管理されるＣ社会員ＩＤが記憶されたＢ社統合会員カードが使用されており、これらＢ社プリペイドカード並びにＢ社統合会員カードに記憶されている残存金額を該遊技場Ｇ内に設置された複数のパチンコ機２に対して１対１に対応して設けられ、対応するパチンコ機２におけるパチンコ玉の貸し出しに使用させるための貸出処理等を実施するカードユニット３ｂと、これらカードユニット３ｂにデータ通信可能に接続され、該接続されている各カードユニット３ｂの管理や、カードユニット３ｂにおいてＢ社プリペイドカードやＢ社統合会員カードから使用された使用金額や当該遊技場におけるＢ社プリペイドカードやＢ社統合会員カードに残存する残存金額等を管理するために、運営機関Ｂ社から提供されて該遊技場Ｄ内に設置されたＢ社カード管理端末１０ｂと、該遊技場Ｇの会員を管理するために運営機関Ｃ社にて提供されたＣ社・会員管理端末１１ｃとが設置されている。
【００６３】
そして、これらＢ社カード管理端末１０ｂは、図示しないＢ社中央管理装置との間において、該遊技場Ｇにおいて使用された遊技用残額や各Ｂ社プリペイドカードや各Ｂ社統合会員カードに残存する遊技用残額を管理するための各種データの授受が可能とされているとともに、Ｃ社・会員管理端末１１ｃは運営機関Ｃ社にて提供されているので、該運営機関Ｃが管理するＣ社中央管理装置１０１との間において、該遊技場Ｇにおいて使用されたＢ社統合会員カードに記録されているＣ社会員ＩＤ等を含む後述する消費情報等の各種のデータの送信が可能とされている。
【００６４】
この遊技場Ｇにおいては、カードユニット３ｂにＢ社統合会員カードが挿入されてから返却されるまでの間において、当該カードユニット３ｂに挿入されたＢ社統合会員カードから使用された消費金額や、対応するパチンコ機２における大当り回数、可変表示装置における可変表示のスタート回数、打込玉数等の会員遊技情報がＣ社・会員管理端末１１ｃにて収集され、これら収集された消費金額や会員遊技情報並びにＢ社統合会員カードから読み出したＣ社会員ＩＤとから成る図５（ｄ）に示すＣ社送信データ列を含む消費情報が、消費情報送信要求の受信に応じてＣ社中央管理装置１０１に送信されるとともに、該消費情報がＣ社中央管理装置１０１からポイント管理装置２００に中継される。
【００６５】
これらＢ社統合会員カードが挿入されてから返却されるまでの間における消費金額や、大当り回数、スタート回数、打込玉数等の会員遊技情報は、Ｂ社統合会員カードがカードユニット３ｂに挿入、返却される際に、該挿入されたＢ社統合会員カードから読み出されたＣ社会員ＩＤを含む会員カード受付通知や会員カード返却通知が、該カードユニット３ｂからＣ社・会員管理端末１１ｃに送信されることに基づいて取得（特定）される。
【００６６】
具体的にＣ社・会員管理端末１１ｃは、カードユニット３ｂにＢ社統合会員カードが挿入されることにより会員カード受付通知を受信したことに応じて該時点における対応するパチンコ機２の大当り回数、スタート回数、打込玉数等の遊技情報を、遊技場Ｇ内に設置された各パチンコ機２の遊技情報を収集、管理する図示しないホールコンピュータから取得して、受信した会員カード受付通知に含まれるＣ社会員ＩＤに対応付けて遊技開始時遊技情報として記憶しておくとともに、該Ｃ社会員ＩＤに対応付けて消費金額として「０」を記憶しておく。
【００６７】
そして、Ｂ社統合会員カードが挿入されている間に、貸出処理が実施された場合には、該Ｂ社統合会員カードに記憶されている遊技用残額から該貸出処理に使用された使用金額と、該挿入中のＢ社統合会員カードに記憶されているＣ社会員ＩＤとを含む使用通知がカードユニット３ｂから送信されるので、該使用通知の受信に応じて該使用通知に含まれるＣ社会員ＩＤに対応して記憶している消費金額に、該使用通知に含まれる使用金額を加算更新していき、Ｂ社統合会員カードの返却による会員カード返却通知の受信時において該受信した会員カード返却通知に含まれるＣ社会員ＩＤに対応付けて記憶している消費金額を読み出すことで、Ｂ社統合会員カードが挿入されてから返却されるまでの間における消費金額を特定する一方、会員カード返却通知を受信した時点における対応するパチンコ機２の大当り回数、スタート回数、打込玉数等の遊技情報をホールコンピュータから取得して、これら取得した返却時における遊技情報と、受信した会員カード返却通知に含まれるＣ社会員ＩＤに対応付けて記憶している遊技開始時遊技情報との差から、該Ｂ社統合会員カードが挿入されてから返却されるまでの間における会員遊技情報を特定し、これら特定した消費金額並びに会員遊技情報（大当り回数、スタート回数、打込玉数等）とＣ社会員ＩＤとを含む図５（ｄ）のＣ社送信データ列を消費情報として記憶しておき、該消費情報が消費情報送信要求の受信に応じて送信される。
【００６８】
また、遊技場Ｈにおいては、ポイント管理装置２００を運営する運営機関Ａ社にて提供されるＡ社プリペイドカードと、該運営機関Ａ社とは異なる運営機関Ｃ社にて提供されて管理されるＣ社会員ＩＤが記憶されたＣ社非統合会員カードが使用されており、これらＡ社プリペイドカードに記憶されている残存金額を該遊技場Ｈ内に設置された複数のパチンコ機２に対して１対１に対応して設けられ、対応するパチンコ機２におけるパチンコ玉の貸し出しに使用させるための貸出処理等を実施するカードユニット３ａ’と、これらカードユニット３ａ’にデータ通信可能に接続され、該接続されている各カードユニット３ａ’の管理や、カードユニット３ａ’においてＡ社プリペイドカードから使用された使用金額や当該遊技場におけるＡ社プリペイドカードに残存する残存金額等を管理するために、運営機関Ａ社から提供されて該遊技場Ｈ内に設置されたＡ社カード管理端末１０ａと、該遊技場Ｈの会員を管理するために運営機関Ｃ社にて提供されたＣ社・会員管理端末１１ｃとが設置されている。
【００６９】
そして、これらＡ社カード管理端末１０ａは、Ａ社中央管理装置１００との間において、該遊技場Ｈにおいて使用された遊技用残額や各Ａ社プリペイドカードに残存する遊技用残額を管理するための各種データの授受が可能とされているとともに、Ｃ社・会員管理端末１１ｃは運営機関Ｃ社にて提供されているので、該運営機関Ｃが管理するＣ社中央管理装置１０１との間において、該遊技場Ｈにおいて使用されたＣ社非統合会員カードに記録されているＣ社会員ＩＤ等を含む後述する消費情報等の各種のデータの送信が可能とされている。
【００７０】
この遊技場Ｈにおいては、カードユニット３ａ’の会員カード挿入口にＣ社非統合会員カードが挿入されてから返却されるまでの間において、当該カードユニット３ａ’のプリペイドカード挿入口に挿入されたＡ社プリペイドカードから使用された消費金額や、対応するパチンコ機２における大当り回数、可変表示装置における可変表示のスタート回数、打込玉数等の会員遊技情報がＣ社・会員管理端末１１ｃにて収集され、これら収集された消費金額や会員遊技情報並びにＣ社非統合会員カードから読み出したＣ社会員ＩＤとから成る図５（ｄ）に示すＣ社送信データ列を含む消費情報が、消費情報送信要求の受信に応じてポイント管理装置２００に送信される。
【００７１】
これらＣ社非統合会員カードが挿入されてから返却されるまでの間における消費金額や、大当り回数、スタート回数、打込玉数等の会員遊技情報は、Ｃ社非統合会員カードがカードユニット３ａ’に挿入、返却される際に、該挿入されたＣ社非統合会員カードから読み出されたＣ社会員ＩＤを含む会員カード受付通知や会員カード返却通知が、該カードユニット３ａ’からＣ社・会員管理端末１１ｃに送信されることに基づいて取得（特定）される。
【００７２】
具体的には、この遊技場Ｈに設置されているカードユニット３ａ’には、Ａ社のプリペイドカードを挿入する図示しないプリペイドカード挿入口と、Ｃ社非統合会員カードを挿入する図示しない会員カード挿入口の２つの挿入口が設けられており、会員カード挿入口にＣ社非統合会員カードが挿入されることにより会員カード受付通知を受信したことに応じてＣ社・会員管理端末１１ｃは、該時点における対応するパチンコ機２の大当り回数、スタート回数、打込玉数等の遊技情報を、遊技場Ｈ内に設置された各パチンコ機２の遊技情報を収集、管理する図示しないホールコンピュータから取得して、受信した会員カード受付通知に含まれるＣ社会員ＩＤに対応付けて遊技開始時遊技情報として記憶しておくとともに、該Ｃ社会員ＩＤに対応付けて消費金額として「０」を記憶しておく。
【００７３】
そして、会員カード挿入口にＣ社非統合会員カードが挿入されている間に、貸出処理によりＡ社プリペイドカードが使用された場合には、該貸出処理に使用された使用金額と、会員カード挿入口に挿入中のＣ社非統合会員カードに記憶されているＣ社会員ＩＤとを含む使用通知がカードユニット３ａ’から送信されるので、該使用通知の受信に応じて該使用通知に含まれるＣ社会員ＩＤに対応して記憶している消費金額に、該使用通知に含まれる使用金額を加算更新していき、Ｃ社非統合会員カードの返却による会員カード返却通知の受信時において該受信した会員カード返却通知に含まれるＣ社会員ＩＤに対応付けて記憶している消費金額を読み出すことで、Ｃ社非統合会員カードが挿入されてから返却されるまでの間における消費金額を特定する一方、会員カード返却通知を受信した時点における対応するパチンコ機２の大当り回数、スタート回数、打込玉数等の遊技情報をホールコンピュータから取得して、これら取得した返却時における遊技情報と、受信した会員カード返却通知に含まれるＣ社会員ＩＤに対応付けて記憶している遊技開始時遊技情報との差から、該Ｃ社非統合会員カードが挿入されてから返却されるまでの間における会員遊技情報を特定し、これら特定した消費金額並びに会員遊技情報（大当り回数、スタート回数、打込玉数等）とＣ社会員ＩＤとを含む図５（ｄ）のＣ社送信データ列を消費情報として記憶しておき、該消費情報が消費情報送信要求の受信に応じて送信される。
【００７４】
ここで、本実施例のＡ社中央管理装置１００について簡潔に説明すると、これらＡ社中央管理装置１００は、比較的処理能力の優れたサーバコンピュータにて形成されており、該Ａ社中央管理装置１００は、Ａ社プリペイドカードやＡ社統合会員カードを使用する各遊技場に設置されたＡ社カード管理端末１０ａに接続されており、各遊技場において使用される、これらＡ社プリペイドカードやＡ社統合会員カードに記憶されている（会員）カードＩＤに対応付けて、該Ａ社プリペイドカードやＡ社統合会員カードに残存する遊技用残額や、使用の可・不可等のカードに関する情報とともに、各遊技場においてＡ社プリペイドカードやＡ社統合会員カードから遊技に利用された金額等の営業情報等を管理する。
【００７５】
また、Ａ社中央管理装置１００は、ポイント管理装置２００が図１３に示す消費情報収集処理を実施することにより、所定時刻、具体的には、営業終了時（例えば２３時）から所定時間が経過した時点（例えば、深夜１時等）において、ポイント管理装置２００から消費情報送信要求を受信したことに応じて、図示しない送信対象テーブルに記憶されている送信対象の遊技場Ａ、Ｂの各Ａ社カード管理端末１０ａに対して、順次、消費情報送信要求を送信して、前述したＡ社送信データ列（１）またはＡ社送信データ列（２）を含む消費情報を取得し、該取得した消費情報をポイント管理装置２００に対して中継する。
【００７６】
尚、送信対象テーブルのデータは、ポイント管理装置２００における設定、具体的には、図１２に示す第３カード利用遊技場設定において、本発明における第１会員識別情報となるＡ社会員カードＩＤと、本発明における第２会員識別情報となるＣ社会員ＩＤとの双方が記憶された本発明における第３記録媒体となるＡ社統合会員カード（２）を使用する第３記録媒体使用店舗となる遊技場Ｂのポイントを、Ａ社会員カードＩＤを管理する運営機関Ａ社にて管理するか、或いはＣ社会員ＩＤを管理する運営機関Ｃ社にて管理するかの選択設定に基づくデータが、ポイント管理装置２００から送信されて更新されるようになっており、例えば、図１２に示す第３カード利用遊技場設定において、運営機関Ａ社にて管理するように設定されている場合には、これら送信対象テーブルのデータとして、遊技場Ｂも消費情報送信要求の送信先であることを示すデータがポイント管理装置２００から送信されて、送信対象テーブルのデータが更新されることにより、遊技場Ｂにも消費情報送信要求が送信されるようになる一方、第３カード利用遊技場設定において、運営機関Ｃ社にてポイントを管理するように設定されている場合には、これら送信対象テーブルのデータとして、消費情報送信要求の送信先として遊技場Ｂを含まないデータがポイント管理装置２００から送信されて、送信対象テーブルのデータが更新されることにより、遊技場Ｂには消費情報送信要求が送信されないようになっている。
【００７７】
また、本実施例のＣ社中央管理装置１０１についても簡潔に説明すると、これらＣ社中央管理装置１０１は、比較的処理能力の優れたサーバコンピュータにて形成されており、該Ｃ社中央管理装置１０１は、運営機関Ｃ社が提供、管理するＣ社会員ＩＤが記憶された統合会員カード若しくは非統合会員カードを使用する遊技場Ｂ、Ｃ、Ｇ、Ｈに設置されているＣ社・会員管理装置１１ｃにて管理されている、各会員に関する各種の情報である会員関連情報を、Ｃ社会員ＩＤに対応付けて管理する。
【００７８】
また、Ｃ社中央管理装置１０１は、ポイント管理装置２００が図１３に示す消費情報収集処理を実施することにより、１日の所定時間、具体的には、営業終了時（例えば２３時）から所定時間が経過した時点（例えば、深夜１時等）において、ポイント管理装置２００から消費情報送信要求を受信したことに応じて、図示しない送信対象テーブルに記憶されている送信対象の遊技場Ｃ、Ｇ、Ｈの各Ｃ社・会員管理装置１１ｃに対して、順次、消費情報送信要求を送信して、Ｃ社送信データ列を含む消費情報を取得し、該取得した消費情報をポイント管理装置２００に対して中継する。
【００７９】
尚、送信対象テーブルのデータは、ポイント管理装置２００における設定、具体的には、図１２に示す第３カード利用遊技場設定において、本発明における第３記録媒体使用店舗となる遊技場Ｂのポイントを、運営機関Ａ社にて管理するか、或いは運営機関Ｃ社にて管理するかの選択設定に基づくデータが、ポイント管理装置２００から送信されて更新されるようになっており、例えば、前述のように、運営機関Ａ社にて管理するように設定されている場合には、これら送信対象テーブルのデータとして、遊技場Ｂを消費情報送信要求の送信先として含まないデータがポイント管理装置２００から送信されて、送信対象テーブルのデータが更新されることにより、遊技場Ｂには消費情報送信要求が送信されないようになる一方、第３カード利用遊技場設定において、運営機関Ｃ社にてポイントを管理するように設定されている場合には、これら送信対象テーブルのデータとして、遊技場Ｂを消費情報送信要求の送信先として含むデータがポイント管理装置２００から送信されて、送信対象テーブルのデータが更新されることにより、遊技場Ｂにも消費情報送信要求が送信されるようになる。
【００８０】
また、本実施例のＡ社カード生産工場におけるエンコードシステムについて簡潔に説明すると、エンコードシステムにおいては、Ａ社カード生産工場において生産されるＡ社統合会員カードに対して、第１会員識別情報となるＡ社会員ＩＤや、第２会員識別情報となるＣ社会員ＩＤ若しくはＤ社会員ＩＤを書き込み記憶するとともに、これら各会員ＩＤを書き込み記憶するＡ社統合会員カードからＡ社会員カードＩＤを読み出すものであり、これら読み出されたＡ社会員カードＩＤと書き込まれた各会員ＩＤ（Ａ社、Ｃ社、Ｄ社）と、納入先の遊技場の遊技場ＩＤとが、対応付けてエンコードシステム管理装置１５０に生産情報として記憶、管理されるとともに、これら生産情報がＡ社中央管理装置１００とポイント管理装置２００とに対して送信される。
【００８１】
次に、本発明におけるポイント管理装置２００について以下に説明すると、ポイント管理装置２００は、図４に示すように、コンピュータ内部にてデータの送受を行うデータバス２０１に、該ポイント管理装置２００が実施する消費情報の収集処理や、受信した消費情報に含まれている送信データ列を変換する受信データ変換処理や、ポイントの統合の受付け等において本人認証に必要となる認証情報の収集処理や、収集した消費情報に基づくポイント付与処理や、異なる遊技場におけるポイントを統合する統合処理等の各種処理を行うＣＰＵ２０２、処理時の一時記憶領域等として使用されるＲＡＭ２０３、その時点の時刻情報や日付情報等を出力するリアルタイムクロック（ＲＴＣ）２０４、磁気ディスクや光磁気ディスクから成る記憶装置２０５、遊技場Ｄ〜Ｆに設置されたＤ社・会員管理端末１１ｄとのデータ通信を行うデジタルサービスユニット（ＤＳＵ）２０６、インターネット網９を介して各会員の携帯電話機５やパソコン６とのデータ通信を実施するための第１通信インターフェイス２０７、当該ポイント管理装置２００を運営する運営機関Ａ社が管理するＡ社中央管理装置１００やエンコードシステム管理装置１５０並びにリモート操作端末５０とのデータ通信を実施するための第２通信インターフェイス２０８、運営機関Ｃ社が管理するＣ社中央管理装置１０１とのデータ通信を実施するための第３通信インターフェイス２０９が接続された処理能力に優れた通常のサーバコンピュータである。
【００８２】
また、記憶装置２０５には、ポイント管理装置２００が実施する処理内容が記述された処理プログラムに加えて、図５（ａ）に示す提携機関情報テーブルが記憶されているとともに、該ポイント管理装置２００を運営する運営会社Ａ社が提供するＡ社ポイントが付与される会員、具体的には遊技場Ａ、Ｂの会員の情報並びに各会員が所有するポイントを管理するための本発明の第１ポイント管理部となるＡ社記憶領域２０５ａと、ポイント管理装置２００を運営する運営会社Ａ社とは異なる他運営機関となる運営会社Ｃ社が提供するＣ社ポイントが付与される会員、具体的には、遊技場Ｃ、Ｇ，Ｈの会員の情報並びに各会員が所有するポイントを管理するための本発明の第２ポイント管理部となるＣ社記憶領域２０５ｃと、ポイント管理装置２００を運営する運営会社Ａ社とは異なる他運営機関となる運営会社Ｄ社が提供するＤ社ポイントが付与される会員、具体的には、遊技場Ｄ、Ｅ，Ｆの会員の情報並びに各会員が所有するポイントを管理するための本発明の第２ポイント管理部となるＤ社記憶領域２０５ｄと、が設けられている。
【００８３】
まず、本実施例の提携機関情報テーブルには、図５（ａ）に示すように、本発明における他運営機関となる提携機関に関する情報が記憶されており、具体的には、提携機関名と、送信データ列に付与されている他運営機関識別情報となるシンボルデータ、該提携機関に割り当てられた記憶装置２０５における記憶領域アドレス、送信データ列を変換するために使用される認識規則データの定義ファイル名、後述するポイント付与条件設定画面において当該提携機関に対して設定されたポイント付与条件が記憶された付与条件の定義ファイル名、該提携機関のポイントを利用できるサービスの種別と必要となるポイント数等の情報が記憶された利用サービス定義ファイル名、ポイントの付与により当該提携機関に請求する請求額等の情報が記憶された請求ファイル名が、対応付けて記憶されている。
【００８４】
つまり、本実施例の提携機関情報テーブルは、本発明の他提供機関データ認識規則記憶部に該当する。
【００８５】
また、記憶領域２０５ａには、運営機関Ａ社が提供するＡ社ポイントが付与される遊技場Ａ、Ｂの情報が記憶される図６（ａ）のＡ社遊技場情報テーブルと、これらＡ社ポイントが付与される遊技場Ａ、Ｂの会員に関する情報が記憶される図７に示すＡ社会員情報テーブルが記憶されており、記憶領域２０５ｃには、運営機関Ｃ社が提供するＣ社ポイントが付与される遊技場Ｃ、Ｇ、Ｈの情報が記憶される図６（ｂ）のＣ社遊技場情報テーブルと、これらＣ社ポイントが付与される遊技場Ｃ、Ｇ、Ｈの会員に関する情報が記憶される図８に示すＣ社会員情報テーブルが記憶されており、記憶領域２０５ｄには、運営機関Ｄ社が提供するＤ社ポイントが付与される遊技場Ｄ、Ｅ、Ｆの情報が記憶される図６（ｃ）のＤ社遊技場情報テーブルと、これらＤ社ポイントが付与される遊技場Ｄ、Ｅ、Ｆの会員に関する情報が記憶される図９に示すＤ社会員情報テーブルが記憶されている。
【００８６】
尚、図示しないが、各記憶領域２０５ａ、２０５ｃ、２０５ｄには、各運営機関Ａ，Ｃ、Ｄのポイントの交換履歴や、抽選の当選情報等が記憶されているとともに、各遊技場Ａ〜Ｈから会員へのメール送信の許諾に関するメール送信許諾情報テーブル等が記憶されている。
【００８７】
具体的に、本実施例のＡ社遊技場情報テーブルには、図６（ａ）に示すように、遊技場Ａと遊技場Ｂの遊技場ＩＤに対応付けて、Ａ社カード生産工場から遊技場Ａまたは遊技場Ｂに発送された統合会員カードに記憶されている会員カードＩＤの範囲データと、遊技場名と、所在地と、各遊技場がチェーン店関係にある遊技場の遊技場ＩＤとが記憶されており、これら「対応会員カードＩＤ」の項目に格納されている会員カードＩＤの範囲データは、エンコードシステム管理装置１５０から送信される生産情報に基づいて更新されることで、会員カードＩＤによって該会員カードＩＤが記憶されているＡ社統合会員カードが使用されている遊技場を特定できるようになっているとともに、各遊技場がチェーン店関係にある他の遊技場も特定できるようになっている。
【００８８】
また、本実施例のＣ社遊技場情報テーブルには、図６（ｂ）に示すように、遊技場Ｃ〜Ｈの各遊技場ＩＤに対応付けて、遊技場名と、所在地と、各遊技場がチェーン店関係にある遊技場の遊技場ＩＤとが記憶されており、各遊技場がチェーン店関係にある他の遊技場を特定できるようになっている。
【００８９】
また、本実施例のＤ社遊技場情報テーブルには、図６（ｃ）に示すように、遊技場Ｅ〜Ｇの各遊技場ＩＤに対応付けて、遊技場名と、所在地と、ＤＳＵ２０６によりＤ社・会員管理装置１１ｄに接続するための接続回線番号と、各遊技場がチェーン店関係にある遊技場の遊技場ＩＤとが記憶されており、各遊技場がチェーン店関係にある他の遊技場を特定できるようになっている。
【００９０】
次に、本実施例の記憶領域２０５ａに記憶されているＡ社会員情報テーブルには、図７に示すように、各会員の電子メールアドレスに対応付けて、該会員が会員となっている遊技場の遊技場ＩＤと、該会員が所有するＡ社統合会員カードに記憶されている会員カードＩＤと、Ａ社会員ＩＤ（遊技場Ａのみ）、Ｃ社会員ＩＤ（遊技場Ｂのみ）、会員登録時に申し込んだ初期暗証番号と、Ａ社会員サイトへのログイン時に使用する暗証番号と、生年月日、性別、氏名、郵便番号、住所、電話番号から成る会員属性情報と、各遊技場において所有しているＡ社ポイントと、統合要求により統合された各遊技場において所有しているＡ社ポイントの合計である統合ポイントと、が記憶されている。
【００９１】
この本実施例のＡ社会員情報テーブルには、「○○太郎」会員のように、既にポイントが統合された会員の情報とともに、電子メールアドレス「ｙｕ５.ｄｒｓ＠ｙｙｙ．…」の会員のように、会員となっている遊技場Ａと遊技場Ｂについて、Ａ社会員サイトへの登録を実施してＡ社ポイントが既に付与されているが、図７（ａ）に示すように、これら遊技場Ａと遊技場ＢのＡ社ポイントが未統合である会員の情報も記憶されており、これら「ｙｕ５.ｄｒｓ＠ｙｙｙ．…」の会員が、Ａ社会員サイトにアクセスして、遊技場Ａと遊技場ＢのＡ社ポイントの統合要求を実施した場合には、後述する図１８に示すカード統合処理が実施されることにより、図７（ｂ）に示すように、「ｙｕ５.ｄｒｓ＠ｙｙｙ．…」の会員の遊技場Ａと遊技場Ｂの所有ポイントが合算されて総合ポイントに格納される。
【００９２】
次に、本実施例の記憶領域２０５ｃに記憶されているＣ社会員情報テーブルには、図８に示すように、各会員の電子メールアドレスに対応付けて、該会員が会員となっている遊技場の遊技場ＩＤと、該会員が所有するＢ社統合会員カード若しくはＣ社非統合会員カードに記憶されているＣ社会員ＩＤと、会員登録時に申し込んだ初期暗証番号と、Ｃ社会員サイトへのログイン時に使用する暗証番号と、生年月日、性別、氏名、郵便番号、住所、電話番号から成る会員属性情報と、各遊技場において所有しているＣ社ポイントと、統合要求により統合された各遊技場において所有しているＣ社ポイントの合計である統合ポイントと、が記憶されている。
【００９３】
この本実施例のＣ社会員情報テーブルには、「○△次郎」会員のように、既にＣ社ポイントが統合された会員の情報とともに、電子メールアドレス「５５５ｒｏ＠ｇｇｇ．…」の会員のように、会員となっている遊技場Ｃと遊技場Ｇについて、Ｃ社会員サイトへの登録を実施してＣ社ポイントが既に付与されているが、図８（ａ）に示すように、これら遊技場Ｃと遊技場ＧのＣ社ポイントが未統合である会員の情報も記憶されており、これら「５５５ｒｏ＠ｇｇｇ．…」の会員が、Ｃ社会員サイトにアクセスして、遊技場Ｃと遊技場ＧのＣ社ポイントの統合要求を実施した場合には、後述する図１８に示すカード統合処理が実施されることにより、図８（ｂ）に示すように、「５５５ｒｏ＠ｇｇｇ．…」の会員の遊技場Ｃと遊技場Ｇの所有ポイントが合算されて総合ポイントに格納される。
【００９４】
また、本実施例の記憶領域２０５ｄに記憶されているＤ社会員情報テーブルも、図９に示すように、Ｃ社会員情報テーブルと同様とされており、各会員の電子メールアドレスに対応付けて、該会員が会員となっている遊技場の遊技場ＩＤと、該会員が所有する各社統合会員カード若しくはＤ社非統合会員カードに記憶されているＤ社会員ＩＤと、会員登録時に申し込んだ初期暗証番号と、Ｄ社会員サイトへのログイン時に使用する暗証番号と、生年月日、性別、氏名、郵便番号、住所、電話番号から成る会員属性情報と、各遊技場において所有しているＤ社ポイントと、統合要求により統合された各遊技場において所有しているＤ社ポイントの合計である統合ポイントと、が記憶されている。
【００９５】
この本実施例のＤ社会員情報テーブルにおいても、Ｃ社会員情報テーブルと同様に、図示しないが既にＤ社ポイントが統合された会員の情報とともに、電子メールアドレス「ｓｉｒｏｕ＠ｊｊｊ．…」の会員のように、会員となっている遊技場Ｄと遊技場Ｅと遊技場Ｆについて、Ｄ社会員サイトへの登録を実施してＤ社ポイントが既に付与されているが、図９（ａ）に示すように、これら遊技場Ｄと遊技場Ｅと遊技場ＦのＤ社ポイントが未統合である会員の情報も記憶されており、これら「ｓｉｒｏｕ＠ｊｊｊ．…」の会員が、Ｄ社会員サイトにアクセスして、遊技場Ｄと遊技場Ｅと遊技場ＦのＤ社ポイントの統合要求を実施した場合には、後述する図１８に示すカード統合処理が実施されることにより、図９（ｂ）に示すように、「ｓｉｒｏｕ＠ｊｊｊ．…」の会員の遊技場Ｄと遊技場Ｅと遊技場Ｆの所有ポイントが合算されて総合ポイントに格納される。
【００９６】
ここで、本実施例のポイント管理装置２００における各種の設定を実施する流れについて、図１０〜図１２を用いて説明すると、本実施例においては、これらポイント管理装置２００における各種の設定は、営業管理センター（本社）に設置されているリモート操作端末５０において実施できるようになっている。
【００９７】
具体的に、これらリモート操作端末５０において実施できる設定内容としては、図１０（ａ）に示すポイント付与条件設定画面におけるポイント付与条件や、図１０（ｂ）に示すポイント利用条件設定画面におけるポイント利用条件や、図１１（ａ）、（ｂ）に示すグループ店舗設定画面におけるグループ店舗設定や、図１２に示す第３カード利用遊技場設定における管理所属機関設定とされている。
【００９８】
まず、ポイント付与条件設定について説明すると、図１０（ａ）に示すポイント付与条件設定画面においては、他運営機関となる運営機関Ｃ社並びに運営機関Ｄ社毎に、個別にポイント付与の付与対象とする対象情報の種別と、該付与対象種別の対象情報に対して付与するポイント数のレートと、異なる遊技場のポイントの統合の可否を設定できるようになっている。
【００９９】
この本実施例のポイント付与条件設定画面には、図１０（ａ）に示すように、設定対象とする他運営機関を選択する「対象機関」の選択部５１と、ポイント付与の対象とする対象情報の種別を選択する「付与対象情報種別」の選択部５２と、「付与対象情報種別」の項目にて選択した付与対象種別の対象情報に対して付与するポイント数のレートを選択する「付与レート」の選択部５３と、「対象機関」の項目にて選択した他運営機関の異なる遊技場におけるポイントの統合を許諾するか否かを選択する「ポイント統合」の選択部５４と、各選択部にて選択した内容を設定する際に選択操作する「設定」の選択入力部５５とが設けられている。
【０１００】
具体的に「対象機関」の選択部５１においては、運営機関Ｃ社と運営機関Ｄ社の名称が選択可能とされているとともに、「付与対象情報種別」の選択部５２においては、前述したＣ社送信データ列並びにＤ社送信データ列に含まれる対象情報である、「消費金額」、「大当り回数」、「スタート回数」、「打込回数」等の各種の対象情報が選択可能とされ、「付与レート」の選択部５３においては、例えば、「付与対象情報種別」の選択部５２において「大当り回数」を選択した場合であれば、「１ポイント／１回」や「２ポイント／１回」のように、選択した付与対象情報の種別に応じた選択メニューが選択可能とされ、「ポイント統合」の選択部５４においては、「許諾」と「不可」が選択可能とされている。
【０１０１】
つまり、例えば、運営機関Ｃ社から、該Ｃ社のポイント付与サービスを提供する場合に、その付与対象として、会員の遊技における大当り１回に１ポイントを付与し、異なる遊技場のポイントを統合できるようにしたいとの要望がある場合には、「対象機関」の選択部５１において運営機関Ｃ社の名称を選択し、「付与対象情報種別」の選択部５２において「大当り回数」を選択し、「付与レート」の選択部５３において「１ポイント／１回」を選択し、「ポイント統合」の選択部５４において「許諾」を選択した後、「設定」の選択入力部５５を選択入力すれば良く、該「設定」の選択入力部５５を選択入力に応じて、提携機関情報テーブルのＣ社付与条件定義ファイルが、該設定内容が反映されたＣ社付与条件定義ファイルに更新される。
【０１０２】
つまり、本実施例のポイント管理装置２００は、ポイント付与対象情報の種類（図１０（ａ）に示すポイント付与条件設定画面における付与対象使用情報において選択可能な消費金額、大当り回数、スタート回数、打込玉数）および／またはポイント付与対象情報に対して付与するポイント数のレート（ポイント付与条件設定画面における付与レート）を、他運営機関毎（運営機関Ｃ社、運営機関Ｄ社）に設定するためのポイント付与条件設定画面をリモート操作端末５０に出力しており、該リモート操作端末５０、ポイント付与条件設定画面により、本発明の第２ポイント設定手段が形成される。
【０１０３】
また、本実施例のポイント管理装置２００は、第２ポイント管理部（記憶領域２０５ｃ；Ｃ社会員情報テーブル、記憶領域２０５ｄ；Ｄ社会員情報テーブル）に記憶されているポイントの合算を許諾するか否かを、他運営機関（運営機関Ｃ社、運営機関Ｄ社）毎に個々に設定するためのポイント付与条件設定画面をリモート操作端末５０に出力しており、該リモート操作端末５０、ポイント付与条件設定画面により、本発明のポイント統合設定手段が形成される。
【０１０４】
次に、ポイント利用条件設定について説明すると、図１０（ｂ）に示すポイント利用条件設定画面においては、他運営機関となる運営機関Ｃ社並びに運営機関Ｄ社毎に、個別にポイントの使用対象を、抽選および／または商品交換とするか、並びに、抽選または商品交換において必要となるポイント数を設定できるようになっている。
【０１０５】
この本実施例のポイント利用条件設定画面には、図１０（ｂ）に示すように、設定対象とする他運営機関を選択する「対象機関」の選択部６０と、抽選に関する設定を行う抽選設定部６１と、商品交換に関する設定を行う商品交換設定部６２とが設けられており、これら抽選設定部６１と商品交換設定部６２には、各々にチェックボックスが対応して設けられていて、該チェックボックスを選択することで、ポイントの利用対象を抽選と商品交換のいずれかとするか、又は、抽選と商品交換の双方とするかを設定できるようになっている。
【０１０６】
そして、抽選設定部６１には、抽選への申し込み単位とする「口数」を何ポイントとするかを設定するための１口レート設定部６３が設けられているとともに、抽選Ａ〜抽選Ｈまでの項目が、口数選択部に対応して設けられており、その時点において利用できる抽選（アクティブ表示されている抽選Ａ〜Ｆ）について、参加に必要とする口数を個々に選択して設定できるようになっている。
【０１０７】
また、商品交換部６２には、交換商品として登録されている商品Ａ〜商品Ｅまでの各項目毎に、交換に必要とするポイント数を選択設定するためのポイント数設定部が設けられており、その時点にてポイントと交換できる各商品の交換に必要とするポイント数を設定できるようになっている。
【０１０８】
つまり、運営機関Ｃ社のポイント利用について、例えば、抽選と商品交換を可能としたい場合には、抽選設定部６１と商品交換設定部６２の双方のチェックボックスを選択してチェックするとともに、各抽選設定部６１と商品交換設定部６２内における口数若しくはポイント数を選択設定した後、「設定」の選択入力部６４を選択入力すれば良く、該「設定」の選択入力部６４を選択入力に応じて、提携機関情報テーブルのＣ社利用条件定義ファイルが、該設定内容が反映されたＣ社利用条件定義ファイルに更新される。
【０１０９】
また、グループ店舗設定について説明すると、本実施例のポイント管理装置２００においては、ポイント付与条件設定画面においてポイント統合を「許諾」に設定しても、異なる遊技場が、グループ店舗（チェーン店）として設定されていないとポイント統合が許可されないようになっているので、それぞれの運営機関毎に、グループ店舗（チェーン店）を設定しておく。
【０１１０】
この本実施例のグループ店舗設定画面には、設定対象とする他運営機関を選択する「対象機関」の選択部７０と、グループを構成する各遊技場を選択するグループ店舗１〜５の店舗選択部７１〜７５と、選択した内容を設定する際に選択操作する「設定」の選択入力部７６とが設けられている。
【０１１１】
具体的に「対象機関」の選択部７０においては、運営機関Ｃ社と運営機関Ｄ社の名称が選択可能とされているとともに、本実施例では、運営機関Ｃ社によるＣ社ポイントが提供される遊技場Ｃ、Ｇ、Ｈの内、遊技場Ｃと遊技場Ｇとがチェーン店であるので、図１１（ａ）に示すように、これら遊技場Ｃと遊技場Ｇとを店舗選択部７１、７２において選択した後、「設定」の選択入力部７６を選択入力すれば良く、該「設定」の選択入力部７６の選択入力に応じて、図６（ｂ）のＣ社遊技場情報テーブルの遊技場Ｃに対応するチェーン店ＩＤの項目に遊技場Ｇの遊技場ＩＤが格納されるとともに、遊技場Ｇに対応するチェーン店ＩＤの項目に遊技場Ｃの遊技場ＩＤが格納される。
【０１１２】
また、本実施例では、運営機関Ｄ社によるＤ社ポイントが提供される遊技場Ｄ、Ｅ、Ｆは、全てチェーン店であるので、図１１（ｂ）に示すように、「対象機関」の選択部７０において運営機関Ｄ社の名称を選択するとともに、これら遊技場Ｄと遊技場Ｅと遊技場Ｆを店舗選択部７１、７２、７３において選択した後、「設定」の選択入力部７６を選択入力すれば良く、該「設定」の選択入力部７６の選択入力に応じて、図６（ｃ）のＤ社遊技場情報テーブルの遊技場Ｄに対応するチェーン店ＩＤの項目に遊技場Ｅ、Ｆの遊技場ＩＤが格納され、遊技場Ｅに対応するチェーン店ＩＤの項目に遊技場Ｄ、Ｆの遊技場ＩＤが格納されるとともに、遊技場Ｆに対応するチェーン店ＩＤの項目に遊技場Ｄ、Ｅの遊技場ＩＤが格納される。
【０１１３】
つまり、本実施例のポイント管理装置２００は、複数のポイント運営機関記録媒体使用店舗（遊技場Ａ、Ｂ）または複数の他運営機関記録媒体使用店舗（遊技場Ｃ〜Ｈ）をグループ店舗（チェーン店）として設定するためのグループ店舗設定画面をリモート操作端末５０に出力しており、該リモート操作端末５０、グループ店舗設定画面により、本発明のグループ設定手段が形成される。
【０１１４】
更に、第３カード利用遊技場における管理所属機関設定について説明すると、本実施例においては、Ａ社統合会員カード（２）には、本発明の第１会員識別情報となる運営機関Ａ社が提供、管理するＡ社会員カードＩＤと、他運営機関となる運営機関Ｃ社が提供、管理するＣ社会員ＩＤとが記憶されている本発明の第３記録媒体に該当し、これら第３記録媒体を使用する遊技場Ｂにおいては、運営機関Ａ社と運営機関Ｃ社のいずれでも、ポイントの付与、管理が可能であることから、これら第３記録媒体となるＡ社統合会員カード（２）を使用する遊技場Ｂについて、運営機関Ａ社と運営機関Ｃ社のどちらで、ポイントの付与、管理を行うかを設定できるようになっている。
【０１１５】
この本実施例の第３カード利用遊技場設定画面には、図１２に示すように、設定対象とするＡ社統合会員カード（２）を使用する遊技場Ｂを選択する「対象遊技場」の選択部８０と、ポイントの付与、管理を行う運営機関を選択する管理所属機関名を選択する「管理所属機関」の選択部８１と、各選択部にて選択した内容を設定する際に選択操作する「設定」の選択入力部８２とが設けられている。
【０１１６】
具体的に、遊技場Ｂにおけるポイントの付与、管理を運営機関Ａ社側で実施する場合には、図１２に示すように、「対象遊技場」の選択部８０に遊技場Ｂを選択し、「管理所属機関」の選択部８１において運営機関Ａ社を選択して、「設定」の選択入力部８２を選択入力すれば良く、該「設定」の選択入力部８２の選択入力に応じて、前述したように、運営機関Ａ社のＡ社中央管理装置１００に対して、遊技場Ｂを消費情報送信要求の送信対象に含むようにする送信対象テーブルのデータを送信することで、遊技場ＢからＡ社中央管理装置１００を介して消費情報がポイント管理装置２００に収集されることで、図７に示すＡ社会員情報テーブルにて、遊技場Ｂの各会員に対してポイントの付与が実施されるようになる。
【０１１７】
つまり、本実施例のポイント管理装置２００は、第３記録媒体使用店舗（遊技場Ｂ）について、第１ポイント管理部（記憶領域２０５ａ；Ａ社会員情報テーブル）において第１会員識別情報（Ａ社会員カードＩＤ）に対応付けてポイント数を管理するか、或いは第２ポイント管理部（記憶領域２０５ｃ；Ｃ社会員情報テーブル）において第２会員識別情報（Ｃ社会員ＩＤ）に対応付けてポイント数を管理するかを設定するための第３カード利用遊技場設定画面をリモート操作端末５０に出力しており、該リモート操作端末５０、第３カード利用遊技場設定画面により、本発明の第３記録媒体使用店舗設定手段が形成される。
【０１１８】
ここで、本実施例のポイント管理装置２００において、実施される各処理の内、エンコードシステム管理装置１５０からの生産情報を受信する生産情報受信処理について、図１６に基づき説明すると、まず、エンコードシステム管理装置１５０は、前述のように、Ａ社統合会員カードが納入される遊技場を個々に識別可能な遊技場ＩＤと、各Ａ社統合会員カードに記憶されたＡ社会員カードＩＤ並びにＡ社会員ＩＤ若しくはＣ社会員ＩＤが対応付けられている生産情報をポイント管理装置２００に送信する場合には、該送信に先立って、生産情報送信要求をポイント管理装置２００に送信する。
【０１１９】
この生産情報送信要求の受信は、図１６の生産情報受信処理におけるＳｃ１のステップにおいて検知されてＳｃ２のステップに進み、生産情報受信処理を実施する。具体的に該生産情報受信処理においては、生産情報送信要求の送信元のエンコードシステム管理装置１５０に対して、送信許諾通知を送信して生産情報の送信を開始させて、生産情報の受信を開始し、受信した生産情報を一時記憶する。
【０１２０】
そして、これら生産情報の受信が終了するとＳｃ３のステップに進み、受信して一時記憶した生産情報に含まれる遊技場ＩＤに対応する会員カードＩＤの範囲データを、図６（ａ）に示すＡ社遊技場情報テーブルにおいて、該遊技場ＩＤに対応する対応会員カードＩＤに追加記憶して該生産情報受信処理を終了することで、Ａ社遊技場情報テーブルの対応会員カードＩＤには、各遊技場Ａ、Ｂに対して配送されたＡ社統合会員カードの会員カードＩＤの範囲データが蓄積記憶されることで、任意の会員カードＩＤが記憶されたＡ社統合会員カードが、どの遊技場において使用されているＡ社統合会員カードであるかを、ポイント管理装置２００において特定できるようになっている。
【０１２１】
次に、本実施例のポイント管理装置２００において実施される各処理の内、各遊技場Ａ〜Ｈの会員が、ポイント管理装置２００の各運営機関Ａ、Ｃ、Ｄのサイトページにアクセスして入会登録を実施する際に、該会員が各遊技場において既に会員登録している会員であるかを認証するための認証データを収集する認証データ収集処理について図１５に基づき説明すると、まず、ポイント管理装置２００は、認証データを収集する所定時刻、例えば、営業終了時（例えば２３時）から所定時間が経過した時点（例えば、２３時３０分）になったか否かを判定し（Ｓｎ１）、所定時間となっていれば、認証データの取得対象の装置または端末、具体的には、Ａ社集中管理装置１００、Ｃ社集中管理装置１０１、Ｄ社会員管理端末１１ｄを特定し、特定した各装置または端末、例えば、Ａ社集中管理装置１００に対して認証データ送信要求を送信する。
【０１２２】
この認証データ送信要求の受信に応じてＡ社集中管理装置１００は、前述の消費情報送信要求を送信の場合と同様に、図示しない送信対象テーブルに記憶されている送信対象の遊技場Ａ、Ｂの各Ａ社カード管理端末１０ａに対して、順次、認証データ送信要求を送信する。
【０１２３】
この認証データ送信要求の受信に応じて遊技場ＡのＡ社カード管理端末１０ａは、接続されているＡ社・会員管理装置１１ａに該認証データ送信要求を中継する。これによりＡ社・会員管理装置１１ａは、新規にＡ社統合会員カードの発行を受けた新規会員のＡ社会員ＩＤと会員登録時に申し込まれた初期暗証番号と当該遊技場の遊技場ＩＤが対応付けられている認証データを生成して、Ａ社・会員管理装置１１ａを介してＡ社集中管理装置１００に送信する。
【０１２４】
また、認証データ送信要求の受信に応じて遊技場ＢのＡ社カード管理端末１０ａは、該遊技場Ｂにおいて新たに使用されたＡ社統合会員カードのＡ社会員カードＩＤとＣ社会員ＩＤの下４桁（生産情報から特定される）と当該遊技場の遊技場ＩＤが対応付けられている認証データを生成してＡ社集中管理装置１００に送信する。
【０１２５】
このようにしてＡ社集中管理装置１００に送信された該認証データは、Ａ社集中管理装置１００からポイント管理装置２００に中継される。
【０１２６】
該中継による認証データの受信は、Ｓｎ４のステップにおいて検知されてＳｎ５のステップに進み、これら新たなＡ社会員ＩＤに対応する遊技場ＩＤを、前述の生産情報に含まれるＡ社会員カードＩＤとＡ社会員ＩＤとが対応付けて記憶されている図示しないエンコードデータベースから該当するＡ社会員カードＩＤを特定するとともに、該特定したＡ社会員カードＩＤが該当する遊技場ＩＤを、Ａ社遊技場情報テーブルにおける対応会員カードＩＤの範囲に基づいて特定し、これら特定した遊技場ＩＤとＡ社会員ＩＤと初期暗証番号（遊技場Ｂの場合には、Ａ社会員カードＩＤとＣ社会員ＩＤの下４桁と遊技場ＩＤ）とをＡ社会員情報テーブルに追加記憶した後、Ｓｎ６のステップに進んで、全ての取得対象からの認証データを取得済みであるかを判定し、取得済みである場合には該認証データ収集処理を終了する一方、取得済みでない場合には、Ｓｎ２のステップに戻る。
【０１２７】
このＳｎ２のステップには、認証データ送信要求を未送信の装置、例えば、Ｃ社中央管理装置１０１が次に特定されて認証データ送信要求が送信される。
【０１２８】
この認証データ送信要求の受信に応じてＣ社集中管理装置１０１は、送信対象テーブルに記憶されている送信対象の遊技場Ｃ、Ｇ、Ｈの各Ｃ社会員管理端末１１ｃに対して、順次、認証データ送信要求を送信する。
【０１２９】
この認証データ送信要求の受信に応じて、Ｃ社・会員管理端末１１ｃは、当該遊技場で新規に会員となった新規会員のＣ社会員ＩＤと会員登録時に申し込んだ初期暗証番号と当該遊技場の遊技場ＩＤとが対応付けられている認証データを生成して、Ｃ社集中管理装置１０１に送信する。
【０１３０】
このようにして各Ｃ社会員管理端末１１ｃからＣ社集中管理装置１０１に送信された該認証データは、ポイント管理装置２００に中継されることにより、該認証データの受信がＳｎ４のステップにおいて検知されてＳｎ５のステップに進むことでポイント管理装置２００は、これら新たなＣ社会員ＩＤと初期暗証番号と遊技場ＩＤとをＣ社会員情報テーブルに追加記憶した後、Ｓｎ６のステップに進んで、全ての取得対象からの認証データを取得済みであるかを判定し、取得済みである場合には該認証データ収集処理を終了する一方、取得済みでない場合には、Ｓｎ２のステップに戻る。
【０１３１】
そして、Ｓｎ２のステップには、認証データ送信要求を未送信の端末、具体的には、Ｄ社・会員管理端末１１ｄが次に特定されて認証データ送信要求が順次送信される。
【０１３２】
この認証データ送信要求の受信に応じてＤ社・会員管理端末１１ｄは、当該遊技場で新規に会員となった新規会員のＤ社会員ＩＤと会員登録時に申し込んだ初期暗証番号と当該遊技場の遊技場ＩＤとが対応付けられている認証データを生成して、ポイント管理装置２００に送信する。
【０１３３】
このようにして送信された該認証データの受信がＳｎ４のステップにおいて検知されてＳｎ５のステップに進むことでポイント管理装置２００は、これら新たなＤ社会員ＩＤと初期暗証番号と遊技場ＩＤとをＤ社会員情報テーブルに追加記憶した後、Ｓｎ６のステップに進んで、全ての取得対象からの認証データを取得済みであるかを判定し、取得済みでない場合には、Ｓｎ２のステップに戻る一方、取得済みである場合には該認証データ収集処理を終了することで、各運営機関のサイトにおけるポイント会員の登録において必要となる認証データが収集されて、各運営機関の会員情報テーブルに記憶されるようになっている。
【０１３４】
次に、各遊技場において会員登録した会員が、ポイント管理装置２００においてポイントの付与を受けるためには、前述したように各運営機関Ａ社、Ｃ社、Ｄ社のサイトにアクセスして、入会登録を実施する必要があるが、これらポイント付与を受けるための入会登録に関して説明する。
【０１３５】
尚、本実施例のポイント管理装置２００には、運営機関Ａ社の専用サイトのＵＲＬ（Uniform Resource Locator）に対応するＡ社専用ページ、運営機関Ｃ社の専用サイトのＵＲＬに対応するＣ社専用ページ、運営機関Ｄ社の専用サイトのＵＲＬに対応するＤ社専用ページが配信可能に記憶されているとともに、これら各ページにリンクされた各種のページも配信可能に記憶されていて、各運営機関毎のサイトが形成されており、これら各運営機関の専用ページのＵＲＬは、各遊技場において会員に告知されるとともに、これらＵＲＬへのリンクを含むメールが返信されてくる空メールを送信するためのメールアドレスが告知される。
【０１３６】
具体的に、遊技場Ａにおいて会員登録した会員が、ポイント管理装置２００に入会登録する流れとしては、遊技場Ａにおいて告知されているメールアドレスに空メールを送信することにより返信される返信メールにおいてリンクされているＡ社専用ページのＵＲＬを選択してＡ社専用ページに該携帯電話機５からアクセスして、該携帯電話機５に図２０（ａ）のトップページを表示させる。
【０１３７】
このＡ社サイトのトップページには、図２０（ａ）に示すように、「■新着情報」や、「■このサイトについて」や、「■ホールについて」や、「■会員の方」の各メニュー項目が設けられており、これらメニュー項目、例えば、「■新着情報」を選択した場合には、該新着情報の詳細な内容を含む図２０（ｂ）に示す新着情報ページが配信されて表示されるようになっている。
【０１３８】
また、トップページにおける「■このサイトについて」を選択した場合には、「キャンペーンについて」、「利用規約」、「個人情報の保護について」、「よくあるＱ＆Ａ」、「お問い合わせ」のサブメニューを含むサブメニューページが表示され、これら各サブメニューを選択することで、該サブメニューに該当するページが配信される。
【０１３９】
また、トップページにおける「■ホールについて」の唯一のサブメニューである「ホール検索」を選択した場合には、遊技場を検索するための検索ページが配信され、該検索ページにおいて受付けた検索条件に合致した遊技場を検索できるようになっている。
【０１４０】
また、トップページにおける「■会員の方」の唯一のサブメニューである「暗証番号を忘れた方」を選択した場合には、電子メールアドレスとＡ社会員ＩＤ若しくはＡ社会員カードＩＤの受付けページが配信されて電子メールアドレスとＡ社会員ＩＤ若しくはＡ社会員カードＩＤを受付け、該受付けた電子メールアドレス並びにＡ社会員ＩＤ若しくはＡ社会員カードＩＤに対応してＡ社会員情報テーブルに記憶されている暗証番号が、該受付けた電子メールアドレスに対して送信される。
【０１４１】
また、本実施例のトップページには、「会員の方はこちら」のメニューと、「新規入会の方はこちら」のメニューが設けられており、該「新規入会の方はこちら」メニューを選択することで、図２１（ａ）に示す新規入会ページが配信されて表示される。尚、「会員の方はこちら」のメニューを選択した場合には、図２２（ａ）に示すログインページが配信される。
【０１４２】
この新規入会ページには、該会員が遊技場Ａにて発行を受けたＡ社統合会員カードに表記されているＡ社会員ＩＤを入力するためのカード番号入力部と、会員登録時に申し込んだ初期暗証番号を入力するための初期暗証番号入力部とが設けられており、これらカード番号入力部にＡ社会員ＩＤを入力し、初期暗証番号入力部に初期暗証番号を入力した後、「利用規約に同意して入会」の選択入力部を選択入力する。
【０１４３】
尚、新規入会ページや他のページにおいて下線がある表示項目には、全てリンクが設定されており、「利用規約」の表示項目を選択することで詳細な利用規約を含む利用規約ページが配信されて表示される一方、「個人情報の保護について」の表示項目を選択することで個人情報保護ポリシーページが配信されて表示される。
【０１４４】
新規入会ページにおいて「利用規約に同意して入会」の選択入力部を選択入力すると、ポイント管理装置２００は、新規入会ページにおけるカード番号入力部に入力されたＡ社会員ＩＤが、該サイトに対応する運営機関であるＡ社のＡ社会員情報テーブル（図７）に存在するかを確認するとともに、存在する場合には、該Ａ社会員情報テーブルにおいて当該Ａ社会員ＩＤに対応付けて記憶されている初期暗証番号と、新規入会ページにおける初期暗証番号入力部に入力された初期暗証番号とが一致するか否かを判定し、一致する場合においては図２１（ｂ）に示す会員情報の入力ページを配信することで、会員の携帯電話機５に該会員情報の入力ページが表示される。尚、カード番号入力部に入力されたＡ社会員ＩＤがＡ社会員情報テーブルに存在しない場合、若しくは初期暗証番号が一致しない場合には、会員情報の入力ページに代えて、図示しないエラーページが配信されて、新規入会が不可とされる。
【０１４５】
この、本実施例の会員情報の入力ページには、次回以降において該サイトにログインする際に必要となる４桁の暗証番号を入力する暗証番号入力部と、該暗証番号を再入力させる再入力部と、生年月日を入力する生年月日入力部と、性別を入力する性別入力部と、電子メールアドレスを入力する電子メールアドレス入力部と、当該会員となっている遊技場とそのチェーン店の遊技場からのメール受信の可否を選択するメール受信選択部とが設けられており、これら各部に該当する事項を入力する。尚、電子メールアドレス入力部には、空メールに対する返信メールのＵＲＬにてアクセスした場合には、自動的に返信メールの宛先アドレスである自己の電子メールアドレスが自動的に入力されるようになっている。
【０１４６】
これら各入力部の入力が全て完了した後、「次へ」の選択入力部を選択入力すると、図２１（ｃ）に示すように、新規入会ページの各入力部に入力した内容を含む確認ページが配信されて表示される。この、確認ページの内容に間違いがある場合には「戻って修正」の選択入力部を選択入力して、再度、新規入会ページに戻り、間違いの内容を訂正した後、再度「次へ」の選択入力部を選択入力して確認ページに移行する一方、確認ページの内容に間違いがない場合には、「登録」の選択入力部を選択入力する。
【０１４７】
この「登録」の選択入力部を選択入力に基づきポイント管理装置２００は、前述の新規入会ページにおけるカード番号入力部に入力されたＡ社会員ＩＤに対応するＡ社会員情報テーブルの電子メールアドレス、暗証番号、生年月日、性別の各項目に、会員情報の入力ページの各入力部にて受付けた電子メールアドレス、暗証番号、生年月日、性別を格納して、Ａ社会員情報テーブルを更新するとともに、対応する所有ポイントの項目に初期値となる「０」を格納することで、当該会員への所有ポイントの付与を可能化するとともに、図２１（ｄ）に示すように、入会が完了した旨の完了メッセージを含む入会完了ページを配信する。
【０１４８】
尚、この入会完了ページには、図２１（ｄ）に示すように、当該会員が会員登録した遊技場Ａとチェーン店関係にあることで、ポイントの統合が可能な遊技場の名称が表示されるとともに、後述するカード統合案内ページ（図２４（ａ））へのリンクがなされた「ポイントを統合する」の表示が設けられており、当該遊技場とチェーン店関係にある遊技場をそれ以前に登録している場合には、これら新規に登録した遊技場におけるポイントと、それ以前に登録しているチェーン店関係にある遊技場のポイントとを、後述するように、該「ポイントを統合する」の表示を選択して、統合させることができるようになっている。
【０１４９】
また、遊技場Ｂの会員が新規入会する場合も、遊技場Ａの会員と同様であるが、遊技場Ｂの会員は、Ａ社会員ＩＤが付与されていないので、Ａ社会員ＩＤに代えてＡ社会員カードＩＤをカード番号入力部に入力するとともに、初期暗証番号入力部には、Ｃ社会員ＩＤの下４桁の数値を入力することで、Ａ社会員ＩＤと初期暗証番号と同様に認証が実施される。
【０１５０】
また、運営機関Ｃ社の専用サイト並びに運営機関Ｄ社の専用サイトも、これらＡ社の専用サイトと同様に、Ｃ社会員ＩＤと初期暗証番号、又は、Ｄ社会員ＩＤと初期暗証番号とにより、各遊技場において会員となっていることが認証されることに基づいて、電子メールアドレス、暗証番号、生年月日、性別が受付けられて、Ｃ社会員情報テーブル又はＤ社会員情報テーブルに、Ｃ社会員ＩＤ若しくはＤ社会員ＩＤに対応付けて記憶されることにより、Ｃ社ポイントやＤ社ポイントの付与が実施されるようになる。
【０１５１】
次に、本実施例のポイント管理装置２００において、各社のポイントが付与される流れについて、以下に説明する。尚、本実施例では、運営機関Ａ社においては、消費金額の所定額（例えば１０００円）に１ポイントが付与されるとともに、運営機関Ｃにおいては大当り回数１回につき１ポイントが付与され、運営機関Ｄにおいてはスタート回数５０回につき１ポイントが付与されるように設定されているものとする。
【０１５２】
まず、本実施例のポイント管理装置２００は、ポイント付与を実施するために必要となる消費情報を、図１３の消費情報収集処理を実施することによって、遊技場Ａ〜Ｈの会員に関する消費情報を取得する。
【０１５３】
具体的にポイント管理装置２００は、消費情報を収集する所定時刻、例えば、営業終了時（例えば２３時）から所定時間が経過した時点（例えば、深夜１時）になったか否かを判定し（Ｓ１）、所定時刻となっていれば、消費情報の取得対象の装置または端末、具体的には、Ａ社集中管理装置１００、Ｃ社集中管理装置１０１、Ｄ社会員管理端末を特定し、特定した各装置または端末、例えば、Ａ社集中管理装置１００に対して消費情報送信要求を送信する。
【０１５４】
この消費情報送信要求の受信に応じてＡ社集中管理装置１００は、図示しない送信対象テーブルに記憶されている送信対象の遊技場Ａ、Ｂの各Ａ社カード管理端末１０ａに対して、順次、消費情報送信要求を送信することで、遊技場Ａの場合には該消費情報送信要求が更にＡ社カード管理端末１０ａから会員管理端末１１ａに中継されることで、会員遊技情報を有する前述のＡ社送信データ列（１）を含む消費情報を、該Ａ社カード管理端末１０ａを介して会員管理端末１１ａから取得する一方、遊技場ＢのＡ社カード管理端末１０ａからは、会員遊技情報を有しない前述のＡ社送信データ列（２）を含む消費情報を取得し、該取得した消費情報をポイント管理装置２００に対して送信する。
【０１５５】
該送信による消費情報の受信は、Ｓ４のステップにおいて検知されてＳ５のステップに進み、これら受信した消費情報を記憶した後、Ｓ６のステップに進んで、全ての取得対象からの消費情報を取得済みであるかを判定し、取得済みである場合には該消費情報収集処理を終了する一方、取得済みでない場合には、Ｓ２のステップに戻る。
【０１５６】
そして、Ｓ２のステップには、消費情報送信要求を未送信の装置、例えば、Ｃ社中央管理装置１０１が次に特定されて消費情報送信要求が送信される。
【０１５７】
この消費情報送信要求の受信に応じてＣ社集中管理装置１０１は、図示しない送信対象テーブルに記憶されている送信対象の遊技場Ｃ、Ｇ、Ｈの各Ｃ社会員管理端末１１ｃに対して、順次、消費情報送信要求を送信する。そして、Ｃ社・会員管理端末１１ｃは、該消費情報送信要求の受信に応じて前述のＣ社送信データ列を含む消費情報をＣ社集中管理装置１０１に送信する。
【０１５８】
このようにして各Ｃ社・会員管理端末１１ｃからＣ社集中管理装置１０１に送信された該消費情報は、Ｃ社集中管理装置１０１からポイント管理装置２００に対して中継されることにより、該消費情報の受信がＳ４のステップにおいて検知されてＳ５のステップに進むことで、これら受信した消費情報が記憶された後、Ｓ６のステップに進んで、全ての取得対象からの消費情報を取得済みであるかを判定し、取得済みである場合には該消費情報収集処理を終了する一方、取得済みでない場合には、Ｓｎ２のステップに戻る。
【０１５９】
そして、Ｓｎ２のステップには、消費情報送信要求を未送信の端末、具体的には、Ｄ社・会員管理端末１１ｄが次に特定されて消費情報送信要求が各Ｄ社・会員管理端末１１ｄに順次送信される。
【０１６０】
この消費情報送信要求の受信に応じてＤ社・会員管理端末１１ｄは、該消費情報送信要求の受信に応じて前述のＤ社送信データ列を含む消費情報をポイント管理装置２００に送信する。
【０１６１】
このようにして送信された該Ｄ社送信データ列を含む消費情報がＳ４のステップにおいて検知されてＳ５のステップに進むことでポイント管理装置２００は、これら受信した消費情報を記憶した後、全ての取得対象からの消費情報を取得済みであるかを判定し、取得済みでない場合には、Ｓ２のステップに戻る一方、取得済みである場合には該消費情報収集処理を終了する。
【０１６２】
つまり、本実施例のポイント管理装置２００のＣＰＵ２０２は、ポイント運営機関記録媒体使用店舗（遊技場Ａ、Ｂ）に設置され、ポイント運営機関記録媒体使用店舗における第１記録媒体（Ａ社統合会員カード）の所有者に対するポイント付与の対象となるポイント付与対象情報（消費金額、大当り回数、スタート回数、打込玉数）を、該第１記録媒体に記録されている第１会員識別情報（Ａ社会員ＩＤ、Ａ社会員カードＩＤ）に対応付けて収集する第１収集装置（Ａ社カード管理端末１０ａ、Ａ社集中管理装置１００）から、該収集されたポイント付与対象情報と第１会員識別情報とを含む第１会員付与対象情報（Ａ社送信データ列（１）、（２）を含む消費情報）を第２通信インターフェイス２０８を介して受信する消費情報収集処理を実施しており、該消費情報収集処理を実施するＣＰＵ２０２、第２通信インターフェイス２０８により、本発明の第１会員付与対象情報受信手段が形成される。
【０１６３】
また、本実施例のポイント管理装置２００のＣＰＵ２０２は、他運営機関記録媒体使用店舗（遊技場Ｃ〜Ｈ）に設置され、該他運営機関記録媒体使用店舗における第２記録媒体（Ｂ社統合会員カード、Ｃ社非統合会員カード、Ｄ社非統合会員カード）の所有者に対するポイント付与の対象となるポイント付与対象情報（消費金額、大当り回数、スタート回数、打込玉数）を、該第２記録媒体に記録されている第２会員識別情報（Ｃ社会員ＩＤ、Ｄ社会員ＩＤ）に対応付けて収集する第２収集装置（Ｃ社・会員管理端末１１ｃ、Ｃ社中央管理装置１０１、Ｄ社・会員管理端末１１ｄ）から、該収集されたポイント付与対象情報と第２会員識別情報とを少なくとも含む第２会員付与対象情報（Ｃ社送信データ列またはＤ社送信データ列を含む消費情報）を第３通信インターフェイス２０９、デジタルサービスユニット（ＤＳＵ）２０６を介して受信する消費情報収集処理を実施しており、該消費情報収集処理を実施するＣＰＵ２０２、第３通信インターフェイス２０９、デジタルサービスユニット（ＤＳＵ）２０６により、本発明の第２会員付与対象情報受信手段が形成される。
【０１６４】
そして、これら消費情報収集処理を実施することで、各遊技場Ａ〜Ｈから取得して記憶した消費情報についてポイント管理装置２００は、図１４に示す受信データ変換処理を実施する。
【０１６５】
具体的に本実施例の受信データ変換処理においては、記憶している消費情報で、変換が必要となるＣ社送信データ列とＤ社送信データ列を含む消費情報の内、未変換の消費情報である送信データ列（受信データ）を読み出す（Ｓｈ１）。
【０１６６】
そしてＳｈ２のステップに進み、読み出した未変換の消費情報中の送信データ列において、該送信データ列のヘッダに含まれるシンボルデータから、該送信データ列を変換するための定義ファイルを特定する。
【０１６７】
具体的には、送信データ列のヘッダに含まれるシンボルデータに対応して図５（ａ）の提携機関情報テーブルに記憶されている認識規則データの定義ファイル名から、該送信データ列を変換する定義ファイルを特定する。
【０１６８】
そして、該特定した定義ファイルに基づいて、受信データ（消費情報）中の送信データ列をＡ社送信データ列として認識できるようにＡ社送信データ列の形式（フォーマット）に変換する。
【０１６９】
つまり、Ｃ社送信データ列のヘッダには、運営機関Ｃ社のシンボルデータが含まれているので、該Ｃ社のＣ社定義ファイルが特定されて、Ｃ社送信データ列がＡ社送信データ列として認識できるように、その形式（フォーマット）が変換され、Ｄ社送信データ列のヘッダには、運営機関Ｄ社のシンボルデータが含まれているので、該Ｄ社のＤ社定義ファイルが特定されて、Ｄ社送信データ列がＡ社送信データ列として認識できるように、その形式（フォーマット）が変換される。
【０１７０】
具体的にこれら形式（フォーマット）の変換の内容としては、図５（ｄ）に示すＣ社送信データ列では、Ｃ社会員ＩＤのバイト数がＡ社送信データ列におけるＡ社会員ＩＤのバイト数よりも少ないので、これらＣ社会員ＩＤのバイト数がＡ社送信データ列におけるＡ社会員ＩＤのバイト数と同一となるように、上位４バイトに「０」を付加するとともに、会員遊技情報の配列順序とバイト数とを、Ａ社送信データ列（１）と同一となるように変更する。また、図５（ｅ）に示すＤ社送信データ列では、Ｄ社会員ＩＤのバイト数がＡ社送信データ列におけるＡ社会員ＩＤのバイト数と同じであるので、これらを変更する必要はないが、会員遊技情報の配列順序とバイト数とが異なるので、これら会員遊技情報の配列順序とバイト数とがＡ社送信データ列（１）と同一となるように変更する。
【０１７１】
そして、このように変換を実施した送信データ列を、変換済み消費情報として新たに記憶する一方、該変換に供した未変換の送信データ列を、未変換の受信データ（消費情報）から消去する（Ｓｈ４）。
【０１７２】
そして、記憶している受信データ（消費情報）に、未変換の送信データ列が存在しているか否かを判定し、存在する場合にはＳｈ１に再度戻ってＳｈ１〜Ｓｈ５の処理を繰返し実施し、存在しない場合には該受信データ変換処理を終了する。
【０１７３】
つまり、本実施例のポイント管理装置２００のＣＰＵ２０２は、第２会員付与対象情報（Ｃ社送信データ列またはＤ社送信データ列を含む消費情報）を受信したときに、該受信した第２会員付与対象情報に含まれる他運営機関識別情報（シンボルデータ）に対応付けて他提供機関データ認識規則記憶部（記憶装置２０５；提携機関情報テーブル）に記憶されている他提供機関データ認識規則（Ｃ社定義ファイル、Ｄ社定義ファイル）に基づいて、該受信した第２会員付与対象情報に含まれる付与対象情報（消費金額、大当り回数、スタート回数、打込玉数）と第２会員識別情報（Ｃ社会員ＩＤ、Ｄ社会員ＩＤ）を認識する受信データ変換処理を実施するＣＰＵ２０２により、本発明の受信データ認識手段が形成される。
【０１７４】
この受信データ変換処理についでポイント管理装置２００は、これら変換が完了した変換済み消費情報に基づいて、各会員へのポイントの付与を実施する図１７に示すポイント付与処理を実施する。
【０１７５】
このポイント付与処理においてポイント管理装置２００は、図１７に示すように、まず、記憶している変換済み消費情報（送信データ列）を読み出し（Ｓｐ１）、該読み出した消費情報に含まれるＡ社フォーマットとされた送信データ列のヘッダのシンボルデータから、付与対象条件を特定する。
【０１７６】
具体的には、ヘッダに含まれるシンボルデータに対応して図５（ａ）の提携機関情報テーブルに記憶されている付与条件定義ファイル名から、ポイント付与の付与条件を特定し、シンボルデータが運営機関Ｃ社であればＣ社付与条件定義ファイルにより、付与条件として大当り回数１回に対して１ポイントを付与する条件を特定し、シンボルデータが運営機関Ｄ社であればＤ社付与条件定義ファイルにより、付与条件としてスタート回数５０回に対して１ポイントを付与する条件を特定する。
【０１７７】
そして、該特定した付与条件定義ファイルに基づく付与条件と送信データ列中の付与対象となるデータとから付与するポイント数を特定する。
【０１７８】
つまり、運営機関Ａ社のシンボルデータをヘッダに含む送信データ列の場合には、付与条件として所定金額、例えば１０００円の消費金額に対して１ポイントを付与することが特定されることにより、送信データ列に含まれる消費金額が、例えば５０００円であれば、付与するポイント数として５ポイントが特定される。また、運営機関Ｃ社のシンボルデータをヘッダに含む送信データ列の場合には、Ｃ社付与条件定義ファイルから、付与条件として大当り回数１回に対して１ポイントを付与することが特定されることにより、例えば、送信データ列に含まれる大当り回数が３回であれば、付与するポイント数として３ポイントが特定される。また、運営機関Ｄ社のシンボルデータをヘッダに含む送信データ列の場合には、Ｄ社付与条件定義ファイルから、付与条件としてスタート回数５０回に対して１ポイントを付与することが特定されることにより、例えば、送信データ列に含まれるスタート回数が２２０回であれば、付与するポイント数が４ポイントであると特定される。
【０１７９】
そして、ポイント管理装置２００は、これら付与するポイント数を特定した後、Ｓｐ４のステップに進んで、特定したポイント数を、該送信データ列に含まれるＡ社会員（カード）ＩＤ、Ｃ社会員ＩＤ、Ｄ社会員ＩＤに対応して、各運営機関の会員情報テーブルに記憶されている所有ポイント並びに対応する統合ポイントが存在する場合には該統合ポイントに加算更新する。尚、該加算更新に際し、会員情報テーブルに該送信データ列に含まれるＡ社会員（カード）ＩＤ、Ｃ社会員ＩＤ、Ｄ社会員ＩＤに対応して電子メールアドレスが登録されていない場合には、該会員は、サイトにおける入会登録を未だ実施していない会員であるのでポイントの加算を実施せず、電子メールアドレスが登録されている場合においてのみ、ポイントの加算を実施するとともに、該加算更新を実施したポイント数の加算実績を、該当する運営機関のＣ社若しくはＤ社の請求ファイルに反映させて、これら加算したポイントの決済を該請求ファイルにより実施できるようにする。
【０１８０】
そして、Ｓｐ５のステップに進んで、該ポイント付与を実施した送信データ列を、変換済み消費情報から消去した後、該変換済み消費情報に未消去の読み出し可能な送信データ列が存在するか否かを判定し、読み出し可能な送信データ列が存在する場合には、Ｓｐ１に戻ってＳｐ１〜Ｓｐ６の処理を再度実施する一方、読み出し可能な送信データ列が存在しない場合には、該ポイント付与処理を終了することで、各遊技場Ａ〜Ｈから取得した消費情報に基づき、各会員に対してポイントの付与が実施される。
【０１８１】
つまり、本実施例のポイント管理装置２００のＣＰＵ２０２は、第１会員付与対象情報（Ａ社送信データ列（１）、（２）を含む消費情報）を受信したことに基づいて、該受信した第１会員付与対象情報に含まれる第１会員識別情報（Ａ社会員ＩＤ、Ａ社会員カードＩＤ）に対応付けて第１ポイント管理部（記憶領域２０５ａ；Ａ社会員情報テーブル）において記憶しているポイント数（所有ポイント、統合ポイント）に、該受信した第１会員付与対象情報に含まれる付与対象情報（消費金額）に対応するポイント数を加算更新するポイント付与処理を実施しており、該ポイント付与処理を実施するＣＰＵ２０２により本発明の第１ポイント加算更新手段が形成される。
【０１８２】
また、本実施例のポイント管理装置２００のＣＰＵ２０２は、第２会員付与対象情報（Ｃ社送信データ列またはＤ社送信データ列を含む消費情報）を受信したことに基づいて、該受信した第２会員付与対象情報から特定される前記第２ポイント管理部である記憶領域２０５ｃ、２０５ｄの前記区分となるＣ社会員情報テーブル若しくはＤ社会員情報テーブルにおいて、該受信した第２会員付与対象情報に含まれる第２会員識別情報（Ｃ社会員ＩＤ、Ｄ社会員ＩＤ）に対応付けて記憶しているポイント数（所有ポイント、統合ポイント）に、該受信した第２会員付与対象情報に含まれるポイント付与対象情報（大当り回数、スタート回数）に対応するポイント数を加算更新するポイント付与処理を実施しており、該ポイント付与処理を実施するＣＰＵ２０２により本発明の請求項１における第２ポイント加算更新手段が形成される。
【０１８３】
また、本実施例のポイント管理装置２００のＣＰＵ２０２は、受信した第２会員付与対象情報（Ｃ社送信データ列またはＤ社送信データ列を含む消費情報）から特定される他運営機関に対して第２ポイント設定手段（リモート操作端末５０、図１０（ａ）に示すポイント付与条件設定画面）にて設定されたポイント付与対象情報（ポイント付与条件設定画面における付与対象使用情報において選択可能な消費金額、大当り回数、スタート回数、打込玉数）の種類および／またはレートに基づいて、ポイント数（所有ポイント、統合ポイント）の加算更新を行うポイント付与処理を実施しており、該ポイント付与処理を実施するＣＰＵ２０２により本発明の請求項２における第２ポイント加算更新手段が形成される。
【０１８４】
次に、本実施例のポイント管理装置においては、遊技場Ａ〜Ｈの会員が、すでに各運営機関Ａ、Ｃ、Ｄのサイトにおいて入会登録した複数の遊技場の各ポイント、若しくは、既に入会登録している遊技場と新たに入会登録する遊技場の各ポイントを統合できるようになっており、これらポイントを統合する流れについて、以下に説明する。
【０１８５】
まず、遊技場Ａと遊技場Ｂとに会員登録している会員が、遊技場ＡにおけるＡ社統合会員カードの利用に伴うポイントと、遊技場ＢにおけるＡ社統合会員カードの利用に伴うポイントとを統合する場合について説明する。尚、以下の説明においては、既に、遊技場ＡのＡ社統合会員カードと、遊技場ＢのＡ社統合会員カードの双方の発行を受けている会員が、運営会社Ａ社サイトにアクセスして、既にＡ社のポイントの付与を受けるための入会登録を実施している場合について例示する。
【０１８６】
まず、これらポイントの統合を実施する場合には、会員は、自身の携帯電話機５にてＡ社専用サイトにアクセスして、図２２（ａ）に示すログインページを表示させる。尚、これらＡ社専用サイトには、遊技場Ａ内や遊技場Ｂ内に設置された専用の会員用端末からもアクセスすることができる。
【０１８７】
このログインページは、図２０（ａ）のトップページにおける「会員の方はこちら」の表示項目にリンクされたページであり、該ログインページには、図２２（ａ）に示すように、Ａ社会員ＩＤ（遊技場Ａの会員）若しくはＡ社会員カードＩＤ（遊技場Ｂの会員）を入力するためのカード番号入力部と、入会登録時に登録した暗証番号を入力するための暗証番号入力部と、「ログイン」の選択入力部と、「サイトトップへ」の選択入力部とが設けられており、「サイトトップへ」の選択入力部を選択した場合には、前述の図２０（ａ）のトップページに移行するようになっている。
【０１８８】
このログインページにおいて、例えば遊技場Ａの会員であればカード番号入力部にＡ社会員ＩＤを入力し、遊技場Ｂの会員であればカード番号入力部にＡ社会員カードＩＤを入力するとともに、暗証番号入力部に、当該Ａ社サイトへの入会登録時に登録した暗証番号を入力した後、「ログイン」の選択入力部を選択入力する。
【０１８９】
この「ログイン」の選択入力部の選択入力に応じてポイント管理装置２００は、ログインページにおいて受付けたＡ社会員ＩＤ若しくはＡ社会員カードＩＤが、Ａ社会員情報テーブルに存在するか否かを確認するとともに、存在する場合には、該Ａ社会員ＩＤ若しくはＡ社会員カードＩＤに対応付けて暗証番号の項目に格納されている暗証番号と、ログインページにおいて受付けた暗証番号とが一致するか否かを確認する。
【０１９０】
そして、これら暗証番号が一致したことに基づいてポイント管理装置２００は、図２２（ｂ）に示すように、当該会員のＡ社会員ＩＤ若しくはＡ社会員カードＩＤと、Ａ社会員ＩＤ若しくはＡ社会員カードＩＤに対応付けてＡ社会員情報テーブルの所有ポイントの項目に格納されているポイント数である現在のポイントや、該ポイントの有効期限の情報とともに、既にポイントを使用して応募した抽選の当選情報や、発送に関する情報や、「■新着情報」や、「■キャンペーン」や、「■会員情報」や、「■このサイトについて」や、「■ホールについて」の各項目と、「サイトトップへ」の選択入力部と「ログアウト」の選択入力部とを有する各会員に専用とされた会員専用ページを配信する。
【０１９１】
尚、本実施例の会員専用ページにおける抽選の当選情報や発送に関する情報には、図２２（ｂ）に示すように、「お届け先情報の登録」の選択入力部が設けられており、例えば、抽選の当選情報における「お届け先情報の登録」の選択入力部を選択することにより、図２７（ａ）に示すお届け先情報の登録ページが配信されることで、該会員から、氏名、郵便番号、住所、電話番号等の個人情報を受付けが実施される。
【０１９２】
本実施例のように、入会登録後において「お届け先情報の登録」として、別途、個人情報を受付けるようにする理由としては、これら個人情報を入力することに嫌悪感や煩雑感を抱く会員が多く存在することを考慮し、前述したように、入会時においては最低限の情報として、電子メールアドレスと、生年月日と、性別のみを受付け、抽選への当選や商品交換への申し込み等があって、賞品や賞品を会員に発送する必要が生じた場合において、該会員から個人情報を受付けるようにしており、該届け先情報の登録ページには、名前（姓）、名前（名）、郵便番号、住所、電話番号の各入力部と、「入力」の選択入力部と、当該届け先情報の登録ページに対応するキャンペーンページへ移行するための「キャンペーントップへ」の選択入力部と、当該サイトにトップページに移行するための「サイトトップへ」の選択入力部とが設けられている。
【０１９３】
該届け先情報の登録ページの配信を受けて会員は、該届け先情報の登録ページの各入力部に、名前（姓）、名前（名）、郵便番号、住所、電話番号を入力した後、「入力」の選択入力部を選択入力する。
【０１９４】
該「入力」の選択入力部を選択入力に応じてポイント管理装置２００は、図２７（ａ）の届け先情報の登録ページの各入力部において受付けた名前（姓）、名前（名）、郵便番号、住所、電話番号を含むとともに、「ＯＫ」の選択入力部と、「修正」の選択入力部と、当該届け先情報の登録ページに対応するキャンペーンページへ移行するための「キャンペーントップへ」の選択入力部と、当該サイトにトップページに移行するための「サイトトップへ」の選択入力部とを有する図２７（ｂ）に示す確認ページを配信して、受付け内容の確認を実施する。
【０１９５】
そして該配信された確認ページに含まれる自身の個人情報（入力内容）に間違いがある場合において会員は、「修正」の選択入力部を選択入力して、再度届け先情報の登録ページに戻り、間違いの部分を訂正した後、該届け先情報の登録ページにおける「入力」の選択入力を実施して、再度、確認ページに戻って、訂正後の内容を確認する一方、確認ページに含まれる内容に間違いがない場合において会員は、「ＯＫ」の選択入力部を選択入力する。
【０１９６】
この「ＯＫ」の選択入力部を選択入力に応じてポイント管理装置２００は、前記届け先情報の登録ページにて入力された名前（姓）、名前（名）、郵便番号、住所、電話番号を、Ａ社会員情報テーブルにおける当該会員のＡ社会員ＩＤ若しくはＡ社会員カードＩＤに対応する氏名、住所、郵便番号、電話番号の各項目に格納するとともに、該当する発送賞品の発送先情報として、該氏名、住所、郵便番号、電話番号を設定する。
【０１９７】
また、本実施例の会員の専用ページにおける「■新着情報」を選択した場合には、前述した図２０（ｂ）に示す新着情報ページが配信されて表示されるようになっており、「■キャンペーン」を選択した場合には、その時点において実施中の交換・抽選キャンペーンに関する情報を含む図示しない交換・抽選キャンペーンページが配信されて表示され、「■このサイトについて」を選択した場合には、「利用規約」、「個人情報の保護について」、「よくあるＱ＆Ａ」、「お問い合わせ」のサブメニューを有する図示しないサブメニューページが表示され、これら各サブメニューを選択することで、該サブメニューに該当する各ページが配信され、「■ホールについて」の唯一のサブメニューである「ホール検索」を選択した場合には、遊技場を検索するための図示しない検索ページが配信され、該検索ページにおいて入力した検索条件に合致した遊技場を検索できるようになっている。
【０１９８】
また、本実施例の会員の専用ページにおける「■会員情報」には、「会員情報の参照・変更」、「ポイント交換履歴」、「ポイント統合」、「カードの引き継ぎ」、「退会」のサブメニューが設けられている。
【０１９９】
この「■会員情報」におけるサブメニューの内、「会員情報の参照・変更」を選択した場合には、図２３（ａ）に示す会員情報確認ページがポイント管理装置２００から配信されて会員の携帯電話機５に表示される。
【０２００】
この本実施例の会員情報確認ページには、ログイン時において受付けたＡ社会員ＩＤ若しくはＡ社会員カードＩＤに対応付けて、Ａ社会員情報テーブルに記憶されている当該会員の情報、具体的には、暗証番号、生年月日、性別、電子メールアドレスの情報にとともに、図示しないメール送信許諾情報テーブルにおいて当該会員がメールの受信を許諾している遊技場の遊技場名の情報が含まれており、該ページの末尾部には、当該ページに含まれる内容を変更する際に入力する「変更」の選択入力部と、当該サイトのトップページに移行するための「サイトトップへ」の選択入力部とが設けられている。
【０２０１】
この会員情報確認ページにおいて会員が、例えば、暗証番号を変更したい場合には、「変更」の選択入力部を選択入力して、図２３（ｂ）に示す会員情報の変更ページを表示させて、該会員情報の変更ページに設けられている、暗証番号入力部と、確認用の暗証番号入力部の双方に、変更する新たな暗証番号を入力した後、「ＯＫ」の選択入力部を選択入力することで、暗証番号入力部と、確認用の暗証番号入力部に入力された新たな暗証番号が同一であることを条件に、該新たな暗証番号が、Ａ社会員情報テーブルにおいて当該会員のＡ社会員ＩＤ若しくはＡ社会員カードＩＤに対応する暗証番号に更新記憶された後、図示しない変更完了ページが配信されて、暗証番号の変更が問題なく実施されたことが会員に通知される。
【０２０２】
尚、本実施例の会員情報の変更ページには、図２３（ｂ）に示すように、暗証番号の変更のみではなく、性別、生年月日、メールアドレスの各入力部が設けられており、これらの各情報を変更できる。また、図２３（ｂ）においては、会員の氏名や郵便番号、住所、電話番号等の個人情報が、前述した届け先情報の受付けがなされていないことにより未登録の場合における会員情報の変更ページを例示したが、これら氏名や郵便番号、住所、電話番号がＡ社会員情報テーブルに記憶されている会員である場合には、これら氏名や郵便番号、住所、電話番号を変更入力する各入力部を有する会員情報の変更ページが配信されることで、これら氏名や郵便番号、住所、電話番号も変更できる。
【０２０３】
また、「■会員情報」におけるサブメニューの内、「ポイント交換履歴」を選択した場合には、運営機関Ａ社の記憶領域２０５ａに記憶されているポイント交換履歴において、該会員のＡ社会員ＩＤ若しくはＡ社会員カードＩＤに対応する交換履歴（抽選への応募に使用する口数へのポイントの交換を含む）が抽出され、該抽出された交換履歴を含む図２６（ａ）に示すポイント交換履歴ページが配信されることで、該ポイント交換履歴に記憶されている所定期間（本実施例では６ヶ月）内においてポイント交換を実施した内容（交換に使用したポイントや、交換商品や、交換した日付）等を確認できるようになっている。
【０２０４】
この「■会員情報」におけるサブメニューの内、「カード引き継ぎ」のサブメニュー項目は、例えば、会員がＡ社統合会員カードを破損して新たなＡ社統合会員カードの発行を受けた場合に、該破損したＡ社統合会員カードの所有ポイントや会員情報を新たに発行を受けたＡ社統合会員カードに引き継がせる際に選択する項目であり、該「カード引き継ぎ」を選択した場合には、カード引き継ぎの説明文や注意事項等を含むとともに、新たに発行を受けたＡ社統合会員カードのＡ社会員ＩＤと初期暗証番号（遊技場Ａの場合）、若しくはＡ社会員カードＩＤと初期暗証番号となるＣ社会員ＩＤの下４桁（遊技場Ｂの場合）の各入力部を有する図示しないカード引き継ぎページが配信される。
【０２０５】
このカード引き継ぎページにおいて、遊技場Ａの会員の場合には、Ａ社会員ＩＤと初期暗証番号を各入力部に入力した後、該カード引き継ぎページの末尾部に設けられている「引き継ぎ」の選択入力部を選択入力する一方、遊技場Ｂの会員の場合には、Ａ社会員カードＩＤとＣ社会員ＩＤの下４桁を各入力部に入力した後、該カード引き継ぎページの末尾部に設けられている「引き継ぎ」の選択入力部を選択入力することにより、これら入力されたＡ社会員ＩＤ若しくはＡ社会員カードＩＤがＡ社会員情報テーブルに記憶されているか否かとともに、該Ａ社会員ＩＤ若しくはＡ社会員カードＩＤに対応する初期暗証番号の項目に格納されている初期暗証番号と、カード引き継ぎページにおいて入力された初期暗証番号若しくはＣ社会員ＩＤの下４桁が一致した場合において、ログイン時に受付けたＡ社会員ＩＤ若しくはＡ社会員カードＩＤに対応してＡ社会員情報テーブルに記憶されている電子メールアドレス、生年月日、性別、ポイント数等の各種の情報を、カード引き継ぎページにおいて入力された新たなＡ社統合会員カードのＡ社会員ＩＤ若しくはＡ社会員カードＩＤに対応する各項目に格納するカード引き継ぎ処理を実施する。
【０２０６】
尚、このカード引き継ぎ処理の際、引き継ぎ前のＡ社会員ＩＤ若しくはＡ社会員カードＩＤに対応してＡ社会員情報テーブルに統合ポイントが記憶されている、つまり、引き継ぎ前のＡ社統合会員カードが、後述する図１８に示すカード統合処理により、統合済みである場合には、これら新たなＡ社統合会員カードのデータと、引き継ぎ前のＡ社統合会員カードが統合されていた他のＡ社統合会員カードとを統合することで、統合済みのＡ社統合会員カードを引き継ぐ場合においても、新たに統合を実施することなく、これらカード統合も自動的に引き継がれる。
【０２０７】
また、「■会員情報」におけるサブメニューの内、「退会」を選択した場合には、図示しない暗証番号の入力部を有する図示しない本人確認ページが配信されて暗証番号が再度受付けられ、当該会員の暗証番号と一致することを条件に、Ａ社会員情報テーブルにおける当該会員のＡ社会員ＩＤと初期暗証番号、若しくはＡ社会員カードＩＤと初期暗証番号となるＣ社会員ＩＤの下４桁のデータ以外の電子メールアドレスや、生年月日、性別等の情報を削除する退会処理が実施された後、図２３（ｃ）に示す退会完了ページが配信されて、退会処理が完了したことが該会員に通知される。尚、これら一度退会した会員であっても、再度、入会登録することができる。
【０２０８】
また、「■会員情報」におけるサブメニューの内、「ポイント統合」を選択した場合には、図２４（ａ）に示すカード統合案内ページが配信される。この本実施例のカード統合案内ページには、図２４（ａ）に示すように、カード統合により各Ａ社統合会員カードのポイントが統合ポイントとして統合される旨のメッセージ文と、カード統合の必要条件と、一度カード統合を実施した場合には統合前の状態には戻せない等の注意事項と、既に統合されている遊技場がある場合には該統合済み遊技場の遊技場名と、カード統合が可能な遊技場名（ログインしている会員が会員となっている遊技場名並びに該遊技場のチェーン店の遊技場名）とが含まれている。
【０２０９】
尚、図２４（ａ）においては、既に統合されている遊技場が存在しない場合を例示しているが、仮に、統合されている遊技場が存在する場合には、図中の波線内に例示するように、既に統合されている遊技場の遊技場名と該遊技場におけるＡ社会員ＩＤ若しくはＡ社会員カードＩＤが表示される。
【０２１０】
このカード統合案内ページにおいてカード統合の内容を確認した会員が、統合可能として表示されている遊技場におけるポイントをカード統合により統合したい場合には、カード統合案内ページの末尾部に設けられている「カード統合処理をする」の選択入力部を選択入力する。
【０２１１】
この「カード統合処理をする」の選択入力部の選択入力に応じてポイント管理装置２００は、カード統合の対象とする遊技場の選択を受け付けるための各遊技場毎に設けられた選択部と、各遊技場におけるＡ社会員ＩＤ若しくはＡ社会員カードＩＤの入力を受付けるためのカード番号受付け部と、サイトへのログイン時に使用する暗証番号とを受付ける暗証番号受付け部とを有する、図２４（ｂ）に示す遊技場選択ページを配信する。
【０２１２】
この配信された遊技場選択ページにおいて会員は、ポイントを統合したい遊技場、具体的には遊技場Ａおよび遊技場Ｂの名称に対応する各チックボックスを選択するとともに、遊技場Ａおよび遊技場Ｂに対応するカード番号入力部と暗証番号入力部とに、Ａ社会員ＩＤ若しくはＡ社会員カードＩＤと、ログイン時に使用する暗証番号とを入力し、該遊技場選択ページの末尾部に設けられている「次へ」の選択入力部を選択入力する。尚、該カード統合処理を中止したい場合には、「サイトトップへ」の選択入力部を選択入力すれば良い。
【０２１３】
この「次へ」の選択入力部の選択入力に応じてポイント管理装置２００（ＣＰＵ２０２０）は、携帯電話機５から送信される、遊技場選択ページにおいて入力された遊技場Ａにおける当該会員のＡ社会員ＩＤと暗証番号、並びに遊技場ＢにおけるＡ社会員カードＩＤと暗証番号とを含む統合要求を受信する統合要求受信処理を実施するとともに、図２５（ａ）に示す統合確認ページを配信する。本実施例の統合確認ページにおいては、図２５（ａ）に示すように、遊技場選択ページにて受付けた受付け内容である、統合対象となる遊技場、つまり、遊技場Ａ、Ｂの遊技場名と、各遊技場における当該会員のＡ社会員ＩＤとＡ社会員カードＩＤとともに、これら統合するポイントを所有する当該会員の会員情報、具体的には、当該会員のＡ社会員ＩＤ若しくはＡ社会員カードＩＤに対応付けてＡ社会員情報テーブルに記憶されている生年月日や性別、電子メールアドレスと、統合後のログインにおいて使用する暗証番号となる、今回のログイン時において使用した暗証番号である「現在の暗証番号」とが含まれており、会員は、カード統合を実施する遊技場と、自身の会員情報と、統合後におけるログインに使用する暗証番号とを確認することができるようになっており、カード統合を実施する遊技場が間違っていて変更したい場合には、該ページ末尾部に設けられている「戻って修正」の選択入力部を選択入力して、前述の遊技場選択ページに戻って、カード統合を実施する遊技場の選択を変更すれば良く、カード統合を実施する遊技場が間違っていない場合には、該ページ末尾部に設けられている「次へ」の選択入力部を選択入力する。
【０２１４】
つまり、本実施例のポイント管理装置２００のＣＰＵ２０２は、ポイント運営機関記録媒体使用店舗（遊技場Ａ、Ｂ）の会員が操作可能とされた端末装置（携帯電話機５）から、該会員が発行を受けた複数の各第１記録媒体（Ａ社統合会員カード）に記録されている第１会員識別情報（Ａ社会員ＩＤ、Ａ社会員カードＩＤ）を含むポイント統合要求（統合要求）を受信する統合要求受信処理を実施しており、該統合要求受信処理を実施するＣＰＵ２０２により、本発明の請求項３におけるポイント統合要求受信手段が形成される。
【０２１５】
この「次へ」の選択入力部の選択入力に応じてポイント管理装置２００は、図１８に示すカード統合処理を実施する。この本実施例のカード統合処理においてポイント管理装置２００は、まず、遊技場選択ページにて受付けた統合対象の各遊技場、つまり、図２４（ｂ）の場合であれば、遊技場Ａにおける当該会員のＡ社会員ＩＤと暗証番号の認証と、遊技場Ｂにおける当該会員のＡ社会員カードＩＤと暗証番号の認証を行う認証処理を実施する。
【０２１６】
具体的に該認証処理においては、遊技場選択ページにおけるカード番号入力部にて受付けたＡ社会員ＩＤに対応してＡ社会員情報テーブルに記憶されている暗証番号と、該Ａ社会員ＩＤを受付けた遊技場Ａのカード番号入力部に対応する暗証番号入力部にて受付けた暗証番号とが一致するか否かを判定するとともに、遊技場選択ページにおけるカード番号入力部にて受付けたＡ社会員カードＩＤに対応してＡ社会員情報テーブルに記憶されている暗証番号と、該Ａ社会員カードＩＤを受付けたカード番号入力部に対応する遊技場Ｂの暗証番号入力部にて受付けた暗証番号とが一致するか否かを判定し、全ての暗証番号が一致する場合において認証ＯＫと判断し（Ｓｔ２）、Ｓｔ３のステップに進む一方、全ての暗証番号が一致しない場合には認証ＮＧと判断してＳｔ１０のステップに進み、該会員の専用ページへのリンク表示を含む図示しないエラーページを配信して該カード統合処理を終了する。
【０２１７】
Ｓｔ３のステップにおいては、遊技場選択ページにて受付けた統合対象の遊技場が同一の運営機関である運営機関Ａ社のポイントが付与されている遊技場Ａ、Ｂであるか否かを判定する。具体的に本実施例においては、これら遊技場選択ページにて受付けたＡ社会員ＩＤとＡ社会員カードＩＤとが、Ａ社会員情報テーブルに記憶されていれば、運営機関Ａ社のポイントが付与されている遊技場Ａ若しくは遊技場ＢのＡ社統合会員カードであるので、これらＡ社会員ＩＤとＡ社会員カードＩＤとが、Ａ社会員情報テーブルに記憶されているか否かを確認する。尚、本実施例では、これら統合対象の遊技場において付与されているポイントが、同一の運営機関により付与されているポイントであるかを、Ｓｔ３のステップにおいて独自に確認するようにしているが、本実施例のように、Ｓｔ２の認証処理において認証ＯＫであれば必ず、統合対象の遊技場において付与されているポイントが、同一の運営機関により付与されているポイントであることになるので、これらＳｔ３のステップの判定をＳｔ２の認証処理にて代用して省略するようにしても良い。
【０２１８】
このＳｔ３のステップの判定で同一の運営機関Ａ社であることが確認できた場合にはＳｔ４のステップに進み、該運営機関Ａ社に対して統合許諾が設定されているか否かを判定する。尚、本実施例では、運営機関Ａ社は、ポイント管理装置２００を運営するポイント運営機関であるので、本発明における他運営機関である運営機関Ｃ社や運営機関Ｄ社とは異なり、常にポイントの統合が可能とされているので、該Ｓｔ４の判定においては、常に「Ｙｅｓ」と判定されてＳｔ４’のステップに進む。
【０２１９】
そして、Ｓｔ４’のステップにおいては、遊技場選択ページにおけるカード番号入力部にて受付けた各Ａ社会員ＩＤ若しくはＡ社会員カードＩＤに対応してＡ社会員情報テーブルの遊技場ＩＤに記憶されている遊技場ＩＤから、統合対象となる全遊技場の遊技場ＩＤを特定する遊技場ＩＤ特定処理を実施する。
【０２２０】
つまり、本実施例のポイント管理装置２００のＣＰＵ２０２は、受信したポイント統合要求（統合要求）に含まれる各第１会員識別情報（Ａ社会員ＩＤ、Ａ社会員カードＩＤ）に対応する店舗（遊技場）を個々に識別可能な店舗識別情報（遊技場ＩＤ）を特定するカード統合処理のＳｔ４’のステップを実施しており、該カード統合処理のＳｔ４’のステップを実施するＣＰＵ２０２により、本発明の請求項６、７における店舗特定手段が形成される。
【０２２１】
そして、Ｓｔ５のステップに進んで、Ｓｔ４’のステップにおいて特定した統合対象の遊技場の遊技場ＩＤに、同一の遊技場ＩＤが含まれているか否かを判定することにより、統合対象の遊技場が同一であるか否かを判定し、同一の遊技場の遊技場ＩＤを含む場合にはＳｔ１０のステップに進み、該会員の専用ページへのリンクを含み、カード統合が不可である旨のメッセージを含む図示しないエラーページを配信して該カード統合処理を終了する一方、同一の遊技場ＩＤを含まない場合には、Ｓｔ６のステップに進んで、統合対象の遊技場がチェーン店であるか否かを判定する。
【０２２２】
具体的に、統合対象の遊技場がチェーン店であるか否かについては、Ｓｔ４’にて特定した統合対象の遊技場ＩＤの中から任意の１つの遊技場ＩＤを選出し、該選出した１つの遊技場ＩＤに対応付けて、図６（ａ）のＡ社遊技場情報テーブルのチェーン店ＩＤの項目に格納されている遊技場ＩＤに、統合対象の他の遊技場の遊技場ＩＤが全て記憶されているか否かを判定することにより、統合対象の遊技場がチェーン店であるか否かを判定する。
【０２２３】
つまり、本実施例のポイント管理装置２００のＣＰＵ２０２は、店舗特定手段（ＣＰＵ２０２；カード統合処理、Ｓｔ４’）にて特定した各店舗識別情報（遊技場ＩＤ）がグループ設定手段（リモート操作端末５０、グループ店舗設定画面）により設定された同一のグループに属する店舗の店舗識別情報であるか否かを判定するカード統合処理のＳｔ６のステップを実施しており、該カード統合処理のＳｔ６のステップを実施するＣＰＵ２０２により、本発明のグループ判定手段が形成される。
【０２２４】
このＳｔ６のステップにおけるチェーン店判定において統合対象の遊技場としてチェーン店でない遊技場が含まれている場合には、Ｓｔ１０のステップに進み、該会員の専用ページへのリンクを含み、カード統合が不可である旨のメッセージを含む図示しないエラーページを配信して該カード統合処理を終了する一方、統合対象の遊技場が全てチェーン店である場合にはＳｔ７のステップに進んで、遊技場選択ページにおけるカード番号入力部にて受付けたＡ社会員ＩＤ若しくはＡ社会員カードＩＤに対応してＡ社会員情報テーブルの所有ポイントの項目に記憶されているポイント数を合算して、統合ポイントを算出した後、Ｓｔ８のステップに進んで、該算出した統合ポイントに対応付けて、遊技場選択ページにおけるカード番号入力部にて受付けたＡ社会員ＩＤ若しくはＡ社会員カードＩＤ並びにこれらＡ社会員ＩＤ若しくはＡ社会員カードＩＤに対応してＡ社会員情報テーブルの各項目に記憶されている電子メールアドレスを初めとする各情報が記憶されるように、Ａ社会員情報テーブルを更新する（Ｓｔ８）。
【０２２５】
このＳｔ８のステップにおけるＡ社会員情報テーブルの更新は、具体的には、図７（ａ）と図７（ｂ）とに示すように実施される。つまり、電子メールアドレス「ｙｕ５.ｄｒｓ＠ｙｙｙ．…」の会員が所有する統合対象の遊技場Ａの所有ポイントである１５ポイントと、統合対象の遊技場Ｂの所有ポイントである１６ポイントとが合算されて、統合ポイントである３１ポイントが算出され、該算出された統合ポイントである３１ポイントに対応して、該会員の電子メールアドレス「ｙｕ５.ｄｒｓ＠ｙｙｙ．…」や、ログイン中の遊技場ＡのＡ社会員ＩＤや暗証番号や生年月日、性別並びに遊技場ＢのＡ社会員カードＩＤと初期暗証番号（Ｃ社会員ＩＤの下４桁）とが対応付けて記憶されるように更新される。尚、本実施例では、例えば、カード統合時に遊技場ＡにおけるＡ社会員ＩＤと暗証番号とでログインしていた場合には、統合される遊技場Ｂの暗証番号が統合後においてＡ社会員カードＩＤに対応する暗証番号の項目に格納されずに消去されることで、該カード統合時においてログインしていた遊技場ＡにおけるＡ社会員ＩＤと暗証番号のみによって、カード統合以降におけるログインが実施できるように制限される。
【０２２６】
そして、Ｓｔ８のステップが完了した後、Ｓｔ９のステップに進み、統合が完了した旨のメッセージと、Ｓｔ７のステップにおいて算出した統合ポイントとを含む図２５（ｂ）に示す完了ページを配信して、カード統合が問題なく完了したことが該会員に対して通知される。
【０２２７】
尚、上記の説明においては、既に、遊技場ＡのＡ社統合会員カードと、遊技場ＢのＡ社統合会員カードの双方の発行を受けている会員が、運営会社Ａ社サイトにアクセスして、既にＡ社のポイントの付与を受けるための入会登録を実施している場合を例示したが、本実施例においては、前述の入会登録における入会完了ページにおいて、図２１（ｄ）に示すように、該入会完了ページの末尾部に設けられた「ポイントを統合する」のリンク項目が設けられていることにより、例えば、遊技場ＡのＡ社統合会員カードについて入会登録を実施後において、新たに遊技場ＢのＡ社統合会員カードについて入会登録を実施した際に表示される前記入会完了ページにおいて、「ポイントを統合する」のリンク項目を選択することにより、図２４（ａ）のカード統合案内ページに移行して上述したカード統合によるポイントの統合を実施できるようになっている。つまり、新たな入会登録に伴って該入会登録した遊技場のポイントの統合を実施できるようになっている。
【０２２８】
つまり、本実施例のポイント管理装置２００のＣＰＵ２０２は、ポイント統合要求（統合要求）を受信したことを条件に、該ポイント統合要求に含まれる各第１会員識別情報（Ａ社会員ＩＤ、Ａ社会員カードＩＤ）に対応付けて第１ポイント管理部（記憶領域２０５ａ；Ａ社会員情報テーブル）に記憶されているポイント数を合算するカード統合処理のＳｔ７のステップを実施しており、該カード統合処理のＳｔ７のステップを実施するＣＰＵ２０２により、本発明の請求項３における第１ポイント合算手段が形成される。
【０２２９】
また、本実施例のポイント管理装置２００のＣＰＵ２０２は、前記店舗特定手段となるカード統合処理のＳｔ４’において特定した店舗識別情報である遊技場ＩＤが一致しないことを条件に（ＣＰＵ２０２；カード統合処理、Ｓｔ５においてＮｏ）、各ポイント数を合算するカード統合処理のＳｔ７のステップを実施しており、該カード統合処理のＳｔ７のステップを実施するＣＰＵ２０２により、本発明の請求項６における第１ポイント合算手段が形成される。
【０２３０】
また、本実施例のポイント管理装置２００のＣＰＵ２０２は、店舗特定手段となるカード統合処理のＳｔ４’において特定した店舗識別情報である遊技場ＩＤが、前記グループ設定手段となるリモート操作端末５０のグループ店舗設定画面において設定された同一のグループに属する店舗（遊技場）の遊技場ＩＤ（店舗識別情報）であることを条件に（カード統合処理、Ｓｔ６においてＹｅｓ）、ポイント数を合算するカード統合処理のＳｔ７のステップを実施しており、該カード統合処理のＳｔ７のステップを実施するＣＰＵ２０２により、本発明の請求項７における第１ポイント合算手段が形成される。
【０２３１】
次に、遊技場Ｃと遊技場Ｇとに会員登録している会員が、遊技場ＣにおけるＣ社非統合会員カードの利用に伴うポイントと、遊技場ＧにおけるＢ社統合会員カードの利用に伴うポイントとを統合する場合について説明する。尚、以下の説明においては、既に、遊技場ＣのＣ社非統合会員カードと、遊技場ＧのＢ社統合会員カードの双方の発行を受けている会員が、運営会社Ｃ社サイトにアクセスして、既にＣ社のポイントの付与を受けるための入会登録を実施している場合について例示する。
【０２３２】
まず、これらポイントの統合を実施する場合には、会員は、自身の携帯電話機５にてＣ社専用サイトにアクセスして、前述した図２２（ａ）に示す運営機関Ａ社のログインページと同様のＣ社ログインページを表示させる。尚、これらＣ社専用サイトには、遊技場Ｃ内や遊技場Ｇ内や遊技場Ｈ内に設置された専用の会員用端末からもアクセスすることができる。
【０２３３】
このログインページは、図２０（ａ）のトップページにおける「会員の方はこちら」の表示項目にリンクされたページであり、該ログインページには、図２２（ａ）に示すように、Ａ社会員ＩＤ（遊技場Ａの会員）若しくはＡ社会員カードＩＤ（遊技場Ｂの会員）を入力するためのカード番号入力部と、入会登録時に登録した暗証番号を入力するための暗証番号入力部と、「ログイン」の選択入力部と、「サイトトップへ」の選択入力部とが設けられており、「サイトトップへ」の選択入力部を選択した場合には、前述の図２０（ａ）のトップページに移行するようになっている。
【０２３４】
このＣ社ログインページは、図２０（ａ）のＡ社トップページと同様とされたＣ社トップページにおける「会員の方はこちら」の表示項目にリンクされたページであり、該ログインページには、図２２（ａ）に示すＡ社ログインページと同様に、Ｃ社会員ＩＤを入力するためのカード番号入力部と、入会登録時に登録した暗証番号を入力するための暗証番号入力部と、「ログイン」の選択入力部と、「サイトトップへ」の選択入力部とが設けられており、「サイトトップへ」の選択入力部を選択した場合には、前述のＣ社トップページに移行できるようになっている。
【０２３５】
このＣ社ログインページにおいて、カード番号入力部にＣ社会員ＩＤを入力するとともに、暗証番号入力部に、当該Ｃ社サイトへの入会登録時に登録した暗証番号を入力した後、「ログイン」の選択入力部を選択入力する。
【０２３６】
この「ログイン」の選択入力部の選択入力に応じてポイント管理装置２００は、ログインページにおいて受付けたＣ社会員ＩＤが、Ｃ社会員情報テーブルに存在するか否かを確認するとともに、存在する場合には、該Ｃ社会員ＩＤに対応付けて暗証番号の項目に格納されている暗証番号と、Ｃ社ログインページにおいて受付けた暗証番号とが一致するか否かを確認する。
【０２３７】
そして、これら暗証番号が一致したことに基づいてポイント管理装置２００は、運営機関Ａ社の場合における図２２（ｂ）に示す会員専用ページと同様に、当該会員のＣ社会員ＩＤと、該Ｃ社会員ＩＤに対応付けてＣ社会員情報テーブルの所有ポイントの項目に格納されているポイント数である現在のポイントや、該ポイントの有効期限の情報とともに、既にポイントを使用して応募した抽選の当選情報や、発送に関する情報や、「■新着情報」や、「■キャンペーン」や、「■会員情報」や、「■このサイトについて」や、「■ホールについて」の各項目と、「サイトトップへ」の選択入力部と「ログアウト」の選択入力部とを有する各会員に専用とされたＣ社会員専用ページを配信する。
【０２３８】
尚、本実施例のＣ社会員専用ページにおける抽選の当選情報や発送に関する情報には、運営機関Ａ社の場合と同様に、「お届け先情報の登録」の選択入力部が設けられており、これら「お届け先情報の登録」の選択入力部を選択入力することで、該会員から、氏名、郵便番号、住所、電話番号等の個人情報を受付けが実施されて、Ｃ社会員情報テーブルの各項目に格納される。
【０２３９】
また、本実施例のＣ社会員専用ページにおける「■新着情報」を選択した場合には、前述した図２０（ｂ）に示すＡ社の新着情報ページと同様の新着情報ページが配信されて表示されるようになっており、「■キャンペーン」を選択した場合には、その時点において実施中の交換・抽選キャンペーンに関する情報を含む図示しない交換・抽選キャンペーンページが配信されて表示され、「■このサイトについて」を選択した場合には、「利用規約」、「個人情報の保護について」、「よくあるＱ＆Ａ」、「お問い合わせ」のサブメニューを有する図示しないサブメニューページが表示され、これら各サブメニューを選択することで、該サブメニューに該当する各ページが配信され、「■ホールについて」の唯一のサブメニューである「ホール検索」を選択した場合には、遊技場を検索するための図示しない検索ページが配信され、該検索ページにおいて入力した検索条件に合致した遊技場を検索できるようになっている。
【０２４０】
また、本実施例のＣ社会員専用ページにおける「■会員情報」には、「会員情報の参照・変更」、「ポイント交換履歴」、「ポイント統合」、「カードの引き継ぎ」、「退会」のサブメニューが設けられている。
【０２４１】
この「■会員情報」におけるサブメニューの内、「会員情報の参照・変更」を選択した場合には、運営機関Ａ社のサイトにおける図２３（ａ）に示す会員情報確認ページと同様のＣ社会員情報確認ページがポイント管理装置２００から配信されて会員の携帯電話機５に表示される。
【０２４２】
この本実施例のＣ社会員情報確認ページには、ログイン時において受付けたＣ社会員ＩＤに対応付けて、Ｃ社会員情報テーブルに記憶されている当該会員の情報、具体的には、暗証番号、生年月日、性別、電子メールアドレスの情報にとともに、図示しないメール送信許諾情報テーブルにおいて当該会員がメールの受信を許諾している遊技場の遊技場名の情報が含まれており、該ページの末尾部には、当該ページに含まれる内容を変更する際に入力する「変更」の選択入力部と、当該サイトのトップページに移行するための「サイトトップへ」の選択入力部とが設けられている。
【０２４３】
このＣ社会員情報確認ページにおいて会員が、例えば、暗証番号を変更したい場合には、「変更」の選択入力部を選択入力して、図２３（ｂ）に示すＡ社サイトにおける会員情報変更ページと同様のＣ社会員情報変更ページを表示させて、該Ｃ社会員情報変更ページに設けられている、暗証番号入力部と、確認用の暗証番号入力部の双方に、変更する新たな暗証番号を入力した後、「ＯＫ」の選択入力部を選択入力することで、暗証番号入力部と、確認用の暗証番号入力部に入力された新たな暗証番号が同一であることを条件に、該新たな暗証番号が、Ｃ社会員情報テーブルにおいて当該会員のＣ社会員ＩＤに対応する暗証番号に更新記憶された後、図示しない変更完了ページが配信されて、暗証番号の変更が問題なく実施されたことが会員に通知される。
【０２４４】
尚、本実施例のＣ社会員情報変更ページには、Ａ社サイトにおける図２３（ｂ）に示す会員情報変更ページと同様に、暗証番号の変更のみではなく、性別、生年月日、メールアドレス（個人情報の登録がある場合には、氏名や郵便番号、住所、電話番号）の各入力部が設けられており、これらの各情報を変更できる。
【０２４５】
また、「■会員情報」におけるサブメニューの内、「ポイント交換履歴」を選択した場合には、運営機関Ｃ社の記憶領域２０５ｃに記憶されているポイント交換履歴において、該会員のＣ社会員ＩＤに対応する交換履歴（抽選への応募に使用する口数へのポイントの交換を含む）が抽出され、該抽出された交換履歴を含むＡ社サイトにおける図２６（ａ）に示すポイント交換履歴ページと同様のＣ社ポイント交換履歴ページが配信されることで、該ポイント交換履歴に記憶されている所定期間（本実施例では６ヶ月）内においてポイント交換を実施した内容（交換に使用したポイントや、交換商品や、交換した日付）等を確認できるようになっている。
【０２４６】
この「■会員情報」におけるサブメニューの内、「カード引き継ぎ」のサブメニュー項目は、例えば、会員がＣ社非統合会員カード若しくはＢ社統合会員カードを破損して新たなＣ社非統合会員カード若しくはＢ社統合会員カードの発行を受けた場合に、該破損したＣ社非統合会員カード若しくはＢ社統合会員カードの所有ポイントや会員情報を新たに発行を受けたＣ社非統合会員カード若しくはＢ社統合会員カードに引き継がせる際に選択する項目であり、該「カード引き継ぎ」を選択した場合には、カード引き継ぎの説明文や注意事項等を含むとともに、新たに発行を受けたＣ社非統合会員カード若しくはＢ社統合会員カードのＣ社会員ＩＤと初期暗証番号の各入力部を有する図示しないＣ社カード引き継ぎページが配信される。
【０２４７】
このＣ社カード引き継ぎページにおいて会員は、Ｃ社会員ＩＤと初期暗証番号を各入力部に入力した後、該カード引き継ぎページの末尾部に設けられている「引き継ぎ」の選択入力部を選択入力することにより、これら入力されたＣ社会員ＩＤがＣ社会員情報テーブルに記憶されているか否かとともに、該Ｃ社会員ＩＤに対応する初期暗証番号の項目に格納されている初期暗証番号と、カード引き継ぎページにおいて入力された初期暗証番号が一致した場合において、ログイン時に受付けたＣ社会員ＩＤに対応してＣ社会員情報テーブルに記憶されている電子メールアドレス、生年月日、性別、ポイント数等の各種の情報を、カード引き継ぎページにおいて入力された新たなＣ社会員ＩＤに対応する各項目に格納するカード引き継ぎ処理を実施する。
【０２４８】
尚、このカード引き継ぎ処理の際、引き継ぎ前のＣ社会員ＩＤに対応してＣ社会員情報テーブルに統合ポイントが記憶されている、つまり、引き継ぎ前のＣ社非統合会員カード若しくはＢ社統合会員カードが、運営機関Ｃ社にポイント統合の許諾が設定されていることにより、後述する図１８に示すカード統合処理により、統合済みである場合には、これら新たなＣ社非統合会員カード若しくはＢ社統合会員カードのデータと、引き継ぎ前のＣ社非統合会員カード若しくはＢ社統合会員カードが統合されていた他のＣ社非統合会員カード若しくはＢ社統合会員カードとを統合することで、統合済みのＣ社非統合会員カード若しくはＢ社統合会員カードを引き継ぐ場合においても、新たに統合を実施することなく、これらカード統合も自動的に引き継がれる。
【０２４９】
また、「■会員情報」におけるサブメニューの内、「退会」を選択した場合には、図示しない暗証番号の入力部を有する図示しないＣ社本人確認ページが配信されて暗証番号が再度受付けられ、当該会員の暗証番号と一致することを条件に、Ｃ社会員情報テーブルにおける当該会員のＣ社会員ＩＤと初期暗証番号以外の電子メールアドレスや、生年月日、性別等の情報を削除する退会処理が実施された後、Ａ社サイトにおける図２３（ｃ）に示す退会完了ページと同様のＣ社退会完了ページが配信されて、退会処理が完了したことが該会員に通知される。尚、これら一度退会した会員であっても、再度、入会登録することができる。
【０２５０】
また、「■会員情報」におけるサブメニューの内、「ポイント統合」を選択した場合には、Ａ社サイトにおける図２４（ａ）に示すカード統合案内ページと同様のＣ社カード統合案内ページが配信される。この本実施例のＣ社カード統合案内ページには、図２４（ａ）に示すＡ社サイトにおけるカード統合案内ページと同様に、カード統合により各Ｃ社非統合会員カード若しくはＢ社統合会員カードのポイントが統合ポイントとして統合される旨のメッセージ文と、カード統合の必要条件と、一度カード統合を実施した場合には統合前の状態には戻せない等の注意事項と、既に統合されている遊技場がある場合には該統合済み遊技場の遊技場名と、カード統合が可能な遊技場名（ログインしている会員が会員となっている遊技場名並びに該遊技場のチェーン店の遊技場名）とが含まれている。
【０２５１】
このＣ社カード統合案内ページにおいてカード統合の内容を確認した会員が、統合可能として表示されている遊技場におけるポイントをカード統合により統合したい場合には、カード統合案内ページの末尾部に設けられている「カード統合処理をする」の選択入力部を選択入力する。
【０２５２】
この「カード統合処理をする」の選択入力部の選択入力に応じてポイント管理装置２００は、カード統合の対象とする遊技場の選択を受け付けるための各遊技場毎に設けられた選択部と、各遊技場におけるＣ社会員ＩＤの入力を受付けるためのカード番号受付け部と、該Ｃ社サイトへのログイン時に使用する暗証番号とを受付ける暗証番号受付け部とを有する、Ａ社サイトにおける図２４（ｂ）に示す遊技場選択ページと同様のＣ社遊技場選択ページを配信する。
【０２５３】
この配信されたＣ社遊技場選択ページにおいて会員は、ポイントを統合したい遊技場、具体的には遊技場Ｃおよび遊技場Ｇの名称に対応する各チックボックスを選択するとともに、遊技場Ｃおよび遊技場Ｇに対応するカード番号入力部と暗証番号入力部とに、Ｃ社会員ＩＤと、入会登録時に登録したログイン時に使用する暗証番号とを入力し、該遊技場選択ページの末尾部に設けられている「次へ」の選択入力部を選択入力する。尚、該カード統合処理を中止したい場合には、「サイトトップへ」の選択入力部を選択入力すれば良い。
【０２５４】
この「次へ」の選択入力部の選択入力に応じてポイント管理装置２００（ＣＰＵ２０２０）は、携帯電話機５から送信される、Ｃ社遊技場選択ページにおいて入力された遊技場Ｃにおける当該会員のＣ社会員ＩＤと暗証番号、並びに遊技場ＧにおけるＣ社会員ＩＤと暗証番号とを含む統合要求を受信する統合要求受信処理を実施するとともに、Ａ社サイトにおける図２５（ａ）に示す統合確認ページと同様のＣ社統合確認ページを配信する。本実施例のＣ社統合確認ページにおいては、図２５（ａ）に示すＡ社サイトにおける統合確認ページと同様に、Ｃ社遊技場選択ページにて受付けた受付け内容である、統合対象となる遊技場、つまり、遊技場Ｃ、Ｇの遊技場名と、各遊技場における当該会員のＣ社会員ＩＤとともに、これら統合するポイントを所有する当該会員の会員情報、具体的には、当該会員のＣ社会員ＩＤに対応付けてＣ社会員情報テーブルに記憶されている生年月日や性別、電子メールアドレスと、統合後のログインにおいて使用する暗証番号となる、今回のログイン時において使用した暗証番号である「現在の暗証番号」とが含まれており、会員は、カード統合を実施する遊技場と、自身の会員情報と、統合後におけるログインに使用する暗証番号とを確認することができるようになっている。
【０２５５】
尚、カード統合を実施する遊技場が間違っていて変更したい場合には、該Ｃ社遊技場選択ページの末尾部に設けられている「戻って修正」の選択入力部を選択入力して、前述のＣ社遊技場選択ページに戻って、カード統合を実施する遊技場の選択を変更すれば良く、カード統合を実施する遊技場が間違っていない場合には、該Ｃ社遊技場選択ページの末尾部に設けられている「次へ」の選択入力部を選択入力する。
【０２５６】
つまり、本実施例のポイント管理装置２００のＣＰＵ２０２は、他運営機関記録媒体使用店舗（遊技場Ｃ、Ｇ）の会員が操作可能とされた端末装置（携帯電話機５）から、該会員が発行を受けた複数の各第２記録媒体（Ｂ社統合会員カード、Ｃ社非統合会員カード）に記録されている第２会員識別情報（Ｃ社会員ＩＤ）を含むポイント統合要求（統合要求）を受信する統合要求受信処理を実施しており、該統合要求受信処理を実施するＣＰＵ２０２により、本発明の請求項４におけるポイント統合要求受信手段が形成される。
【０２５７】
この「次へ」の選択入力部の選択入力に応じてポイント管理装置２００は、図１８に示すカード統合処理を実施する。この本実施例のカード統合処理においてポイント管理装置２００は、まず、Ｃ社遊技場選択ページにて受付けた統合対象の各遊技場、つまり、遊技場Ｃにおける当該会員のＣ社会員ＩＤと暗証番号の認証と、遊技場Ｇにおける当該会員のＣ社会員ＩＤと暗証番号の認証を行う認証処理を実施する。
【０２５８】
具体的に該認証処理においては、Ｃ社遊技場選択ページにおける遊技場Ｃに対応するカード番号入力部にて受付けたＣ社会員ＩＤに対応してＣ社会員情報テーブルに記憶されている暗証番号と、該遊技場Ｃに対応する暗証番号入力部にて受付けた暗証番号とが一致するか否かを判定するとともに、Ｃ社遊技場選択ページにおける遊技場Ｇに対応するカード番号入力部にて受付けたＣ社会員ＩＤに対応してＣ社会員情報テーブルに記憶されている暗証番号と、該遊技場Ｇに対応する暗証番号入力部にて受付けた暗証番号とが一致するか否かを判定し、全ての暗証番号が一致する場合において認証ＯＫと判断し（Ｓｔ２）、Ｓｔ３のステップに進む一方、全ての暗証番号が一致しない場合には認証ＮＧと判断してＳｔ１０のステップに進み、該会員のＣ社会員専用ページへのリンク表示を含む図示しないエラーページを配信して該カード統合処理を終了する。
【０２５９】
Ｓｔ３のステップにおいては、Ｃ社遊技場選択ページにて受付けた統合対象の遊技場が同一の運営機関である運営機関Ｂ社のポイントが付与されている遊技場Ｃ、Ｇ、Ｈのいずれかであるか否かを判定する。具体的に本実施例においては、これらＣ社遊技場選択ページにて受付けたＣ社会員ＩＤがＣ社会員情報テーブルに記憶されていれば、運営機関Ｃ社のポイントが付与されている遊技場Ｃ、Ｇ、ＨのいずれかのＣ社非統合会員カード若しくはＢ社統合会員カードであるので、これら全てのＣ社会員ＩＤがＣ社会員情報テーブルに記憶されているか否かを確認する。尚、本実施例では、これら統合対象の遊技場において付与されているポイントが、同一の運営機関により付与されているポイントであるかを、Ｓｔ３のステップにおいて独自に確認するようにしているが、本実施例のように、Ｓｔ２の認証処理において認証ＯＫであれば必ず、統合対象の遊技場において付与されているポイントが、同一の運営機関により付与されているポイントであることになるので、これらＳｔ３のステップの判定をＳｔ２の認証処理にて代用して省略するようにしても良い。
【０２６０】
このＳｔ３のステップの判定で同一の運営機関Ｃ社であることが確認できた場合にはＳｔ４のステップに進み、該運営機関Ｃ社に対して統合許諾が設定されているか否かを判定する。尚、本実施例では、前述したように、図１０（ａ）に示すリモート操作端末５０におけるポイント付与条件設定画面の「ポイント統合」の選択部５４において、「許諾」が選択されて設定されていることで、該運営機関Ｃ社に対して、統合許諾が設定されていることから、該Ｓｔ４の判定においては、「Ｙｅｓ」と判定されてＳｔ４’のステップに進む。尚、「ポイント統合」の選択部５４において、「不可」が選択されて設定されている場合においては、Ｓｔ４の判定においては、「Ｎｏ」と判定されてＳｔ１０のステップに進み、該会員のＣ社会員専用ページへのリンク表示を含む図示しないエラーページを配信して該カード統合処理を終了する。
【０２６１】
そして、Ｓｔ４’のステップにおいては、遊技場選択ページにおけるカード番号入力部にて受付けた各Ｃ社会員ＩＤに対応してＣ社会員情報テーブルの遊技場ＩＤに記憶されている遊技場ＩＤから、統合対象となる全遊技場の遊技場ＩＤを特定する遊技場ＩＤ特定処理を実施する。
【０２６２】
つまり、本実施例のポイント管理装置２００のＣＰＵ２０２は、受信したポイント統合要求（統合要求）に含まれる各第２会員識別情報（Ｃ社会員ＩＤ）に対応する店舗（遊技場）を個々に識別可能な店舗識別情報（遊技場ＩＤ）を特定するカード統合処理のＳｔ４’のステップを実施しており、該カード統合処理のＳｔ４’のステップを実施するＣＰＵ２０２により、本発明の請求項６、７における店舗特定手段が形成される。
【０２６３】
そして、Ｓｔ５のステップに進んで、Ｓｔ４’のステップにおいて特定した統合対象の遊技場の遊技場ＩＤに、同一の遊技場ＩＤが含まれているか否かを判定することにより、統合対象の遊技場が同一であるか否かを判定し、同一の遊技場の遊技場ＩＤを含む場合にはＳｔ１０のステップに進み、該会員の専用ページへのリンクを含み、カード統合が不可である旨のメッセージを含む図示しないエラーページを配信して該カード統合処理を終了する一方、同一の遊技場ＩＤを含まない場合には、Ｓｔ６のステップに進んで、統合対象の遊技場がチェーン店であるか否かを判定する。
【０２６４】
つまり、本実施例のポイント管理装置２００のＣＰＵ２０２は、店舗特定手段（ＣＰＵ２０２；カード統合処理、Ｓｔ４’）にて特定した各店舗識別情報（遊技場ＩＤ）が、同一の店舗識別情報を含むか否かを判定するカード統合処理のＳｔ５のステップを実施しており、該カード統合処理のＳｔ５のステップを実施するＣＰＵ２０２により、本発明の店舗一致判定手段が形成される。
【０２６５】
具体的に、統合対象の遊技場がチェーン店であるか否かについては、Ｓｔ４’にて特定した統合対象の遊技場ＩＤの中から任意の１つの遊技場ＩＤを選出し、該選出した１つの遊技場ＩＤに対応付けて、図６（ｂ）のＣ社遊技場情報テーブルのチェーン店ＩＤの項目に格納されている遊技場ＩＤに、統合対象の他の遊技場の遊技場ＩＤが全て記憶されているか否かを判定することにより、統合対象の遊技場がチェーン店であるか否かを判定する。
【０２６６】
具体的に、運営機関Ｃ社の場合においては、遊技場Ｃと遊技場Ｇとがチェーン店であるが、遊技場Ｈは、遊技場Ｃと遊技場Ｇのチェーン店ではないので、会員が間違って遊技場ＧのＣ社会員ＩＤではなく遊技場ＨのＣ社会員ＩＤを入力してしまった場合には、遊技場Ｃと遊技場Ｈとがチェーン店ではないので、Ｓｔ６のステップにおいて「Ｎｏ」と判定されてＳｔ１０のステップに進み、該会員のＣ社会員専用ページへのリンクを含み、カード統合が不可である旨のメッセージを含む図示しないエラーページを配信して該カード統合処理を終了する。
【０２６７】
一方、統合対象の遊技場が全てチェーン店である場合にはＳｔ７のステップに進んで、Ｃ社遊技場選択ページにおけるカード番号入力部にて受付けたＣ社会員ＩＤに対応してＣ社会員情報テーブルの所有ポイントの項目に記憶されているポイント数を合算して、統合ポイントを算出した後、Ｓｔ８のステップに進んで、該算出した統合ポイントに対応付けて、Ｃ社遊技場選択ページにおけるカード番号入力部にて受付けたＣ社会員ＩＤ並びにこれらＣ社会員ＩＤに対応してＣ社会員情報テーブルの各項目に記憶されている電子メールアドレスを初めとする各情報が記憶されるように、Ｃ社会員情報テーブルを更新する（Ｓｔ８）。
【０２６８】
つまり、本実施例のポイント管理装置２００のＣＰＵ２０２は、店舗特定手段（ＣＰＵ２０２；カード統合処理、Ｓｔ４’）にて特定した各店舗識別情報（遊技場ＩＤ）がグループ設定手段（リモート操作端末５０、グループ店舗設定画面）により設定された同一のグループに属する店舗の店舗識別情報であるか否かを判定するカード統合処理のＳｔ６のステップを実施しており、該カード統合処理のＳｔ６のステップを実施するＣＰＵ２０２により、本発明のグループ判定手段が形成される。
【０２６９】
このＳｔ８のステップにおけるＣ社会員情報テーブルの更新は、具体的には、図８（ａ）と図８（ｂ）とに示すように実施される。つまり、電子メールアドレス「５５５ｒｏ＠ｇｇｇ．…」の会員が所有する統合対象の遊技場Ｃの所有ポイントである１７ポイントと、統合対象の遊技場Ｇの所有ポイントである１９ポイントとが合算されて、統合ポイントである３６ポイントが算出され、該算出された統合ポイントである３６ポイントに対応して、該会員の電子メールアドレス「５５５ｒｏ＠ｇｇｇ．…」や、ログイン中の遊技場ＣのＣ社会員ＩＤや暗証番号や生年月日、性別並びに遊技場ＧのＣ社会員ＩＤと初期暗証番号とが対応付けて記憶されるように更新される。尚、本実施例では、例えば、該カード統合時に遊技場ＣにおけるＣ社会員ＩＤと暗証番号とでログインしていた場合には、統合される遊技場Ｇの暗証番号が統合後において該遊技場ＧのＣ社会員ＩＤに対応する暗証番号の項目に格納されずに消去されることで、該カード統合時においてログインしていた遊技場ＣにおけるＣ社会員ＩＤと暗証番号のみによって、カード統合以降におけるログインが実施できるように制限される。
【０２７０】
そして、Ｓｔ８のステップが完了した後、Ｓｔ９のステップに進み、統合が完了した旨のメッセージと、Ｓｔ７のステップにおいて算出した統合ポイントとを含む、Ａ社サイトにおける図２５（ｂ）に示す完了ページと同様のＣ社完了ページを配信して、カード統合が問題なく完了したことが該会員に対して通知される。
【０２７１】
尚、上記の説明においては、既に、遊技場ＣのＣ社非統合会員カードと、遊技場ＧのＢ社統合会員カードの双方の発行を受けている会員が、運営会社Ｃ社サイトにアクセスして、既にＣ社のポイントの付与を受けるための入会登録を実施している場合を例示したが、本実施例においては、前述の入会登録における入会完了ページにおいて、Ａ社サイトにおける図２１（ｄ）に示す入会完了ページと同様のＣ社入会完了ページの末尾部に設けられた「ポイントを統合する」のリンク項目が設けられていることにより、例えば、遊技場ＣのＣ社非統合会員カードについて入会登録を実施後において、新たに遊技場ＧのＢ社統合会員カードについて入会登録を実施した際に表示される前記Ｃ社入会完了ページにおいて、「ポイントを統合する」のリンク項目を選択することにより、前述のＣ社カード統合案内ページに移行して上述したカード統合によるポイントの統合を実施できるようになっている。つまり、新たな入会登録に伴って該入会登録した遊技場のポイントの統合を実施できるようになっている。
【０２７２】
つまり、本実施例のポイント管理装置２００のＣＰＵ２０２は、ポイント統合要求（統合要求）を受信し、且つ、該ポイント統合要求に含まれる第２会員識別情報（Ｂ社統合会員カード、Ｃ社非統合会員カード）を提供する他運営機関（運営機関Ｃ社）が一致することを条件に（ＣＰＵ２０２；カード統合処理、Ｓｔ３）、該ポイント統合要求に含まれる各第２会員識別情報（Ｃ社会員ＩＤ）をに対応付けて第２ポイント管理部（記憶領域２０５ｃ；Ｃ社会員情報テーブル）に記憶されているポイント数を合算するカード統合処理のＳｔ７のステップを実施しており、該カード統合処理のＳｔ７のステップを実施するＣＰＵ２０２により、本発明の請求項４における第２ポイント合算手段が形成される。
【０２７３】
また、本実施例のポイント管理装置２００のＣＰＵ２０２は、ポイント統合設定手段（リモート操作端末５０、ポイント付与条件設定画面）にてポイントの合算を許諾する設定がなされていることを更なる条件として（ＣＰＵ２０２；カード統合処理、Ｓｔ４）、ポイント統合要求（統合要求）に含まれる各第２会員識別情報（Ｃ社会員ＩＤ）に対応付けて第２ポイント管理部（記憶領域２０５ｃ；Ｃ社会員情報テーブル）に記憶しているポイント数を合算するカード統合処理を実施しており、該カード統合処理を実施するＣＰＵ２０２により、本発明の請求項５における第２ポイント合算手段が形成される。
【０２７４】
また、本実施例のポイント管理装置２００のＣＰＵ２０２は、前記店舗特定手段となるカード統合処理のＳｔ４’において特定した店舗識別情報である遊技場ＩＤが一致しないことを条件に（ＣＰＵ２０２；カード統合処理、Ｓｔ５においてＮｏ）、各ポイント数を合算するカード統合処理のＳｔ７のステップを実施しており、該カード統合処理のＳｔ７のステップを実施するＣＰＵ２０２により、本発明の請求項６における第２ポイント合算手段が形成される。
【０２７５】
また、本実施例のポイント管理装置２００のＣＰＵ２０２は、店舗特定手段となるカード統合処理のＳｔ４’において特定した店舗識別情報である遊技場ＩＤが、前記グループ設定手段となるリモート操作端末５０のグループ店舗設定画面において設定された同一のグループに属する店舗（遊技場）の遊技場ＩＤ（店舗識別情報）であることを条件に（カード統合処理、Ｓｔ６においてＹｅｓ）、ポイント数を合算するカード統合処理のＳｔ７のステップを実施しており、該カード統合処理のＳｔ７のステップを実施するＣＰＵ２０２により、本発明の請求項７における第２ポイント合算手段が形成される。
【０２７６】
次に、遊技場Ｄと遊技場Ｅと遊技場Ｆとに会員登録している会員が、遊技場ＤにおけるＢ社統合会員カードの利用に伴うポイントと、遊技場ＥにおけるＤ社非統合会員カードの利用に伴うポイントと、遊技場ＦにおけるＤ社非統合会員カードの利用に伴うポイントとを統合する場合について説明する。尚、以下の説明においては、既に、遊技場ＤのＢ社統合会員カードと、遊技場ＥのＤ社非統合会員カードと、遊技場ＦのＤ社非統合会員カードの発行を受けている会員が、運営会社Ｄ社サイトにアクセスして、既にＤ社のポイントの付与を受けるための入会登録を実施している場合について例示する。
【０２７７】
まず、これらポイントの統合を実施する場合には、会員は、自身の携帯電話機５にてＤ社専用サイトにアクセスして、前述した図２２（ａ）に示す運営機関Ａ社のログインページと同様のＤ社ログインページを表示させる。尚、これらＤ社専用サイトには、遊技場Ｄ内や遊技場Ｅ内や遊技場Ｆ内に設置された専用の会員用端末からもアクセスすることができる。
【０２７８】
このログインページは、図２０（ａ）のトップページにおける「会員の方はこちら」の表示項目にリンクされたページであり、該ログインページには、図２２（ａ）に示すように、Ａ社会員ＩＤ（遊技場Ａの会員）若しくはＡ社会員カードＩＤ（遊技場Ｂの会員）を入力するためのカード番号入力部と、入会登録時に登録した暗証番号を入力するための暗証番号入力部と、「ログイン」の選択入力部と、「サイトトップへ」の選択入力部とが設けられており、「サイトトップへ」の選択入力部を選択した場合には、前述の図２０（ａ）のトップページに移行するようになっている。
【０２７９】
このＤ社ログインページは、図２０（ａ）のＡ社トップページと同様とされたＤ社トップページにおける「会員の方はこちら」の表示項目にリンクされたページであり、該ログインページには、図２２（ａ）に示すＡ社ログインページと同様に、Ｄ社会員ＩＤを入力するためのカード番号入力部と、入会登録時に登録した暗証番号を入力するための暗証番号入力部と、「ログイン」の選択入力部と、「サイトトップへ」の選択入力部とが設けられており、「サイトトップへ」の選択入力部を選択した場合には、前述のＤ社トップページに移行できるようになっている。
【０２８０】
このＤ社ログインページにおいて、カード番号入力部にＤ社会員ＩＤを入力するとともに、暗証番号入力部に、当該Ｄ社サイトへの入会登録時に登録した暗証番号を入力した後、「ログイン」の選択入力部を選択入力する。
【０２８１】
この「ログイン」の選択入力部の選択入力に応じてポイント管理装置２００は、ログインページにおいて受付けたＤ社会員ＩＤが、Ｄ社会員情報テーブルに存在するか否かを確認するとともに、存在する場合には、該Ｄ社会員ＩＤに対応付けて暗証番号の項目に格納されている暗証番号と、Ｄ社ログインページにおいて受付けた暗証番号とが一致するか否かを確認する。
【０２８２】
そして、これら暗証番号が一致したことに基づいてポイント管理装置２００は、運営機関Ａ社の場合における図２２（ｂ）に示す会員専用ページと同様に、当該会員のＤ社会員ＩＤと、該Ｄ社会員ＩＤに対応付けてＤ社会員情報テーブルの所有ポイントの項目に格納されているポイント数である現在のポイントや、該ポイントの有効期限の情報とともに、既にポイントを使用して応募した抽選の当選情報や、発送に関する情報や、「■新着情報」や、「■キャンペーン」や、「■会員情報」や、「■このサイトについて」や、「■ホールについて」の各項目と、「サイトトップへ」の選択入力部と「ログアウト」の選択入力部とを有する各会員に専用とされたＤ社会員専用ページを配信する。
【０２８３】
尚、本実施例のＤ社会員専用ページにおける抽選の当選情報や発送に関する情報には、運営機関Ａ社の場合と同様に、「お届け先情報の登録」の選択入力部が設けられており、これら「お届け先情報の登録」の選択入力部を選択入力することで、該会員から、氏名、郵便番号、住所、電話番号等の個人情報を受付けが実施されて、Ｄ社会員情報テーブルの各項目に格納される。
【０２８４】
また、本実施例のＤ社会員専用ページにおける「■新着情報」を選択した場合には、前述した図２０（ｂ）に示すＡ社の新着情報ページと同様の新着情報ページが配信されて表示されるようになっており、「■キャンペーン」を選択した場合には、その時点において実施中の交換・抽選キャンペーンに関する情報を含む図示しない交換・抽選キャンペーンページが配信されて表示され、「■このサイトについて」を選択した場合には、「利用規約」、「個人情報の保護について」、「よくあるＱ＆Ａ」、「お問い合わせ」のサブメニューを有する図示しないサブメニューページが表示され、これら各サブメニューを選択することで、該サブメニューに該当する各ページが配信され、「■ホールについて」の唯一のサブメニューである「ホール検索」を選択した場合には、遊技場を検索するための図示しない検索ページが配信され、該検索ページにおいて入力した検索条件に合致した遊技場を検索できるようになっている。
【０２８５】
また、本実施例のＤ社会員専用ページにおける「■会員情報」には、「会員情報の参照・変更」、「ポイント交換履歴」、「ポイント統合」、「カードの引き継ぎ」、「退会」のサブメニューが設けられている。
【０２８６】
この「■会員情報」におけるサブメニューの内、「会員情報の参照・変更」を選択した場合には、運営機関Ａ社のサイトにおける図２３（ａ）に示す会員情報確認ページと同様のＤ社会員情報確認ページがポイント管理装置２００から配信されて会員の携帯電話機５に表示される。
【０２８７】
この本実施例のＤ社会員情報確認ページには、ログイン時において受付けたＤ社会員ＩＤに対応付けて、Ｄ社会員情報テーブルに記憶されている当該会員の情報、具体的には、暗証番号、生年月日、性別、電子メールアドレスの情報にとともに、図示しないメール送信許諾情報テーブルにおいて当該会員がメールの受信を許諾している遊技場の遊技場名の情報が含まれており、該ページの末尾部には、当該ページに含まれる内容を変更する際に入力する「変更」の選択入力部と、当該サイトのトップページに移行するための「サイトトップへ」の選択入力部とが設けられている。
【０２８８】
このＤ社会員情報確認ページにおいて会員が、例えば、暗証番号を変更したい場合には、「変更」の選択入力部を選択入力して、図２３（ｂ）に示すＡ社サイトにおける会員情報変更ページと同様のＤ社会員情報変更ページを表示させて、該Ｄ社会員情報変更ページに設けられている、暗証番号入力部と、確認用の暗証番号入力部の双方に、変更する新たな暗証番号を入力した後、「ＯＫ」の選択入力部を選択入力することで、暗証番号入力部と、確認用の暗証番号入力部に入力された新たな暗証番号が同一であることを条件に、該新たな暗証番号が、Ｄ社会員情報テーブルにおいて当該会員のＤ社会員ＩＤに対応する暗証番号に更新記憶された後、図示しない変更完了ページが配信されて、暗証番号の変更が問題なく実施されたことが会員に通知される。
【０２８９】
尚、本実施例のＤ社会員情報変更ページには、Ａ社サイトにおける図２３（ｂ）に示す会員情報変更ページと同様に、暗証番号の変更のみではなく、性別、生年月日、メールアドレス（個人情報の登録がある場合には、氏名や郵便番号、住所、電話番号）の各入力部が設けられており、これらの各情報を変更できる。
【０２９０】
また、「■会員情報」におけるサブメニューの内、「ポイント交換履歴」を選択した場合には、運営機関Ｄ社の記憶領域２０５ｄに記憶されているポイント交換履歴において、該会員のＤ社会員ＩＤに対応する交換履歴（抽選への応募に使用する口数へのポイントの交換を含む）が抽出され、該抽出された交換履歴を含むＡ社サイトにおける図２６（ａ）に示すポイント交換履歴ページと同様のＤ社ポイント交換履歴ページが配信されることで、該ポイント交換履歴に記憶されている所定期間（本実施例では６ヶ月）内においてポイント交換を実施した内容（交換に使用したポイントや、交換商品や、交換した日付）等を確認できるようになっている。
【０２９１】
この「■会員情報」におけるサブメニューの内、「カード引き継ぎ」のサブメニュー項目は、例えば、会員がＤ社非統合会員カード若しくはＢ社統合会員カードを破損して新たなＤ社非統合会員カード若しくはＢ社統合会員カードの発行を受けた場合に、該破損したＤ社非統合会員カード若しくはＢ社統合会員カードの所有ポイントや会員情報を新たに発行を受けたＤ社非統合会員カード若しくはＢ社統合会員カードに引き継がせる際に選択する項目であり、該「カード引き継ぎ」を選択した場合には、カード引き継ぎの説明文や注意事項等を含むとともに、新たに発行を受けたＤ社非統合会員カード若しくはＢ社統合会員カードのＤ社会員ＩＤと初期暗証番号の各入力部を有する図示しないＤ社カード引き継ぎページが配信される。
【０２９２】
このＤ社カード引き継ぎページにおいて会員は、Ｄ社会員ＩＤと初期暗証番号を各入力部に入力した後、該カード引き継ぎページの末尾部に設けられている「引き継ぎ」の選択入力部を選択入力することにより、これら入力されたＤ社会員ＩＤがＤ社会員情報テーブルに記憶されているか否かとともに、該Ｄ社会員ＩＤに対応する初期暗証番号の項目に格納されている初期暗証番号と、カード引き継ぎページにおいて入力された初期暗証番号が一致した場合において、ログイン時に受付けたＤ社会員ＩＤに対応してＤ社会員情報テーブルに記憶されている電子メールアドレス、生年月日、性別、ポイント数等の各種の情報を、カード引き継ぎページにおいて入力された新たなＤ社会員ＩＤに対応する各項目に格納するカード引き継ぎ処理を実施する。
【０２９３】
尚、このカード引き継ぎ処理の際、引き継ぎ前のＤ社会員ＩＤに対応してＤ社会員情報テーブルに統合ポイントが記憶されている、つまり、引き継ぎ前のＤ社非統合会員カード若しくはＢ社統合会員カードが、運営機関Ｄ社にポイント統合の許諾が設定されていることにより、後述する図１８に示すカード統合処理により、統合済みである場合には、これら新たなＤ社非統合会員カード若しくはＢ社統合会員カードのデータと、引き継ぎ前のＤ社非統合会員カード若しくはＢ社統合会員カードが統合されていた他のＤ社非統合会員カード若しくはＢ社統合会員カードとを統合することで、統合済みのＤ社非統合会員カード若しくはＢ社統合会員カードを引き継ぐ場合においても、新たに統合を実施することなく、これらカード統合も自動的に引き継がれる。
【０２９４】
また、「■会員情報」におけるサブメニューの内、「退会」を選択した場合には、図示しない暗証番号の入力部を有する図示しないＤ社本人確認ページが配信されて暗証番号が再度受付けられ、当該会員の暗証番号と一致することを条件に、Ｄ社会員情報テーブルにおける当該会員のＤ社会員ＩＤと初期暗証番号以外の電子メールアドレスや、生年月日、性別等の情報を削除する退会処理が実施された後、Ａ社サイトにおける図２３（ｃ）に示す退会完了ページと同様のＤ社退会完了ページが配信されて、退会処理が完了したことが該会員に通知される。尚、これら一度退会した会員であっても、再度、入会登録することができる。
【０２９５】
また、「■会員情報」におけるサブメニューの内、「ポイント統合」を選択した場合には、Ａ社サイトにおける図２４（ａ）に示すカード統合案内ページと同様のＤ社カード統合案内ページが配信される。この本実施例のＤ社カード統合案内ページには、図２４（ａ）に示すＡ社サイトにおけるカード統合案内ページと同様に、カード統合により各Ｄ社非統合会員カード若しくはＢ社統合会員カードのポイントが統合ポイントとして統合される旨のメッセージ文と、カード統合の必要条件と、一度カード統合を実施した場合には統合前の状態には戻せない等の注意事項と、既に統合されている遊技場がある場合には該統合済み遊技場の遊技場名と、カード統合が可能な遊技場名（ログインしている会員が会員となっている遊技場名並びに該遊技場のチェーン店の遊技場名、具体的には、遊技場Ｄ、Ｅ、Ｆの遊技場名）とが含まれている。
【０２９６】
このＤ社カード統合案内ページにおいてカード統合の内容を確認した会員が、統合可能として表示されている遊技場におけるポイントをカード統合により統合したい場合には、カード統合案内ページの末尾部に設けられている「カード統合処理をする」の選択入力部を選択入力する。
【０２９７】
この「カード統合処理をする」の選択入力部の選択入力に応じてポイント管理装置２００は、カード統合の対象とする遊技場の選択を受け付けるための各遊技場毎に設けられた選択部と、各遊技場におけるＤ社会員ＩＤの入力を受付けるためのカード番号受付け部と、該Ｄ社サイトへのログイン時に使用する暗証番号とを受付ける暗証番号受付け部とを有する、Ａ社サイトにおける図２４（ｂ）に示す遊技場選択ページと同様のＤ社遊技場選択ページを配信する。
【０２９８】
この配信されたＤ社遊技場選択ページにおいて会員は、ポイントを統合したい遊技場、具体的には遊技場Ｄ、遊技場Ｅおよび遊技場Ｆの名称に対応する各チェックボックスを選択するとともに、遊技場Ｄ、遊技場Ｅおよび遊技場Ｆに対応するカード番号入力部と暗証番号入力部とに、Ｄ社会員ＩＤと、入会登録時に登録したログイン時に使用する暗証番号とを入力し、該遊技場選択ページの末尾部に設けられている「次へ」の選択入力部を選択入力する。尚、該カード統合処理を中止したい場合には、「サイトトップへ」の選択入力部を選択入力すれば良い。尚、遊技場Ｄと遊技場Ｅ、遊技場Ｄと遊技場Ｆ、遊技場Ｅと遊技場Ｆのみを選択するようにしても良い。
【０２９９】
この「次へ」の選択入力部の選択入力に応じてポイント管理装置２００（ＣＰＵ２０２０）は、携帯電話機５から送信される、Ｄ社遊技場選択ページにおいて入力された遊技場Ｄにおける当該会員のＤ会員ＩＤと暗証番号、遊技場ＥにおけるＤ社会員ＩＤと暗証番号、並びに遊技場ＦにおけるＤ社会員ＩＤと暗証番号とを含む統合要求を受信する統合要求受信処理を実施するとともに、Ａ社サイトにおける図２５（ａ）に示す統合確認ページと同様のＤ社統合確認ページを配信する。本実施例のＤ社統合確認ページにおいては、図２５（ａ）に示すＡ社サイトにおける統合確認ページと同様に、Ｄ社遊技場選択ページにて受付けた受付け内容である、統合対象となる遊技場、つまり、遊技場Ｄ、Ｅ、Ｆの遊技場名と、各遊技場における当該会員のＤ社会員ＩＤとともに、これら統合するポイントを所有する当該会員の会員情報、具体的には、当該会員のＤ社会員ＩＤに対応付けてＤ社会員情報テーブルに記憶されている生年月日や性別、電子メールアドレスと、統合後のログインにおいて使用する暗証番号となる、今回のログイン時において使用した暗証番号である「現在の暗証番号」とが含まれており、会員は、カード統合を実施する遊技場と、自身の会員情報と、統合後におけるログインに使用する暗証番号とを確認することができるようになっている。
【０３００】
尚、カード統合を実施する遊技場が間違っていて変更したい場合、例えば、遊技場Ｄ、Ｅ、Ｆの遊技場の内、いずれかを選択し忘れた場合等には、該Ｄ社遊技場選択ページの末尾部に設けられている「戻って修正」の選択入力部を選択入力して、前述のＤ社遊技場選択ページに戻って、カード統合を実施する遊技場の選択を変更すれば良く、カード統合を実施する遊技場が間違っていない場合には、該Ｄ社遊技場選択ページの末尾部に設けられている「次へ」の選択入力部を選択入力する。
【０３０１】
つまり、本実施例のポイント管理装置２００のＣＰＵ２０２は、他運営機関記録媒体使用店舗（遊技場Ｄ、Ｅ、Ｆ）の会員が操作可能とされた端末装置（携帯電話機５）から、該会員が発行を受けた複数の各第２記録媒体（Ｂ社統合会員カード、Ｄ社非統合会員カード）に記録されている第２会員識別情報（Ｄ社会員ＩＤ）を含むポイント統合要求（統合要求）を受信する統合要求受信処理を実施しており、該統合要求受信処理を実施するＣＰＵ２０２により、本発明の請求項４におけるポイント統合要求受信手段が形成される。
【０３０２】
この「次へ」の選択入力部の選択入力に応じてポイント管理装置２００は、図１８に示すカード統合処理を実施する。この本実施例のカード統合処理においてポイント管理装置２００は、まず、Ｄ社遊技場選択ページにて受付けた統合対象の各遊技場、つまり、遊技場Ｄにおける当該会員のＤ社会員ＩＤと暗証番号の認証と、遊技場Ｅにおける当該会員のＤ社会員ＩＤと、遊技場Ｆにおける当該会員のＤ社会員ＩＤと、暗証番号の認証を行う認証処理を実施する（Ｓｔ１）。
【０３０３】
具体的に該認証処理においては、Ｄ社遊技場選択ページにおける遊技場Ｄに対応するカード番号入力部にて受付けたＤ社会員ＩＤに対応してＤ社会員情報テーブルに記憶されている暗証番号と、該遊技場Ｄに対応する暗証番号入力部にて受付けた暗証番号とが一致するか否かを判定し、Ｄ社遊技場選択ページにおける遊技場Ｅに対応するカード番号入力部にて受付けたＤ社会員ＩＤに対応してＤ社会員情報テーブルに記憶されている暗証番号と、該遊技場Ｅに対応する暗証番号入力部にて受付けた暗証番号とが一致するか否かを判定するとともに、Ｄ社遊技場選択ページにおける遊技場Ｆに対応するカード番号入力部にて受付けたＤ社会員ＩＤに対応してＤ社会員情報テーブルに記憶されている暗証番号と、該遊技場Ｆに対応する暗証番号入力部にて受付けた暗証番号とが一致するか否かを判定し（Ｓｔ１）、全ての暗証番号が一致する場合において認証ＯＫと判断し（Ｓｔ２）、Ｓｔ３のステップに進む一方、全ての暗証番号が一致しない場合には認証ＮＧと判断してＳｔ１０のステップに進み、該会員のＤ社会員専用ページへのリンク表示を含む図示しないエラーページを配信して該カード統合処理を終了する。
【０３０４】
Ｓｔ３のステップにおいては、Ｄ社遊技場選択ページにて受付けた統合対象の遊技場が同一の運営機関である運営機関Ｄ社のポイントが付与されている遊技場Ｄ、Ｅ、Ｆのいずれかであるか否かを判定する。具体的に本実施例においては、これらＤ社遊技場選択ページにて受付けたＤ社会員ＩＤがＤ社会員情報テーブルに記憶されていれば、運営機関Ｄ社のポイントが付与されている遊技場Ｄ、Ｅ、ＦのいずれかのＤ社非統合会員カード若しくはＢ社統合会員カードであるので、これら全てのＤ社会員ＩＤがＤ社会員情報テーブルに記憶されているか否かを確認する。尚、本実施例では、これら統合対象の遊技場において付与されているポイントが、同一の運営機関により付与されているポイントであるかを、Ｓｔ３のステップにおいて独自に確認するようにしているが、本実施例のように、Ｓｔ２の認証処理において認証ＯＫであれば必ず、統合対象の遊技場において付与されているポイントが、同一の運営機関により付与されているポイントであることになるので、これらＳｔ３のステップの判定をＳｔ２の認証処理にて代用して省略するようにしても良い。
【０３０５】
このＳｔ３のステップの判定で同一の運営機関Ｄ社であることが確認できた場合にはＳｔ４のステップに進み、該運営機関Ｄ社に対して統合許諾が設定されているか否かを判定する。尚、本実施例では、前述したように、図１０（ａ）に示すリモート操作端末５０におけるポイント付与条件設定画面の「ポイント統合」の選択部５４において、「許諾」が選択されて設定されていることで、該運営機関Ｄ社に対して、統合許諾が設定されていることから、該Ｓｔ４の判定においては、「Ｙｅｓ」と判定されてＳｔ４’のステップに進む。尚、「ポイント統合」の選択部５４において、「不可」が選択されて設定されている場合においては、Ｓｔ４の判定においては、「Ｎｏ」と判定されてＳｔ１０のステップに進み、該会員のＤ社会員専用ページへのリンク表示を含む図示しないエラーページを配信して該カード統合処理を終了する。
【０３０６】
そして、Ｓｔ４’のステップにおいては、Ｄ社遊技場選択ページにおけるカード番号入力部にて受付けた各Ｄ社会員ＩＤに対応してＤ社会員情報テーブルの遊技場ＩＤに記憶されている遊技場ＩＤから、統合対象となる全遊技場の遊技場ＩＤを特定する遊技場ＩＤ特定処理を実施する。
【０３０７】
つまり、本実施例のポイント管理装置２００のＣＰＵ２０２は、受信したポイント統合要求（統合要求）に含まれる各第２会員識別情報（Ｄ社会員ＩＤ）に対応する店舗（遊技場）を個々に識別可能な店舗識別情報（遊技場ＩＤ）を特定するカード統合処理のＳｔ４’のステップを実施しており、該カード統合処理のＳｔ４’のステップを実施するＣＰＵ２０２により、本発明の請求項６、７における店舗特定手段が形成される。
【０３０８】
そして、Ｓｔ５のステップに進んで、Ｓｔ４’のステップにおいて特定した統合対象の遊技場の遊技場ＩＤに、同一の遊技場ＩＤが含まれているか否かを判定することにより、統合対象の遊技場が同一であるか否かを判定し、同一の遊技場の遊技場ＩＤを含む場合にはＳｔ１０のステップに進み、該会員の専用ページへのリンクを含み、カード統合が不可である旨のメッセージを含む図示しないエラーページを配信して該カード統合処理を終了する一方、同一の遊技場ＩＤを含まない場合には、Ｓｔ６のステップに進んで、統合対象の遊技場がチェーン店であるか否かを判定する。
【０３０９】
つまり、本実施例のポイント管理装置２００のＣＰＵ２０２は、店舗特定手段（ＣＰＵ２０２；カード統合処理、Ｓｔ４’）にて特定した各店舗識別情報（遊技場ＩＤ）が、同一の店舗識別情報を含むか否かを判定するカード統合処理のＳｔ５のステップを実施しており、該カード統合処理のＳｔ５のステップを実施するＣＰＵ２０２により、本発明の店舗一致判定手段が形成される。
【０３１０】
具体的に、統合対象の遊技場がチェーン店であるか否かについては、Ｓｔ４’にて特定した統合対象の遊技場ＩＤの中から任意の１つの遊技場ＩＤを選出し、該選出した１つの遊技場ＩＤに対応付けて、図６（ｃ）のＤ社遊技場情報テーブルのチェーン店ＩＤの項目に格納されている遊技場ＩＤに、統合対象の他の遊技場の遊技場ＩＤが全て記憶されているか否かを判定することにより、統合対象の遊技場がチェーン店であるか否かを判定する。
【０３１１】
このＳｔ６のステップにおけるチェーン店判定において統合対象の遊技場としてチェーン店でない遊技場が含まれている場合には、Ｓｔ１０のステップに進み、該会員のＤ社会員専用ページへのリンクを含み、カード統合が不可である旨のメッセージを含む図示しないエラーページを配信して該カード統合処理を終了する一方、統合対象の遊技場が全てチェーン店である場合にはＳｔ７のステップに進んで、Ｄ社遊技場選択ページにおけるカード番号入力部にて受付けたＤ社会員ＩＤに対応してＤ社会員情報テーブルの所有ポイントの項目に記憶されているポイント数を合算して、統合ポイントを算出した後、Ｓｔ８のステップに進んで、該算出した統合ポイントに対応付けて、Ｄ社遊技場選択ページにおけるカード番号入力部にて受付けたＤ社会員ＩＤ並びにこれらＤ社会員ＩＤに対応してＤ社会員情報テーブルの各項目に記憶されている電子メールアドレスを初めとする各情報が記憶されるように、Ｄ社会員情報テーブルを更新する（Ｓｔ８）。
【０３１２】
つまり、本実施例のポイント管理装置２００のＣＰＵ２０２は、店舗特定手段（ＣＰＵ２０２；カード統合処理、Ｓｔ４’）にて特定した各店舗識別情報（遊技場ＩＤ）がグループ設定手段（リモート操作端末５０、グループ店舗設定画面）により設定された同一のグループに属する店舗の店舗識別情報であるか否かを判定するカード統合処理のＳｔ６のステップを実施しており、該カード統合処理のＳｔ６のステップを実施するＣＰＵ２０２により、本発明のグループ判定手段が形成される。
【０３１３】
このＳｔ８のステップにおけるＤ社会員情報テーブルの更新は、具体的には、図９（ａ）と図９（ｂ）とに示すように実施される。つまり、電子メールアドレス「ｓｉｒｏｕ＠ｊｊｊ．…」の会員が所有する統合対象の遊技場Ｄの所有ポイントである２５ポイントと、統合対象の遊技場Ｅの所有ポイントである３３ポイントと、統合対象の遊技場Ｆの所有ポイントである２４ポイントとが合算されて、統合ポイントである８２ポイントが算出され、該算出された統合ポイントである８２ポイントに対応して、該会員の電子メールアドレス「ｓｉｒｏｕ＠ｊｊｊ．…」や、ログイン中の遊技場ＤのＤ社会員ＩＤや暗証番号や生年月日、性別並びに遊技場Ｅ、ＦのＤ社会員ＩＤと初期暗証番号とが対応付けて記憶されるように更新される。尚、本実施例では、例えば、該カード統合時に遊技場ＤにおけるＤ社会員ＩＤと暗証番号とでログインしていた場合には、統合される遊技場Ｅ、Ｆの暗証番号が統合後において該遊技場Ｅ、ＦのＤ社会員ＩＤに対応する暗証番号の項目に格納されずに消去されることで、該カード統合時においてログインしていた遊技場ＤにおけるＤ社会員ＩＤと暗証番号のみによって、カード統合以降におけるログインが実施できるように制限される。
【０３１４】
そして、Ｓｔ８のステップが完了した後、Ｓｔ９のステップに進み、統合が完了した旨のメッセージと、Ｓｔ７のステップにおいて算出した統合ポイントとを含む、Ａ社サイトにおける図２５（ｂ）に示す完了ページと同様のＤ社完了ページを配信して、カード統合が問題なく完了したことが該会員に対して通知される。
【０３１５】
尚、上記の説明においては、既に、遊技場Ｅ、ＦのＤ社非統合会員カードと、遊技場ＤのＢ社統合会員カードの発行を受けている会員が、運営会社Ｄ社サイトにアクセスして、既にＤ社のポイントの付与を受けるための入会登録を実施している場合を例示したが、本実施例においては、前述の入会登録における入会完了ページにおいて、Ａ社サイトにおける図２１（ｄ）に示す入会完了ページと同様のＤ社入会完了ページの末尾部に設けられた「ポイントを統合する」のリンク項目が設けられていることにより、例えば、遊技場Ｅ，ＦのＤ社非統合会員カードについて入会登録を実施後において、新たに遊技場ＤのＢ社統合会員カードについて入会登録を実施した際に表示される前記Ｄ社入会完了ページにおいて、「ポイントを統合する」のリンク項目を選択することにより、前述のＤ社カード統合案内ページに移行して上述したカード統合によるポイントの統合を実施できるようになっている。つまり、新たな入会登録に伴って該入会登録した遊技場のポイントの統合を実施できるようになっている。
【０３１６】
つまり、本実施例のポイント管理装置２００のＣＰＵ２０２は、ポイント統合要求（統合要求）を受信し、且つ、該ポイント統合要求に含まれる第２会員識別情報（Ｂ社統合会員カード、Ｄ社非統合会員カード）を提供する他運営機関（運営機関Ｄ社）が一致することを条件に（ＣＰＵ２０２；カード統合処理、Ｓｔ３）、該ポイント統合要求に含まれる各第２会員識別情報（Ｄ社会員ＩＤ）に対応付けて第２ポイント管理部（記憶領域２０５ｄ；Ｄ社会員情報テーブル）に記憶されているポイント数を合算するカード統合処理のＳｔ７のステップを実施しており、該カード統合処理のＳｔ７のステップを実施するＣＰＵ２０２により、本発明の請求項４における第２ポイント合算手段が形成される。
【０３１７】
また、本実施例のポイント管理装置２００のＣＰＵ２０２は、ポイント統合設定手段（リモート操作端末５０、ポイント付与条件設定画面）にてポイントの合算を許諾する設定がなされていることを更なる条件として（ＣＰＵ２０２；カード統合処理、Ｓｔ４）、ポイント統合要求（統合要求）に含まれる各第２会員識別情報（Ｄ社会員ＩＤ）に対応付けて第２ポイント管理部（記憶領域２０５ｄ；Ｄ社会員情報テーブル）に記憶しているポイント数を合算するカード統合処理を実施しており、該カード統合処理を実施するＣＰＵ２０２により、本発明の請求項５における第２ポイント合算手段が形成される。
【０３１８】
また、本実施例のポイント管理装置２００のＣＰＵ２０２は、前記店舗特定手段となるカード統合処理のＳｔ４’において特定した店舗識別情報である遊技場ＩＤが一致しないことを条件に（ＣＰＵ２０２；カード統合処理、Ｓｔ５においてＮｏ）、各ポイント数を合算するカード統合処理のＳｔ７のステップを実施しており、該カード統合処理のＳｔ７のステップを実施するＣＰＵ２０２により、本発明の請求項６における第２ポイント合算手段が形成される。
【０３１９】
また、本実施例のポイント管理装置２００のＣＰＵ２０２は、店舗特定手段となるカード統合処理のＳｔ４’において特定した店舗識別情報である遊技場ＩＤが、前記グループ設定手段となるリモート操作端末５０のグループ店舗設定画面において設定された同一のグループに属する店舗（遊技場）の遊技場ＩＤ（店舗識別情報）であることを条件に（カード統合処理、Ｓｔ６においてＹｅｓ）、ポイント数を合算するカード統合処理のＳｔ７のステップを実施しており、該カード統合処理のＳｔ７のステップを実施するＣＰＵ２０２により、本発明の請求項７における第２ポイント合算手段が形成される。
【０３２０】
次に、これらカード統合処理により統合された統合ポイントや所有ポイントを使用する流れについて説明する。まず、これら統合ポイントや所有ポイントを使用する際には、会員は、会員となっている遊技場Ａ〜Ｈに対応する運営機関Ａ社、Ｃ社、Ｄ社のいずれかのサイトに、例えば携帯電話機５からアクセスして、「会員の方はこちら」のメニューを選択して、各社のログインページを表示させる（図２２（ａ）参照）。
【０３２１】
そして、該ログインページにて、カード番号入力部と暗証番号入力部に、Ａ社会員ＩＤ（遊技場Ａ）、Ａ社会員カードＩＤ（遊技場Ｂ）、Ｃ社会員ＩＤ（遊技場Ｃ、Ｇ、Ｈ）、Ｄ社会員ＩＤ（遊技場Ｄ、Ｅ、Ｆ）と、その暗証番号とを入力してログインする。
【０３２２】
そして、ログイン後に配信されて携帯電話機５に表示される、該会員の各社会員専用ページにおける、例えば、「■新着情報」を選択して図２０（ｂ）に示す新着情報ページを表示させ、該新着情報ページにおける「…詳細な情報やご応募はこちらで。」のリンク表示を選択入力する。
【０３２３】
この「…詳細な情報やご応募はこちらで。」のリンク表示の選択入力に応じてポイント管理装置２００は、図２６（ｂ）に示す、リンクされた抽選キャンペーンの詳細ページを配信する。
【０３２４】
尚、これらポイントの使用に際しては、前述した図１０（ｂ）に示すリモート操作端末５０におけるポイント利用条件設定画面における設定に基づいて、その利用が制限させるようになっている。つまり、ログインした会員の統合ポイントまたは所有ポイントを管理する運営機関が、他運営機関であるＣ社またはＤ社である場合には、提携機関情報テーブルのポイント利用条件の項目において記憶されているＣ社利用サービス定義ファイルまたはＤ社利用サービス定義ファイルにより特定される、ポイント利用条件設定画面における設定内容により許諾された利用態様、すなわち、ポイント利用条件設定画面において商品交換設定部６２のチェックボックスのみがチェックされている場合であれば、賞品交換に関するページのみが、ポイント管理装置２００から配信されて、抽選への応募等に関するページは配信されないように制限され、逆に、ポイント利用条件設定画面において抽選設定部６１のチェックボックスのみがチェックされている場合であれば、抽選への応募等に関するページのみがポイント管理装置２００から配信されて、賞品交換に関するページは配信されないように制限される。尚、抽選設定部６１と商品交換設定部６２の双方のチェックボックスがチェックされている場合であれば、賞品交換に関するページの配信も、抽選への応募等に関するページの配信も制限されることなく配信される。
【０３２５】
尚、本実施例において以下の説明にあっては、他運営機関であるＣ社またはＤ社についても、抽選設定部６１と商品交換設定部６２の双方のチェックボックスがチェックされており、運営機関Ａ社と同様に、会員は、賞品交換と抽選への応募の双方に、Ｃ社またはＤ社のポイントを利用できるように設定されているものとする。
【０３２６】
この図２６（ｂ）に示す抽選キャンペーンの詳細ページには、ログインした該会員が所有する統合ポイント（統合ポイントがなければ所有ポイント）のポイント数が、現在のポイントとして表示されているとともに、応募する抽選における賞品の画像等を含む詳細ない賞品情報と、当該ログインした会員が所有するポイントを管理する運営機関の利用サービス定義ファイルにより特定される必要応募ポイント数が表示されるようになっている。
【０３２７】
つまり、抽選キャンペーンの詳細ページが該当する抽選に対してＣ社利用サービス定義ファイルにより特定される必要応募ポイント数が２０ポイントであり、Ｄ社利用サービス定義ファイルにより特定される必要応募ポイント数が２５ポイントである場合において、ログインしてきた会員のポイントを管理する運営機関がＣ社である場合には、必要応募ポイント数が２０ポイントとして特定される一方、ログインしてきた会員のポイントを管理する運営機関がＤ社である場合には、必要応募ポイント数が２５ポイントとして特定されて、これら特定された各ポイントを含む抽選キャンペーンの詳細ページが配信される。
【０３２８】
また、該抽選キャンペーンの詳細ページには、図２６（ｂ）に示すように、該抽選に応募する口数を受付けるための口数入力部と、「リストに登録」の選択入力部と、「戻る」の選択入力部と、「申し込みリストを確認する」の選択入力部と、「キャンペーントップへ」の選択入力部と、「サイトトップへ」の選択入力部とが設けられている。
【０３２９】
会員が、抽選キャンペーンの詳細ページに表示されている賞品の抽選に応募したい場合には、必要応募ポイントのポイント数と、現在のポイントとして表示されているポイント数とから応募可能な口数を判断し、該応募可能な口数の範囲内の口数を入力した後、「リストに登録」の選択入力部を選択入力する。尚、抽選に応募しない場合には「戻る」の選択入力部、「キャンペーントップへ」の選択入力部、或いは「サイトトップへ」の選択入力部を選択入力することで、新着情報ページ、当該キャンペーンのトップページ、或いは当該サイトのトップページに移行する。
【０３３０】
尚、「申し込みリストを確認する」の選択入力部を選択入力した場合には、既に応募を実施した抽選がある場合において、該応募した抽選の一覧を含む図示しない申し込みリストページが配信されて表示される。
【０３３１】
そして、「リストに登録」の選択入力部の選択入力に応じてポイント管理装置２００は、図２６（ｃ）に示すように、抽選キャンペーンの詳細ページにおける賞品の賞品名と口数入力部にて受付けた口数と、当該応募口数に対して使用するポイント数と、「戻って修正」の選択入力部と、複数の抽選がリストに存在する場合におけるこれらの各抽選への応募口数の合計である合計口数と、該合計口数に対して使用する合計ポイントと、現在ポイントと、消費ポイント（合計ポイントに同じ）、現在ポイントから消費ポイントを差し引いた残ポイントと、「上記内容で申し込む」の選択入力部と、「戻って修正」の選択入力部と、「全てクリア」の選択入力部と、「キャンペーントップへ」の選択入力部と、「サイトトップへ」の選択入力部とを有する申し込みリスト確認ページを配信することにより、会員は、申し込みを実施しようとしている応募内容を確認できるようになっている。
【０３３２】
この申し込みリスト確認ページにおける応募内容の確認において、該応募内容である応募口数を変更したい場合には、「戻って修正」の選択入力部して抽選キャンペーンの詳細ページに戻って応募口数を変更した後、「リストに登録」の選択入力部を選択入力して申し込みリスト確認ページに、再度、移行する一方、応募内容で問題ない場合には、「上記内容で申し込む」の選択入力部を選択入力する。尚、申し込みリスト確認ページにおける応募自体をキャンセルしたい場合には、「全てクリア」の選択入力部を選択すれば良い。
【０３３３】
この「上記内容で申し込む」の選択入力部が選択入力されたことによりポイント管理装置２００は、当該会員が所有している統合ポイント若しくは所有ポイント、具体的には、各社の会員情報テーブルにおいて、ログイン時に受付けたＡ社会員ＩＤ（遊技場Ａ）、Ａ社会員カードＩＤ（遊技場Ｂ）、Ｃ社会員ＩＤ（遊技場Ｃ、Ｇ、Ｈ）、Ｄ社会員ＩＤ（遊技場Ｄ、Ｅ、Ｆ）に対応付けて記憶されている所有ポイントと統合ポイントとから、消費ポイントを減算更新する。尚、統合ポイントに対応する所有ポイントが複数存在する場合には、少ない所有ポイントから消費ポイントを減算し、不足するポイント数をその次に少ない所有ポイントから減算するというように、減算する。
【０３３４】
つまり、図９に示す「ｓｉｒｏｕ＠ｊｊｊ…」の会員のように、遊技場Ｄ、Ｅ、Ｆの所有ポイントを統合してあり、消費ポイントが５０ポイントである場合であれば、統合ポイントである８２ポイントから５０ポイントを減算して統合ポイントを３２ポイントに更新するとともに、所有ポイントが最も少ない遊技場Ｆの所有ポイントから２４ポイントを全て減算して０とし、次に、遊技場Ｄの所有ポイントから２５ポイントを全て減算して０とし、更に遊技場Ｅの所有ポイントから１ポイントを減算して所有ポイントを３２ポイントに更新する。
【０３３５】
そして、ログイン時に受付けたＡ社会員ＩＤ（遊技場Ａ）、Ａ社会員カードＩＤ（遊技場Ｂ）、Ｃ社会員ＩＤ（遊技場Ｃ、Ｇ、Ｈ）、Ｄ社会員ＩＤ（遊技場Ｄ、Ｅ、Ｆ）に対応付けて記憶されている電子メールアドレスに対して、該応募内容を含む確認メールを送信するとともに、図２６（ｄ）に示すように、抽選申込完了ページを配信して、抽選への応募が問題なく実施されたことを通知する。
【０３３６】
尚、上記説明では、抽選への応募について、図２６（ｂ）〜図２６（ｄ）の各ページを
例示して、具体的に説明したが、本実施例では、図示しないが、ポイントを使用した商品交換が可能とされており、これら商品交換に会員がポイントを使用したい場合には、図示しない商品交換ページに移行して、該商品交換ページにおいて交換を実施したい商品を選択して、商品交換を申し込むことにより、該会員が所有する統合ポイントまたは所有ポイントの範囲内の商品との交換を申し込めるようになっており、該商品交換の申し込みにより、該商品交換に必要とされるポイント数が、抽選への応募と同様に、該会員が所有する統合ポイントまたは所有ポイントから減算される。
【０３３７】
以上、本実施例によれば、ポイント運営機関である運営機関Ａ社にて提供される第１記録媒体となるＡ社統合会員カードを使用しておらず、他運営機関にて提供される第２記録媒体となるＢ社統合会員カード、Ｃ社非統合会員カード、Ｄ社非統合会員カードを使用している他運営機関記録媒体使用店舗となる、遊技場Ｄ〜Ｈの会員に対しても、ポイント運営機関記録媒体使用店舗となる遊技場Ａ、Ｂの会員と同様に、ポイントの付与、管理を実施できるようになり、ポイント運営機関である運営機関Ａ社が構築したポイント管理装置２００を、該ポイント運営機関とは異なる他機関である運営機関Ｃ社、運営機関Ｄ社にも、多大なコストを費やして費用対効果が低いものとなってしまうことなく、使用させることができる。
【０３３８】
また、ポイント運営機関である運営機関Ａ社にとってみれば、従来にあっては、該運営機関Ａ社のＡ社統合会員カードを導入している遊技場Ａ、Ｂでなければ、ポイント管理装置２００を使用させることができないので、ビジネスの範囲がこれらＡ社統合会員カードを導入している遊技場に限定されていたのに対し、本実施例のポイント管理装置２００を用いれば、これらＡ社統合会員カードを導入していない遊技場Ｃ〜Ｈや、運営機関Ｃ社、Ｄ社に対しても営業を実施して、インフラとしてポイント管理装置２００を使用する手数料収入を得ることが可能となる。
【０３３９】
また、本実施例によれば、図１０（ａ）に示すポイント付与条件設定画面において、ポイント付与対象情報の種類および／またはポイント数のレートを設定できるので、他運営機関の要望に沿ったポイントの付与を実施することができる。
【０３４０】
また、本実施例によれば、会員は、第１記録媒体となるＡ社統合会員カードの発行を受けた異なるポイント運営機関記録媒体使用店舗である遊技場Ａ、Ｂにおけるポイントを、第１合算ポイントとなるＡ社会員情報テーブルの統合ポイントとして統合し、該統合した第１合算ポイント（統合ポイント）を利用できるようになるので、会員の利便性を向上できるとともに、これらポイント運営機関記録媒体使用店舗である遊技場Ａ、Ｂの集客力を向上できる。
【０３４１】
また、本実施例によれば、会員は、第２記録媒体となるＢ社統合会員カード、Ｃ社非統合会員カード、Ｄ社非統合会員カードの発行を受けた異なる他運営機関記録媒体使用店舗である遊技場Ｃ〜Ｈにおけるポイントを、第２合算ポイントとなるＣ社会員情報テーブル並びにＤ社会員情報テーブルの統合ポイントとして統合し、該統合した第２合算ポイント（統合ポイント）を利用できるようになるので、会員の利便性を向上できるとともに、これら他運営機関記録媒体使用店舗である遊技場Ｃ〜Ｈの集客力を向上できる。
【０３４２】
また、本実施例によれば、図１０（ａ）に示すポイント付与条件設定画面において、個々の他運営機関である、運営機関Ｃ社または運営機関Ｄ社の要望に沿ってポイント統合の実施・非実施を変更することができる。
【０３４３】
また、本実施例によれば、ポイント統合要求に含まれる各第１会員識別情報となるＡ社会員ＩＤ並びにＡ社会員カードＩＤ、または各第２会員識別情報となるＣ社会員ＩＤまたはＤ社会員ＩＤから特定される店舗識別情報である遊技場ＩＤに、同一の遊技場ＩＤ（店舗識別情報）が含まれている場合、例えば、該遊技場ＩＤの遊技場（店舗）にて第１記録媒体となるＡ社統合会員カードを紛失した会員のポイントが、該Ａ社統合会員カード（第１記録媒体）を拾得した他の会員のポイントに統合されてしまうことを阻止できるので、これらＡ社統合会員カード（第１記録媒体）を紛失した会員が不利益を被る畏れを極力低減することができる。
【０３４４】
また、本実施例によれば、グループ店舗であるチェーン店の遊技場にて付与されたポイントを合算できるようになるので、会員の利便性を向上できるとともに、これらグループ店舗であるチェーン店の集客力を向上できる。
【０３４５】
また、本実施例によれば、ポイント管理装置２００側に、他提供機関データ認識規則記憶部となる提携機関情報テーブル並びに受信データ認識手段となる受信データ変換処理を実施するＣＰＵ２０２を有するので、これらポイント管理装置２００において認識できる態様の送信データに第２収集装置となるＣ社中央管理装置１０１やＤ社・会員管理端末１１ｄ側にて変換する等の必要がなく、ポイント管理装置２００を利用してポイントを付与する際の他提供機関となる運営機関Ｃ社や運営機関Ｄ社の負荷を低減することができる。
【０３４６】
また、本実施例によれば、第３記録媒体となるＣ社会員ＩＤが記憶されたＡ社統合会員カードを使用する第３記録媒体使用店舗となる遊技場Ｂについては、ポイント運営機関である運営機関Ａ社側の第１ポイント管理部となる記憶領域２０５ａ内のＡ社会員情報テーブルにおいて管理を実施するか、或いは、他運営機関である運営機関Ｃ社側となる記憶領域２０５ｃ内のＣ社会員情報テーブルにおいて管理を実施するかを、遊技場Ｂ（店舗）や各運営機関である運営機関Ｃ社の要望に応じて選択することができる。
【０３４７】
以上、本発明の実施例を図面により説明してきたが、具体的な構成はこれら実施例に限られるものではなく、本発明の要旨を逸脱しない範囲における変更や追加があっても本発明に含まれる。
【０３４８】
例えば、上記実施例では、受信した消費情報の内、Ｃ社送信データ列並びにＤ社送信データ列を、Ｃ社定義ファイル若しくはＤ社定義ファイルに基づいて、受信データ変換処理によりＡ社送信データ列（１）の形式となるように変換しているが、本発明はこれに限定されるものではなく、これら変換を実施することなく、Ｃ社送信データ列並びにＤ社送信データ列のどの位置に、どの情報が記憶されているかをＣ社定義ファイル若しくはＤ社定義ファイルに記述しておき、これらのＣ社定義ファイル若しくはＤ社定義ファイルに基づいて、Ｃ社会員ＩＤやＤ社会員ＩＤ、消費金額、及び大当り回数、スタート回数、打込玉数等の会員遊技情報を抽出するようにしても良い。
【０３４９】
また、本実施例では、ポイント管理装置２００側において受信データ変換処理を実施するようにしており、このようにすることは、Ｃ社送信データ列並びにＤ社送信データ列を送信するＣ社中央管理装置１０１や、Ｄ社・会員管理端末１１ｄ側において、送信するＣ社送信データ列並びにＤ社送信データ列をＡ社送信データ列（１）の形式に変換するようなソフトウエア等の変更を実施する必要がないことから、これら運営機関Ｃ社や運営機関Ｄ社が、ポイント管理装置２００を使用したポイント付与サービスを導入し易くできるこおとから好ましいが、本発明はこれに限定されるものではなく、これらＡ社送信データ列（１）の形式への変換を、Ｃ社送信データ列並びにＤ社送信データ列を送信するＣ社中央管理装置１０１や、Ｄ社・会員管理端末１１ｄ側において実施するようにしても良い。
【０３５０】
また、前記実施例では、図１０（ａ）に示す、リモート操作端末５０のポイント付与条件設定画面において、他運営機関となる運営機関Ｃ社と運営機関Ｄ社に関してのみポイント付与条件を設定できるようになっているが、本発明はこれに限定されるものではなく、これらポイント付与条件の設定変更を、運営機関Ａ社についても実施できるようにしても良い。
【０３５１】
また、前記実施例では、ポイント付与条件として、付与対象使用情報の種類と付与レートの双方を設定変更可能とされているが、本発明はこれに限定されるものではなく、これらのいずれか一方のみとしても良い。
【０３５２】
また、前記実施例では、会員が携帯電話機５にてアクセスした場合におけるサイトの各ページを例示しているが、本発明はこれに限定されるものではなく、これらの各ページとしては、表示させる内容や受付ける情報等が同じであれば良く、パソコン６用とされた、より詳細な説明や映像を含む各ページとしても良い。
【０３５３】
また、前記実施例では、Ｃ社送信データ列を含む消費情報を、Ｃ社集中管理装置１０１を介してポイント管理装置２００が受信するようにしているが、本発明はこれに限定されるものではなく、これらＣ社送信データ列を含む消費情報を、運営機関Ｄ社の場合と同様に、Ｃ社集中管理装置１０１を介することなく、Ｃ社・会員管理端末１１ｃから直接、受信するようにしても良い。
【０３５４】
また、前記実施例では、図１０（ｂ）に示すように、個別にポイント利用条件を他運営機関となる運営機関Ｃ社と運営機関Ｄ社毎に、設定できるようにしているが、本発明はこれに限定されるものではなく、例えば、図１０（ｂ）に示すポイント利用条件設定画面に、ポイント運営機関である運営機関Ａ社が実施している抽選や商品交換のポイント利用条件を適用する選択部を設けておき、例えば、これら運営機関Ｃ社や運営機関Ｄ社が、抽選用の賞品や、交換用の商品を独自に準備できるまでの導入初期の所定期間等においては、該選択部を選択することで、運営機関Ａ社が実施している抽選や商品交換を他運営機関となる運営機関Ｃ社と運営機関Ｄ社が利用できるようにしても良い。
【０３５５】
また、前記実施例では、同一の運営機関により付与されたポイントのみを統合することができるように制限しているが、本発明はこれに限定されるものではなく、例えば、上述したように、他運営機関となる運営機関Ｃ社と運営機関Ｄ社が、ポイント運営機関である運営機関Ａ社が実施している抽選や商品交換を利用する場合等にあっては、運営機関Ａ社と運営機関Ｃ社のポイントや、運営機関Ａ社と運営機関Ｄ社のポイント等を、例えば、ポイント使用時において統合して、抽選や商品交換に使用できるようにしても良い。尚、この異なる運営機関のポイントを統合可能とする場合においても、各運営機関毎に統合された統合ポイントを、さらに統合して使用できるようにしても良い。
【０３５６】
また、前記実施例では、ポイントの付与時において、付与したポイントの決済を行うために、他運営機関となる運営機関Ｃ社のＣ社請求ファイルと運営機関Ｄ社のＤ社請求ファイルとを更新するようにしているが、本発明はこれに限定されるものではなく、これら各請求ファイルの更新を、各運営機関のポイントが、抽選や商品交換に利用されたときに、該利用されたポイントの決済を行うように、Ｃ社請求ファイルやＤ社請求ファイルを更新するようにしても良い。
【０３５７】
また、前記実施例では、各運営機関の会員情報テーブルに統合ポイントの項目を設けておき、予め各会員の統合ポイントを算出して記憶するようにしているが、本発明はこれに限定されるものではなく、これら統合ポイントを予め算出するのではなく、例えば、カード統合処理により各社の会員情報テーブルにおいて同一の電子メールアドレスに対応付けて記憶されている複数の所有ポイントを、ログイン時やポイントの利用時において合算して、統合ポイントを算出するようにしても良い。
【０３５８】
また、本実施例では、カード統合処理における統合の形態として、各所有ポイントを合算した統合ポイントを算出し、該算出した統合ポイントに対応付けて、各遊技場における会員カードの会員（カード）ＩＤや初期暗証番号等の情報が記憶されるように、各社の会員情報テーブルを更新することによりカード統合を実施する形態としており、このようにすることは、予め統合ポイントが記憶、管理されているので、ログイン時やポイント利用時において、これら統合ポイントを算出する処理負荷を低減できるとともに、迅速に統合ポイントを特定できることから好ましいとともに、各社の会員情報テーブルの構成の簡素化やデータ容量の削減を図ることができることから好ましいが、本発明はこれに限定されるものではなく、これら各社の会員情報テーブルを変更せずに、会員カードの統合関係を特定可能とするために、図２８に示すように、統合関係にある会員カードの会員（カード）ＩＤを対応付けて記憶する統合情報テーブルを個別に設けておいて、これら統合情報テーブルに統合関係として記憶されている会員（カード）ＩＤに対応付けて各社の会員情報テーブルに記憶されている所有ポイントを、ログイン時やポイント利用時において合算して、統合ポイントを算出するようにしても良い。
【０３５９】
具体的に、統合情報テーブルを用いて統合処理を実施する場合について、例えば、遊技場Ｄ、Ｅ、Ｆにおいて、カード統合を実施する場合について例示すると、統合情報テーブルの自会員ＩＤには、Ｄ社会員情報テーブルに記憶されている全てのＤ社会員ＩＤの内、入会登録により電子メールアドレスが記憶されているＤ社会員ＩＤ、つまり、Ｄ社サイトにおいて入会登録した全ての会員のＤ社会員ＩＤが記憶されており、これら各自会員ＩＤのＤ社会員ＩＤに対応付けて、当該Ｄ社会員ＩＤが記憶されたＤ社非統合会員カードまたはＢ社統合会員カードと統合された他のＤ社非統合会員カードまたはＢ社統合会員カードのＤ社会員ＩＤが記憶されている（図２８（ａ））。
【０３６０】
ここで、遊技場Ｄ、Ｅの各Ｄ社非統合会員カード若しくはＢ社統合会員カードについて、入会登録を実施している会員が、これら各カードについてカード統合を実施した場合には、自会員ＩＤの項目における遊技場ＤにおけるＤ社会員ＩＤ「ＧＧＤ１−・・・」に対応する他会員ＩＤの項目に、遊技場ＥにおけるＤ社会員ＩＤ「ＧＧＥ１−・・・」が記憶されるとともに、自会員ＩＤの項目における遊技場ＥにおけるＤ社会員ＩＤ「ＧＧＥ１−・・・」に対応する他会員ＩＤの項目に、遊技場ＤにおけるＤ社会員ＩＤ「ＧＧＤ１−・・・」が記憶されることで、これら双方のＤ社会員ＩＤが記憶されているＤ社非統合会員カード若しくはＢ社統合会員カード同士が、統合されていることを特定できるようになる（図２８（ｂ））。
【０３６１】
このようにＤ社会員ＩＤ「ＧＧＤ１−・・・」のカードとＤ社会員ＩＤ「ＧＧＥ１−・・・」のカードとが統合されている状況下において、更に該会員が、遊技場ＦのＤ社非統合会員カードについて入会登録を実施するとともに、遊技場Ｅと遊技場ＦのＤ社非統合会員カードのカード統合を実施した場合には、図２８（ｃ）に示すように、自会員ＩＤの項目における遊技場ＥにおけるＤ社会員ＩＤ「ＧＧＥ１−・・・」に対応する他会員ＩＤの項目に、遊技場ＦにおけるＤ社会員ＩＤ「ＧＧＦ１−・・・」が追加記憶されるとともに、自会員ＩＤの項目における遊技場ＦにおけるＤ社会員ＩＤ「ＧＧＦ１−・・・」に対応する他会員ＩＤの項目に、遊技場ＥにおけるＤ社会員ＩＤ「ＧＧＥ１−・・・」とともに、該Ｄ社会員ＩＤ「ＧＧＥ１−・・・」に対応して該統合情報テーブルに記憶されている遊技場ＤにおけるＤ社会員ＩＤ「ＧＧＤ１−・・・」も、自動的に追加記憶される。また、同様に、自会員ＩＤの項目における遊技場ＤにおけるＤ社会員ＩＤ「ＧＧＤ１−・・・」に対応する他会員ＩＤの項目に、遊技場ＥにおけるＤ社会員ＩＤ「ＧＧＥ１−・・・」に加えて、遊技場ＦにおけるＤ社会員ＩＤ「ＧＧＦ１−・・・」が追加記憶されることにより、これらの各Ｄ社会員ＩＤが記憶されているＤ社非統合会員カード若しくはＢ社統合会員カード同士が、統合されていることを特定できるようになる。
【０３６２】
また、前記実施例では、各運営機関毎に専用ページを設け、会員からの空メールの受信に応じて該専用ページのＵＲＬを含む返信メールを送信して、これら各専用ページに会員を誘導するようにしているが、本発明はこれに限定されるものではなく、例えば、新規入会においては、カード番号入力部と初期暗証番号入力部とを有する各運営機関に共通のトップページを設けておき、該共通の入会用トップページのＵＲＬを各遊技場において掲示する等により、会員を該共通の入会用トップページに誘導して、ポイント管理装置２００が、カード番号入力部に入力された会員（カード）ＩＤから、該当する運営機関を特定して、特定した運営機関の会員情報入力ページに自動的に移行するようにしても良い。
【０３６３】
また、前記実施例では、カード統合を実施した場合において、該カード統合時点においてログインしていた会員カードに記憶されている会員（カード）ＩＤのみにてログインが可能となるように制限されているが、本発明はこれに限定されるものではなく、こえらカード統合後においても、各社会員情報テーブルにおいて、統合対象の他の会員カードに記憶されている会員（カード）ＩＤに対応する暗証番号を消去しないことで、これら統合対象の他の会員カードの会員（カード）ＩＤと暗証番号によってもログインできるように、制限を実施しない構成としても良い。
【０３６４】
また、前記実施例では、Ａ社カード管理端末１０ａを介して、Ａ社・会員管理端末１１ａからの消費情報を、Ａ社中央管理装置１００を通じてポイント管理装置２００に送信するようにしているが、本発明はこれに限定されるものではなく、これら消費情報を、Ａ社・会員管理端末１１ａを介することなく、Ａ社・会員管理端末１１ａからＡ社中央管理装置１００に対して、若しくはＡ社・会員管理端末１１ａからポイント管理装置２００に対して送信するようにしても良い。
【０３６５】
また、前記実施例では、Ａ社カード管理端末１０ａは、消費情報を中継するのみであることから、消費情報中のＡ社送信データ列（１）には、Ａ社会員ＩＤを含む形態としているが、本発明はこれに限定されるものではなく、これらＡ社カード管理端末１０ａが消費情報を中継する場合には、これらＡ社会員ＩＤに代えて、該Ａ社会員ＩＤとともにＡ社統合会員カードに記憶されているＡ社会員カードＩＤを含むＡ社送信データ列（１）に変更し、これら変更されたＡ社会員カードＩＤを含むＡ社送信データ列（１）の消費情報をＡ社カード管理端末１０ａが送信するようにしても良く、この場合には、遊技場Ａの会員は、遊技場Ｂの会員と同様に、ログインに際してＡ社会員ＩＤに代えてＡ社会員カードＩＤを入力すれば良い。
【０３６６】
また、前記実施例では、既に、各社運営機関のサイトにおいて、入会登録を既に実施している会員カードについて、カード統合を可能としているが、本発明はこれに限定されるものではなく、例えば、各社の会員情報テーブルにて、認証情報のみが記憶されており、未だ、電子メールアドレス等の記憶がなされていない未入会の会員カードも、暗証番号に代えて初期暗証番号を受付けることにより統合できるようにしても良い。
【０３６７】
更には、複数の会員カードのいずれの会員カードについても入会登録を実施していないことにより、ログインができない場合において、新たに入会登録を実施する場合において、これら入会登録と同時に、未入会の他の会員カードの統合も実施できるようにしても良い。
【０３６８】
また、前記実施例では、第１収集装置並びに第２収集装置として、各遊技場内に設置されたＡ社会員管理端末１１ａ、Ｃ社会員管理端末１１ｃ、Ｄ社会員管理端末１１ｄ等を使用しているが、本発明はこれに限定されるものではなく、これら第１収集装置並びに第２収集装置として、遊技機である各パチンコ機２に１対１に対応して設けられているカードユニット３ａ、３ａ’、３ｂ、３ｂ’を用い、該カードユニット３ａ、３ａ’、３ｂ、３ｂ’から各社の送信データ列を含む消費情報を送信するようにしても良い。
【０３６９】
また、前記実施例では、カード統合に際して、ログインしている会員カードの会員（カード）ＩＤと暗証番号と、統合対象とする他の遊技場の会員カードの会員（カード）ＩＤと暗証番号とを受付けるようにしているが、本発明はこれに限定されるものではなく、これらログインしている会員カードの会員（カード）ＩＤと暗証番号は、既にログイン時に受付け済みであることから、統合対象とする他の遊技場の会員カードの会員（カード）ＩＤと暗証番号のみを受付けるようにしても良い。
【０３７０】
また、これら統合対象とする他の遊技場の会員カードの会員（カード）ＩＤと暗証番号のみを受付ける場合においては、カード統合における遊技場選択ページとして、統合対象とする他の遊技場のみが選択可能とされるとともに、これら統合対象とする他の遊技場における会員カードの会員（カード）ＩＤと暗証番号の受付け部を有する遊技場選択ページを配信して、該遊技場選択ページにて受付けた会員カードの会員（カード）ＩＤと暗証番号が、該選択された遊技場における会員カードとして登録されているものと一致するか否かにより、正規の会員カードであるか否かを認証し、正規の会員カードであると認証されることに基づいて、統合対象の会員カードが同一の遊技場の会員カードではないと判定するようにしても良い。つまり、前記実施例におけるカード統合処理におけるＳｔ５のステップに代えて、ログインしている会員カードの遊技場とチェーン店関係にある他の遊技場を選択可能な遊技場選択ページを配信するステップと、該遊技場選択ページにて受付けた会員（カード）ＩＤと暗証番号が、該選択された遊技場における会員カードとして登録されているものと一致するかを判定するステップとを実施することによって、統合対象の会員カードが同一の遊技場の会員カードであるか否かを判定するようにしても良い。
【０３７１】
尚、これら選択された遊技場における会員カードとして登録されているものと一致するか否かを判定する場合においては、選択された遊技場の会員カードであるか否かが判定できるのみで良いので、遊技場選択ページにて受付けた会員（カード）ＩＤが該選択された遊技場における会員カードとして登録されているか否かを判定し、遊技場選択ページにて受付けた暗証番号が一致するか否かについては、判定しない構成としても良い。
【０３７２】
また、前記実施例では、ログインしている会員カードの遊技場の会員（カード）ＩＤと暗証番号を含む、つまりは、統合対象の各遊技場の会員（カード）ＩＤと暗証番号を同時に含む統合要求を受信するようにしているが、本発明はこれに限定されるものではなく、前述のように、ログインしている会員カードの遊技場以外の遊技場を選択可能な遊技場選択ページを配信して、該遊技場選択ページにて受付けた会員カードの会員（カード）ＩＤと暗証番号を受付ける場合においては、統合対象の遊技場であるログインしている会員カードの遊技場の会員（カード）ＩＤと暗証番号をログイン時において予め受信し、カード統合時においては、統合対象の他の遊技場の会員（カード）ＩＤのみを含む統合要求を受信するようにしても良い。つまり、本発明におけるポイント統合要求には、これら統合対象の複数の遊技場の会員（カード）ＩＤを個別に受信する形態の統合要求も含まれる。
【０３７３】
また、前記実施例では、カード統合に際して、統合対象の各会員カードの会員（カード）ＩＤと暗証番号が、グループ店舗であるか否かを、カード統合処理におけるＳｔ６のステップにて判定するようにしているが、本発明はこれに限定されるものではなく、例えば、ログイン時において受付けた会員（カード）ＩＤと暗証番号から該当する遊技場を特定しておき、カード統合が要求された場合に、該特定した遊技場とチェーン店関係にある他の遊技場のみが選択可能とされるとともに、これら統合対象とする他の遊技場における会員カードの会員（カード）ＩＤと暗証番号の受付け部を有する遊技場選択ページを配信することで、チェーン店関係以外の遊技場の指定を受付けないようにしておき、該遊技場選択ページにて受付けた会員カードの会員（カード）ＩＤと暗証番号が、該遊技場選択ページにて選択された遊技場における会員カードとして登録されているものと一致するか否かにより正規の会員カードであるか否かを認証し、正規の会員カードであると認証されることに基づいて、統合対象の会員カードの遊技場が、チェーン店（グループ店舗）であるか否かを判定するようにしても良い。つまり、前記実施例におけるカード統合処理におけるＳｔ６のステップに代えて、ログインしている会員カードの遊技場とチェーン店関係にある他の遊技場を選択可能な遊技場選択ページを配信するステップと、該遊技場選択ページにて受付けた会員（カード）ＩＤと暗証番号が、該選択された遊技場における会員カードとして登録されているものと一致するかを判定するステップとを実施することによって、統合対象の会員カードの遊技場がチェーン店（グループ店舗）であるか否かを判定するようにしても良い。
【０３７４】
尚、これら選択された遊技場における会員カードとして登録されているものと一致するか否かを判定する場合においては、選択された遊技場の会員カードであるか否かが判定できるのみで良いので、遊技場選択ページにて受付けた会員（カード）ＩＤが該選択された遊技場における会員カードとして登録されているか否かを判定し、遊技場選択ページにて受付けた暗証番号が一致するか否かについては、判定しない構成としても良い。
【０３７５】
また、前記実施例では、１日に所定時間に消費情報がポイント管理装置２００に対して送信されるようにしているが、本発明はこれに限定されるものではなく、例えば、前記したように、カードユニット３ａ、３ａ’、３ｂ、３ｂ’を第１収集装置並びに第２収集装置として使用する場合等にあっては、会員カードの返却に応じて、該返却された会員カードに記憶されている会員（カード）ＩＤを含む各社送信データ列の消費情報を、遅滞なく送信することで、ポイント管理装置２００におけるポイントの付与等の処理が、ほぼリアルタイムにて実施されるようにしても良い。
【０３７６】
また、前記実施例では、消費情報に含まれる送信データ列のデータヘッダに、各運営会社を個々に識別可能なシンボルデータを付加するようにしているが、本発明はこれに限定されるものではなく、例えば、Ｃ社会員ＩＤやＤ社会員ＩＤが、特定の記号列で始まるＩＤである等のように、これら送信データ列に対応する運営機関を、第２会員識別情報であるＣ社会員ＩＤやＤ社会員ＩＤから特定できる場合には、これらシンボルデータを付加しない構成としても良い。
【０３７７】
また、前記実施例では、Ａ社送信データ列のデータヘッダにも、Ａ社のシンボルデータを付加するようにしているが、本発明はこれに限定されるものではなく、これらＡ社送信データ列に含まれる会員ＩＤや会員カードＩＤの形式から、該送信データ列がＡ社に該当するものであることが特定できる場合には、これらシンボルデータを付加しない構成としても良い。
【図面の簡単な説明】
【０３７８】
【図１】本発明のポイント管理装置を適用した実施例におけるポイントシステムの全体像を示すシステム構成図である。
【図２】本実施例における遊技場Ａ〜Ｈにおける管理端末の状況を示す図である。
【図３】本実施例における遊技場Ｄ〜Ｆにおける管理端末の状況を示す図である。
【図４】本実施例のポイント管理装置の構成を示すブロック図である。
【図５】（ａ）は、本実施例に用いた提携機関情報テーブルを示す図であり、（ｂ）は、Ａ社送信データ列（１）の構成を示す図であり、（ｃ）は、Ａ社送信データ列（２）の構成を示す図であり、（ｄ）は、Ｃ社送信データ列の構成を示す図であり、（ｅ）は、Ｄ社送信データ列の構成を示す図である。
【図６】（ａ）は、Ａ社遊技場情報テーブルを示す図であり、（ｂ）は、Ｃ社遊技場情報テーブルを示す図であり、（ｃ）は、Ｄ社遊技場情報テーブルを示す図である。
【図７】（ａ）、（ｂ）は、Ａ社会員情報テーブルを示す図である。
【図８】（ａ）、（ｂ）は、Ｃ社会員情報テーブルを示す図である。
【図９】（ａ）、（ｂ）は、Ｄ社会員情報テーブルを示す図である。
【図１０】（ａ）は、ポイント付与条件設定画面を示す図であり、（ｂ）は、ポイント利用条件設定画面を示す図である。
【図１１】（ａ）、（ｂ）は、グループ店舗設定画面を示す図である。
【図１２】第３カード利用遊技場設定画面を示す図である。
【図１３】本実施例のポイント管理装置における消費情報収集処理の処理内容を示すフロー図である。
【図１４】本実施例のポイント管理装置における受信データ変換処理の処理内容を示すフロー図である。
【図１５】本実施例のポイント管理装置における認証データ収集処理の処理内容を示すフロー図である。
【図１６】本実施例のポイント管理装置における生産情報受信処理の処理内容を示すフロー図である。
【図１７】本実施例のポイント管理装置におけるポイント付与処理の処理内容を示すフロー図である。
【図１８】本実施例のポイント管理装置におけるカード統合処理の処理内容を示すフロー図である。
【図１９】本実施例において、会員の携帯電話機から各運営機関の専用ページへのアクセス状況を示す説明図である。
【図２０】本実施例のポイント管理装置から配信されて会員の携帯電話機に表示される各ページを示す図である。
【図２１】本実施例のポイント管理装置から配信されて会員の携帯電話機に表示される各ページを示す図である。
【図２２】本実施例のポイント管理装置から配信されて会員の携帯電話機に表示される各ページを示す図である。
【図２３】本実施例のポイント管理装置から配信されて会員の携帯電話機に表示される各ページを示す図である。
【図２４】本実施例のポイント管理装置から配信されて会員の携帯電話機に表示される各ページを示す図である。
【図２５】本実施例のポイント管理装置から配信されて会員の携帯電話機に表示される各ページを示す図である。
【図２６】本実施例のポイント管理装置から配信されて会員の携帯電話機に表示される各ページを示す図である。
【図２７】本実施例のポイント管理装置から配信されて会員の携帯電話機に表示される各ページを示す図である。
【図２８】（ａ）〜（ｃ）は、その他の実施形態における統合情報テーブルを示す図である。
【符号の説明】
【０３７９】
２                パチンコ機
３ａ，３ｂ        カードユニット
３ａ’，３ｂ’     カードユニット
１０ａ            Ａ社カード管理端末
１０ｂ            Ｂ社カード管理端末
１１ａ            Ａ社会員管理端末
１１ｃ            Ｃ社会員管理端末
１１ｄ            Ｄ社会員管理端末
５０              リモート操作端末
１００            Ａ社中央管理装置
１０１            Ｃ社中央管理装置
２００            ポイント管理装置
２０２            ＣＰＵ
２０５            記憶装置
【図１】
2008029638.tif 000003
【図２】
2008029638.tif 000004
【図３】
2008029638.tif 000005
【図４】
2008029638.tif 000006
【図５】
2008029638.tif 000007
【図６】
2008029638.tif 000008
【図７】
2008029638.tif 000009
【図８】
2008029638.tif 000010
【図９】
2008029638.tif 000011
【図１０】
2008029638.tif 000012
【図１１】
2008029638.tif 000013
【図１２】
2008029638.tif 000014
【図１３】
2008029638.tif 000015
【図１４】
2008029638.tif 000016
【図１５】
2008029638.tif 000017
【図１６】
2008029638.tif 000018
【図１７】
2008029638.tif 000019
【図１８】
2008029638.tif 000020
【図１９】
2008029638.tif 000021
【図２０】
2008029638.tif 000022
【図２１】
2008029638.tif 000023
【図２２】
2008029638.tif 000024
【図２３】
2008029638.tif 000025
【図２４】
2008029638.tif 000026
【図２５】
2008029638.tif 000027
【図２６】
2008029638.tif 000028
【図２７】
2008029638.tif 000029
【図２８】
2008029638.tif 000030